(57)【要約】本出願の実施形態は、端末の電力消費量を低減するためにセルを取得する方法と端末とを提供する。本出願の実施形態において提供される技術的解決策は、以下の通りである。端末が現在のソースサービングセルに接続されるとき、端末は、現在のソースサービングセルの第１の品質パラメータを取得し、第１の品質パラメータが第１のプリセットされたしきい値よりも小さい場合、端末は、測定セルのセットを決定し、端末は、各対応する第２の品質パラメータを取得するために測定セルのセット中の各測定セルを測定し、端末は、第２の品質パラメータに基づいてターゲットサービングセルを決定する。
2019528009.tif 000002
【特許請求の範囲】
【請求項１】
セルを取得する方法であって、
端末が現在のソースサービングセルに接続されるとき、前記端末によって、前記現在のソースサービングセルの第１の品質パラメータを取得するステップと、
前記第１の品質パラメータが第１のプリセットされたしきい値よりも小さい場合、前記端末によって、測定セルのセットを決定するステップと、
前記端末によって、各対応する第２の品質パラメータを取得するために前記測定セルのセット中の各測定セルを測定するステップと、
前記端末によって、前記第２の品質パラメータに基づいてターゲットサービングセルを決定するステップと
を備える方法。
【請求項２】
前記測定セルのセットが、アイドルモードでの測定を通して前記端末によって取得された品質パラメータがプリセットされた値を超えるセルと、前記アイドルモードでの測定を通して前記端末によって取得された品質パラメータがより高くランク付けされたセルと、前記端末が接続され得るセルと、前記端末によって受信されたブロードキャストメッセージ中のセルリスト中のセルと、前記端末によって受信された前記ブロードキャストメッセージ中の周波数情報に関係するセルとのうちの少なくとも１つを備える請求項１に記載の方法。
【請求項３】
前記端末によって、前記第２の品質パラメータに基づいてターゲットサービングセルを決定する前記ステップの後、前記方法が、
前記端末によって、ソース基地局が前記ターゲットサービングセルからターゲットセルを決定するように、第１のメッセージを使用することによって前記現在のソースサービングセルに対応する前記ソース基地局に前記ターゲットサービングセルに関する情報を送るステップ
をさらに備える請求項１または２に記載の方法。
【請求項４】
前記端末によって、第１のメッセージを使用することによって前記現在のソースサービングセルに対応するソース基地局に前記ターゲットサービングセルに関する情報を送る前記ステップの後に、前記方法が、
前記端末によって、第１の指示メッセージを使用することによって前記ソース基地局によって送られた前記ターゲットセルに関する情報を受信するステップであって、前記ターゲットセルに関する前記情報が、前記ソース基地局とターゲット基地局とがハンドオーバを確認した後に送られ、前記ターゲット基地局が前記ターゲットセルに対応する基地局である、ステップと、
前記端末によって、第２の指示メッセージを使用することによって前記ターゲット基地局にセル変更肯定応答メッセージを送るステップと
をさらに備える請求項３に記載の方法。
【請求項５】
前記第１の指示メッセージが、ＲＲＣ接続リリースメッセージ、ＲＲＣ再構成メッセージ、ダウンリンク直接送信メッセージなどであり、
前記第２の指示メッセージが、ＲＲＣ接続確立完了メッセージ、ＲＲＣ再構成完了メッセージ、またはアップリンク直接送信メッセージである請求項３に記載の方法。
【請求項６】
前記端末によって、前記第２の品質パラメータに基づいてターゲットサービングセルを決定する前記ステップの後、前記方法が、
前記端末によって、接続要求メッセージを送ることによって前記ターゲットサービングセルにアクセスするステップであって、前記接続要求メッセージが、接続確立メッセージ、接続再確立メッセージ、接続再構成完了メッセージ、またはセル変更完了メッセージであり、前記接続要求メッセージが、接続要求理由を搬送し、前記要求理由が、セルの再選択、セルの変更、またはダウンリンクデータを待つことを備える、アクセスするステップ
をさらに備える請求項１に記載の方法。
【請求項７】
前記第１のメッセージが、アップリンク直接送信メッセージまたはアップリンク無線リソース制御ＲＲＣメッセージであり得る請求項６に記載の方法。
【請求項８】
前記ターゲットサービングセルに関する情報が、前記ターゲットサービングセルの識別子ＩＤまたは前記ターゲットサービングセルのインデックス値を備える請求項６に記載の方法。
【請求項９】
端末であって、
前記端末が現在のソースサービングセルに接続されるとき、前記現在のソースサービングセルの第１の品質パラメータを取得することと、前記第１の品質パラメータが第１のプリセットされたしきい値よりも小さい場合、測定セルのセットを決定することと、各対応する第２の品質パラメータを取得するために前記測定セルのセット中の各測定セルを測定することと、前記第２の品質パラメータに基づいてターゲットサービングセルを決定することとを行うように構成された処理モジュールを備える端末。
【請求項１０】
前記測定セルのセットが、アイドルモードでの測定を通して前記端末によって取得された品質パラメータがプリセットされた値を超えるセルと、前記アイドルモードでの測定を通して前記端末によって取得された品質パラメータがより高くランク付けされたセルと、前記端末が接続され得るセルと、前記端末によって受信されたブロードキャストメッセージ中のセルリスト中のセルと、前記端末によって受信された前記ブロードキャストメッセージ中の周波数情報に関係するセルとのうちの少なくとも１つを備える請求項９に記載の端末。
【請求項１１】
前記端末は、ソース基地局が前記ターゲットサービングセルからターゲットセルを決定するように、第１のメッセージを使用することによって前記現在のソースサービングセルに対応する前記ソース基地局に前記ターゲットサービングセルに関する情報を送るように構成された送信モジュールをさらに備える請求項９または１０に記載の端末。
【請求項１２】
前記端末が、第１の指示メッセージを使用することによって前記ソース基地局によって送られた前記ターゲットセルに関する情報を受信することであって、前記ターゲットセルに関する前記情報が、前記ソース基地局とターゲット基地局とがハンドオーバを確認した後に送られ、前記ターゲット基地局が前記ターゲットセルに対応する基地局である、受信することを行うように構成された受信モジュールをさらに備え、
前記送信モジュールが、第２の指示メッセージを使用することによって前記ターゲット基地局にセル変更肯定応答メッセージを送るようにさらに構成された請求項１１に記載の端末。
【請求項１３】
前記第１の指示メッセージが、ＲＲＣ接続リリースメッセージ、ＲＲＣ再構成メッセージ、ダウンリンク直接送信メッセージなどであり、
前記第２の指示メッセージが、ＲＲＣ接続確立完了メッセージ、ＲＲＣ再構成完了メッセージ、またはアップリンク直接送信メッセージである請求項１２に記載の方法。
【請求項１４】
前記送信モジュールが、接続要求メッセージを送ることによって前記ターゲットサービングセルにアクセスすることであって、前記接続要求メッセージが、接続確立メッセージ、接続再確立メッセージ、接続再構成完了メッセージ、またはセル変更完了メッセージであり、前記接続要求メッセージが、接続要求理由を搬送し、前記要求理由が、セルの再選択、セルの変更、またはダウンリンクデータを待つことを備える、アクセスすることを行うように構成された請求項９に記載の端末。
【請求項１５】
前記第１のメッセージが、アップリンク直接送信メッセージまたはアップリンク無線リソース制御ＲＲＣメッセージであり得る請求項１４に記載の端末。
【請求項１６】
前記ターゲットサービングセルに関する情報が、前記ターゲットサービングセルの識別子ＩＤまたは前記ターゲットサービングセルのインデックス値を備える請求項１４に記載の端末。
【請求項１７】
端末であって、
トランシーバと、プロセッサと、バスとを備え、
前記トランシーバが、前記バスを使用することによって前記プロセッサに接続され、
前記プロセッサは、前記端末が現在のソースサービングセルに接続されるとき、前記現在のソースサービングセルの第１の品質パラメータを取得するステップと、前記第１の品質パラメータが第１のプリセットされたしきい値よりも小さい場合、測定セルのセットを決定するステップと、各対応する第２の品質パラメータを取得するために前記測定セルのセット中の各測定セルを測定するステップと、前記第２の品質パラメータに基づいてターゲットサービングセルを決定するステップとを実行する、端末。
【発明の詳細な説明】
【技術分野】
【０００１】
本出願は、通信分野に関し、特に、セルを取得する方法および端末に関する。
【背景技術】
【０００２】
モバイル通信は人々の生活を大きく変化させたが、人々は、依然として、より良いパフォーマンスをもつモバイル通信を求めている。爆発的なモバイルデータトラフィックの成長と、大量のデバイス接続と、将来の様々な新しいサービスおよびアプリケーションシナリオの連続した出現とを満たすために、第５世代の（５Ｇ）モバイル通信システムが出現する。５Ｇの一部として、モノのインターネットが市場需要において急成長を遂げている。現在、３ＧＰＰ規格団体は、新しいエアインターフェースを設計し、狭帯域技術の特徴を十分に使用することによってセルラーネットワークベースのＩｏＴサービスを研究している。このタイプのＩｏＴは、狭帯域モノのインターネット（英語の名称：Ｎａｒｒｏｗｂａｎｄ  Ｉｎｔｅｒｎｅｔ  ｏｆ  Ｔｈｉｎｇｓ、略して、ＮＢ−ＩｏＴ）と呼ばれる。ＮＢ−ＩｏＴネットワーク、サービス、および端末の要件および特徴は、ネットワークアーキテクチャの設計にいくつかの新しい課題をもたらす。現在のモノのインターネットは、主に、低モビリティの端末および適用例をターゲットにしており、アイドルモードでモビリティ機能のみを実装する。しかしながら、モバイルのモノのインターネットの要件も重要な要件であり、したがって、接続モードでのモビリティを解決する必要がある。
【０００３】
現在、接続モードでのＮＢ−ＩｏＴのモビリティを実装するために、ロングタームエボリューション（英語の名称：Ｌｏｎｇ  Ｔｅｒｍ  Ｅｖｏｌｕｔｉｏｎ、略して、ＬＴＥ）のハンドオーバプロシージャが、通常はＮＢ−ＩｏＴに適用される。
【０００４】
ハンドオーバを実装するために、システム中で、ネットワーク側は、測定構成を実行する必要があり、さらに、端末は、測定報告を実行する必要がある。したがって、端末は、接続モードで測定と測定結果報告とを実行する必要がある。ハンドオーバの意思決定をサポートするために、ＵＥは、通常、２回以上測定報告を報告し、したがって、端末の電力消費量は比較的高くなる。
【発明の概要】
【発明が解決しようとする課題】
【０００５】
本出願の実施形態は、端末の電力消費量を低減するためにセルを取得する方法と端末とを提供する。
【課題を解決するための手段】
【０００６】
第１の態様によれば、本出願の一実施形態は、端末が、現在のソースサービングセルに接続される、すなわち、端末が、現在のソースサービングセルに対応する基地局とデータを交換するとき、端末によって、リアルタイムで現在のソースサービングセルの第１の品質パラメータを取得するステップと、第１の品質パラメータが第１のプリセットされたしきい値よりも小さい場合、端末によって、測定セルのセットを決定するステップと、次いで、端末によって、各対応する第２の品質パラメータを取得するために測定セルのセット中の各測定セルを測定するステップと、最後に、端末によって、第２の品質パラメータに基づいてターゲットサービングセルを決定するステップとを含む、セルを取得する方法を提供する。
【０００７】
本出願のこの実施形態において提供される技術的解決策では、端末は、それ自体でターゲットサービングセルを決定する。これは、接続モードでの測定報告回数の量を低減し、さらに、端末の電力消費量を低減する。
【０００８】
可能な実装形態では、測定セルのセットは、アイドルモードでの測定を通して端末によって取得された品質パラメータがプリセットされた値を超えるセルと、アイドルモードでの測定を通して端末によって取得された品質パラメータがより高くランク付けされたセルと、端末が接続され得るセルと、端末によって受信されたブロードキャストメッセージ中のセルリスト中のセルと、端末によって受信されたブロードキャストメッセージ中の周波数情報に関係するセルとのうちの少なくとも１つを含む。
【０００９】
本出願のこの実施形態において提供される技術的解決策では、測定セルの選択範囲は集中型であり、したがって、端末の測定回数の量が低減され、端末の電力消費量が低減される。
【００１０】
可能な実装形態では、端末は、アップリンク直接送信メッセージを使用することによって現在のソースサービングセルに対応するソース基地局にターゲットセルに関する情報を報告する。ターゲットセルに関する情報は、ターゲットサービングセルの識別ＩＤまたはターゲットサービングセルのインデックス値を含み得る。
【００１１】
可能な実装形態では、端末が、アップリンク直接送信メッセージを使用することによって、現在のソースサービングセルに対応するソース基地局にターゲットセルを報告した後に、ソース基地局は、ターゲット基地局を決定し得る。次いで、ソース基地局は、ターゲット基地局にハンドオーバ要求メッセージを送る。ソース基地局は、ターゲット基地局によってフィードバックされたハンドオーバ応答メッセージを受信し、端末は、ＲＲＣ接続リリースメッセージまたはダウンリンク直接送信メッセージを使用することによってソース基地局によって送られたターゲットセルに関する情報を受信する。端末は、ＲＲＣ接続確立完了メッセージと、ＲＲＣ再構成完了メッセージと、アップリンク直接送信メッセージとのうちの少なくとも１つを使用することによってターゲット基地局にセル変更肯定応答メッセージを送る。
【００１２】
上記の方式に基づいて、端末が、ターゲット基地局への接続を確立するとき、端末は、対応するシグナリングを使用することによってターゲット基地局に接続確立理由を示し得る。接続理由は、端末がセルを再選択すること、または端末がセルを変更すること、または端末とネットワークとの間の接続が中断され、復元される必要があることであり得る。本明細書では、特定の理由は限定されない。また、端末によって使用される複数のタイプのシグナリングがあり得、本明細書では、それは限定されない。
【００１３】
上記の方式に基づいて、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【００１４】
第２の態様によれば、本出願の一実施形態は、コアネットワークデバイスによって、端末がセルの変更またはセルの再選択を完了したことを示すために使用される第１の指示メッセージを取得するステップと、次いで、コアネットワークデバイスによって、端末がセルの変更またはセルの再選択を完了した後に端末に接続されたターゲット基地局にダウンリンクデータを送るステップとを含むデータ処理方法を提供する。
【００１５】
本出願のこの実施形態において提供される技術的解決策では、端末がセルの再選択またはセルの変更を完了したと決定した後に、コアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００１６】
本出願のこの実施形態では、コアネットワークデバイスは、ダウンリンクデータ喪失なしを実装するために以下のいくつかの方式でデータを処理し得る。
【００１７】
可能な実装形態では、コアネットワークデバイスは、ソース基地局に送られたダウンリンクデータを記憶し、ダウンリンクデータを記憶した後に第１のタイマーを開始する。ソース基地局は、端末がセルの変更またはセルの再選択を完了する前に端末に接続された基地局である。このようにして、コアネットワークデバイスは、第１のタイマーが満了する前に第１の指示メッセージを取得し得る。
【００１８】
本出願のこの実施形態において提供される技術的解決策では、コアネットワークデバイスは、ソース基地局に送られたダウンリンクデータを記憶し、端末がターゲット基地局への接続を確立した後、ターゲット基地局に記憶されたダウンリンクデータを送り、それにより、ダウンリンクデータが喪失されないことを効果的に保証し、モバイル状態での端末の連続性をさらに保証する。
【００１９】
上記の方式に基づいて、第１のタイマーが満了した後にコアネットワークデバイスが第１の指示メッセージを依然として取得しない場合、コアネットワークデバイスは、記憶されたダウンリンクデータを削除する。
【００２０】
本出願のこの実施形態において提供される技術的解決策では、コアネットワークデバイスが第１の指示メッセージを取得しないとき、コアネットワークデバイスは、記憶されたダウンリンクデータを削除し、したがって、ストレージ負担が効果的に低減され得る。
【００２１】
上記の方式に基づいて、コアネットワークデバイスは、端末によってダウンリンクデータを受信するステータスを示すために使用されるフィードバック情報を受信する。端末がダウンリンクデータを完全に受信したことをフィードバック情報が示す場合、コアネットワークデバイスはダウンリンクデータを削除し、または端末がダウンリンクデータを完全に受信していないことをフィードバック情報が示す場合、コアネットワークデバイスは、ターゲット基地局にダウンリンクデータを送るようにトリガされる。
【００２２】
本出願のこの実施形態において提供される技術的解決策では、コアネットワークデバイスは、端末によってダウンリンクデータを受信する特定のステータスに基づいて特定の動作を実行し、これは、ストレージ負担を低減し、コアネットワークデバイスの作業効率を改善するのに役立つ。
【００２３】
上記の方式に基づいて、コアネットワークデバイスによって取得された第１の指示メッセージは、初期端末コンテキストメッセージ、初期ＵＥメッセージまたは経路切替え経路切替えメッセージなどのメッセージであり得る。
【００２４】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００２５】
別の可能な実装形態では、コアネットワークが第１の指示メッセージを取得する前に、コアネットワークデバイスは、端末がセルを再選択しようとしていることまたは端末がセルを変更しようとしていることを示すために使用される指示シグナリングを受信する。次いで、コアネットワークデバイスは、ソース基地局にダウンリンクデータを送るのを止め、第２のタイマーを開始し、ここで、ダウンリンクデータは、ソース基地局にコアネットワークデバイスによって送られるダウンリンクデータである。次いで、コアネットワークデバイスは、第２のタイマーが満了する前に第１の指示メッセージを取得する。
【００２６】
本出願のこの実施形態において提供される技術的解決策では、端末がセルを再選択しようとしていること、または端末がセルを変更しようとしていることを示すために使用される指示シグナリングを受信した後に、コアネットワークデバイスは、ダウンリンクデータを中断し、次いで、端末がターゲット基地局への接続を確立した後にターゲット基地局にダウンリンクデータを送り、それにより、ダウンリンクデータが喪失されないことを効果的に保証し、モバイル状態での端末の連続性をさらに保証する。
【００２７】
上記の方式に基づいて、第２のタイマーが満了した後にコアネットワークデバイスが第１の指示メッセージを依然として取得しない、すなわち、端末が、ターゲット基地局に接続することに失敗し得る場合、コアネットワークデバイスは、この場合、ソース基地局にダウンリンクデータを送るのを再開し始める。
【００２８】
本出願のこの実施形態において提供される技術的解決策では、コアネットワークデバイスは、特定の状況に基づいて特定の動作を実行し得、これは、コアネットワークデバイスの作動効率を改善するのに役立つ。
【００２９】
上記の方式に基づいて、第１の指示メッセージは、アップリンク非アクセス層メッセージトランスポートＵＬ  ＮＡＳトランスポート、または別のＳ１−ＡＰメッセージであり得る。本明細書では、これは特に限定されない。
【００３０】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００３１】
別の可能な実装形態では、コアネットワークデバイスが第１の指示メッセージを取得する前に、コアネットワークデバイスは、端末がセルを再選択または変更しようとしていることを示すために使用される指示シグナリングを受信する。次いで、コアネットワークデバイスは、ターゲット基地局にダウンリンクデータを送り始め、ソース基地局にダウンリンクデータを送り続け、第３のタイマーを開始し、ここで、ダウンリンクデータは、ソース基地局にコアネットワークデバイスによって送られるダウンリンクデータである。次いで、コアネットワークデバイスは、第３のタイマーが満了する前に第１の指示メッセージを取得する。最後に、第３のタイマーが満了する前にコアネットワークデバイスが第１の指示メッセージを取得する場合、コアネットワークデバイスは、ターゲット基地局にダウンリンクデータを送り、ソース基地局にダウンリンクデータを送るのを止める。
【００３２】
本出願のこの実施形態において提供される技術的解決策では、コアネットワークデバイスは、ソース基地局とターゲット基地局とにダウンリンクデータを同時に送り得、これは、ダウンリンクデータが喪失されないことを効果的に保証し、モバイル状態での端末の連続性をさらに保証し得る。
【００３３】
上記の方式に基づいて、第３のタイマーが満了した後にコアネットワークデバイスが第１の指示メッセージを依然として取得しない、すなわち、端末が、ターゲット基地局に接続することに失敗し得る場合、コアネットワークデバイスは、ターゲット基地局にダウンリンクデータを送るのを止める。
【００３４】
本出願のこの実施形態において提供される技術的解決策では、コアネットワークデバイスは、特定の状況に基づいて特定の動作を実行し得、これは、コアネットワークデバイスの作動効率を改善するのに役立つ。
【００３５】
上記の方式に基づいて、第１の指示メッセージは、ＵＬ  ＮＡＳトランスポートメッセージまたは別のＳ１−ＡＰメッセージである。
【００３６】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００３７】
可能な実装形態では、コアネットワークデバイスは、モビリティ管理エンティティ（英語の名称：Ｍｏｂｉｌｉｔｙ  Ｍａｎａｇｅｍｅｎｔ  Ｅｎｔｉｔｙ、略してＭＭＥ）であり得る。
【００３８】
実際の適用例では、コアネットワークデバイスは、さらに、別の物理的な装置であり得、本明細書では、特定の物理的な装置は限定されない。
【００３９】
第３の態様によれば、本出願の一実施形態は、端末がセルの再選択を完了する前に、または端末がセルの変更を完了する前に端末が位置するソースサービングセルに対応するソース基地局によって、端末がセルの変更を行い始めたことまたはセルを再選択し始めたことを示すために使用される第２の指示メッセージを取得するステップと、次いで、ターゲット基地局が端末にダウンリンクデータを送るように、ソース基地局によって、端末がセルの再選択またはセルの変更を完了した後にターゲットサービングセルに対応するターゲット基地局にダウンリンクデータを送るステップとを含むデータ処理方法を提供する。
【００４０】
本出願のこの実施形態では、ソース基地局とターゲット基地局との間のデータ送信は、ダウンリンクデータが喪失されないことを効果的に保証し、モバイル状態での端末の連続性をさらに保証し得る。
【００４１】
可能な設計の方式では、端末がセルの再選択を完了したことを第２の指示メッセージが示すとき、ソース基地局は、ターゲット基地局によって送られたデータ送信指示メッセージまたは無線リンク障害指示メッセージを受信し、次いで、ソース基地局は、ターゲット基地局に第１の要求メッセージを送り、最後に、ソース基地局は、第２の指示メッセージとしてターゲット基地局によってフィードバックされた第２の応答メッセージを受信する。本願明細書における第１の要求メッセージは、ハンドオーバ要求メッセージであり、第１の応答メッセージは、ハンドオーバ肯定応答メッセージである。第１の要求メッセージと第１の応答メッセージとの両方がＸ２−ＡＰメッセージであり得る。第１の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第１の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００４２】
もちろん、第２の要求メッセージと第２の応答メッセージとも別のタイプのメッセージであり得る。本明細書では、特定の場合は限定されない。
【００４３】
可能な設計の方式では、端末がセルの変更を行い始めたことを第２の指示メッセージが示すとき、ソース基地局は、ターゲット基地局に第２の要求メッセージを送り、最後に、ソース基地局は、第２の指示メッセージとしてターゲット基地局によってフィードバックされた第２の応答メッセージを受信する。第２の要求メッセージは、ハンドオーバ要求メッセージであり、第２の応答メッセージは、ハンドオーバ肯定応答メッセージである。本願明細書における第２の要求メッセージは、ハンドオーバ要求メッセージであり、第２の応答メッセージは、ハンドオーバ肯定応答メッセージである。第２の要求メッセージと第２の応答メッセージとの両方がＸ２−ＡＰメッセージであり得る。第２の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第２の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００４４】
もちろん、第２の要求メッセージと第２の応答メッセージとも別のタイプのメッセージであり得る。本明細書では、特定の場合は限定されない。
【００４５】
本出願のこの実施形態において提供される技術的解決策では、ソース基地局は、特定の指示メッセージに基づいて特定の動作を実行し、これは、ソース基地局の作動効率を効果的に改善することができる。
【００４６】
可能な設計の方式では、ソース基地局は、基地局間の相互接続インターフェースＸ２をステーションスルーしてターゲットベースにダウンリンクデータを送る。
【００４７】
もちろん、ソース基地局がターゲット基地局にダウンリンクデータを送る前に、ソース基地局は、コアネットワークデバイスによって送られたダウンリンクデータを受信する。データが基地局間で転送されるとき、データだけが転送され、シグナリングは転送されない。したがって、基地局にＮＡＳ情報を送るとき、コアネットワークデバイスは、データが送られるのかまたはシグナリングが送られるのかをソース基地局に示す必要がある。
【００４８】
別の可能な実装形態では、第２の指示メッセージは、アップリンク直接送信メッセージＵＬ情報転送または別の無線リソース制御ＲＲＣメッセージである。本明細書では、特定のメッセージ形態は限定されない。
【００４９】
上記は、ソース基地局に接続されたコアネットワークデバイスとターゲット基地局とが同じコアネットワークデバイスであるシナリオについてのみ説明した。実際の適用例では、ソース基地局に接続されたコアネットワークデバイスとターゲット基地局とは異なり得る。以下は、異なるコアネットワークデバイスが共存するシナリオについて説明する。
【００５０】
第４の態様によれば、本出願の一実施形態は、ソースコアネットワークデバイスによって、端末がサービングセルを変更しようとしていることまたはターゲットコアネットワークデバイスがダウンリンクデータを送ることを要求することを示すために使用される第３の指示メッセージを取得するステップであって、ソースコアネットワークデバイスは、セルの再選択またはセルの変更の前に端末に接続されたソース基地局に接続されたコアネットワークデバイスであり、ターゲットコアネットワークデバイスは、セルの再選択またはセルの変更後に端末に接続されたターゲット基地局に接続されたコアネットワークデバイスである、ステップと、次いで、ターゲットコアネットワークデバイスがターゲット基地局にダウンリンクデータを送るように、ソースコアネットワークデバイスによって、ターゲットコアネットワークデバイスにダウンリンクデータを送るステップとを含むデータ処理方法を提供する。
【００５１】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５２】
本出願のこの実施形態では、コアネットワークデバイスは、ダウンリンクデータが喪失されないことを実装するために以下のいくつかの方式でデータを処理し得る。
【００５３】
可能な実装形態では、ソースコアネットワークデバイスは、ダウンリンクデータを記憶し、第１のタイマーを開始し、ここで、ダウンリンクデータは、ソース基地局を通してソースコアネットワークデバイスによって送られるダウンリンクデータである。第１のタイマーが満了し、ソースコアネットワークデバイスが第１の指示メッセージを取得しない場合、ソースコアネットワークデバイスはダウンリンクデータを削除し、または第１のタイマーが満了せず、ソースコアネットワークデバイスが第１の指示メッセージを取得する場合、ソースコアネットワークデバイスは、ターゲットコアネットワークデバイスにダウンリンクデータを送るようにトリガされる。
【００５４】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５５】
上記の方式に基づいて、ターゲットコアネットワークデバイスがダウンリンクデータを送ることを要求することを第１の指示メッセージが示すとき、ソースコアネットワークデバイスは、ターゲットコアネットワークデバイスによって送られ、ソースコアネットワークデバイスに、データ送信チャネルを作成するように命令するために使用される第１の要求情報を受信する。第１の要求情報は、ターゲットコアネットワークデバイスに接続されたターゲット基地局インフォメーションフロム第１の指示を受信した後にターゲットコアネットワークデバイスによって送られる。第１の指示情報は、ターゲットコアネットワークデバイスがソースコアネットワークデバイスからダウンリンクデータを取得する必要があることを示すために使用される。次いで、ソースコアネットワークデバイスは、ターゲットコアネットワークデバイスへ、データ送信チャネルを作成するための第１の応答メッセージを送る。最後に、ソースコアネットワークデバイスは、ターゲットコアネットワークデバイスにダウンリンクデータを送る。
【００５６】
第１の要求情報は、データ転送トンネル作成要求（create data forwarding tunnel request）データ転送トンネル作成要求であり得、第１の応答メッセージは、データ転送トンネル作成応答（create data forwarding tunnel response）データ転送トンネル作成応答であり得る。本明細書では、特定のシグナリング形態は限定されない。
【００５７】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５８】
上記の方式に基づいて、ターゲットコアネットワークデバイスがダウンリンクデータを送ることを要求することを第１の指示メッセージが示すとき、ソースコアネットワークデバイスは、ターゲットコアネットワークデバイスによって送られ、ソースコアネットワークデバイスに、データ送信チャネルを作成するように命令するために使用される第２の要求情報を受信する。第２の要求情報は、第１の指示情報を受信した後にターゲットコアネットワークデバイスによって送られる。次いで、ソースコアネットワークデバイスは、ターゲットコアネットワークデバイスへ、データ送信チャネルを作成するための第２の応答メッセージを送り、ここで、第２の応答メッセージは、ダウンリンクデータを搬送する。
【００５９】
第２の要求情報は、データ転送トンネル作成要求データ転送トンネル作成要求であり得、第２の応答メッセージは、データ転送トンネル作成応答データ転送トンネル作成応答であり得る。本明細書では、特定のシグナリング形態は限定されない。
【００６０】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６１】
上記の方式に基づいて、ターゲットコアネットワークデバイスがダウンリンクデータを送ることを要求することを第１の指示メッセージが示すとき、ソースコアネットワークデバイスは、ターゲットコアネットワークによって送られ、ダウンリンクデータを要求するために使用される第３の要求情報を受信する。第３の要求情報は、第１の指示情報を受信した後にターゲットコアネットワークデバイスによって送られる。次いで、ソースコアネットワークデバイスは、ターゲットコアネットワークデバイスに第３の応答メッセージを送り、ここで、第３の応答メッセージは、ダウンリンクデータを搬送する。
【００６２】
第３の要求情報は、コンテキストおよびデータ要求コンテキストおよびデータ要求であり得、第３の応答メッセージは、コンテキストおよびデータ応答コンテキストおよびデータ応答であり得る。本明細書では、特定のシグナリング形態は限定されない。
【００６３】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６４】
上記の方式に基づいて、端末がセルの変更を行うことを第１の指示メッセージが示すとき、ソースコアネットワークデバイスは、ソースコアネットワークデバイスに接続されたソース基地局によって送られるハンドオーバ要求を受信し、ここで、ハンドオーバ要求は、ターゲットコアネットワークデバイスに関する情報を含む。次いで、ソースコアネットワークデバイスは、ターゲットコアネットワークデバイスに関する情報に基づいてターゲットコアネットワークデバイスにデータ割振り要求を送る。次に、ソースコアネットワークデバイスは、第１の指示情報としてターゲットコアネットワークデバイスによってフィードバックされたデータ割振り応答を受信し、データ割振り応答は、ターゲットコアネットワークデバイスがターゲット基地局によってフィードバックされたハンドオーバ応答を受信した後に送られる。次に、ソースコアネットワークデバイスは、ターゲットコアネットワークデバイスに、データ送信チャネルを作成するようにターゲットコアネットワークデバイスに命令するために使用される第４の要求情報を送る。次に、ソースコアネットワークデバイスは、データ送信チャネルを作成するための、ターゲットコアネットワークデバイスによってフィードバックされた第４の応答メッセージを受信する。最後に、ソースコアネットワークデバイスは、ターゲットコアネットワークデバイスにダウンリンクデータを送る。
【００６５】
データ割振り要求は、順方向再割振り要求（forward reallocation request）順方向再配置要求であり得、データ割振り応答は、順方向再配置応答であり得、第４の要求情報は、間接データ転送トンネル作成要求（create indirect data forwarding tunnel request）間接データ転送トンネル作成要求であり得、第４の応答メッセージは、間接データ転送トンネル作成応答（create indirect data forwarding tunnel response）間接データ転送トンネル作成応答であり得る。本明細書では、特定のシグナリング形態は限定されない。
【００６６】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６７】
上記の方式に基づいて、端末がセルの変更を行うことを第１の指示メッセージが示すとき、ソースコアネットワークデバイスは、ソースコアネットワークデバイスに接続されたソース基地局によって送られるハンドオーバ要求を受信し、ここで、ハンドオーバ要求は、ターゲットコアネットワークデバイスに関する情報を含む。次いで、ソースコアネットワークデバイスは、ターゲットコアネットワークデバイスに関する情報に基づいてターゲットコアネットワークデバイスにデータ割振り要求を送る。次に、ソースコアネットワークデバイスは、第１の指示情報としてターゲットコアネットワークデバイスによってフィードバックされたデータ割振り応答を受信し、データ割振り応答は、ターゲットコアネットワークデバイスがターゲット基地局によってフィードバックされたハンドオーバ応答を受信した後に送られる。次に、ソースコアネットワークデバイスは、ターゲットコアネットワークデバイスによって送られる第５の要求情報を受信し、ここで、第５の要求情報は、ダウンリンクデータを要求するために使用される。最後に、ソースコアネットワークデバイスは、ターゲットコアネットワークデバイスに第５の応答メッセージを送り、ここで、第５の応答メッセージは、ダウンリンクデータを搬送する。
【００６８】
データ割振り要求は、順方向再割振り要求順方向再配置要求であり得、データ割振り応答は、順方向再配置応答であり得、第５の要求情報は、コンテキストおよびデータ要求コンテキストおよびデータ要求であり得、第５の応答メッセージは、コンテキストおよびデータ応答コンテキストおよびデータ応答であり得る。本明細書では、特定のシグナリング形態は限定されない。
【００６９】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７０】
上記の方式に基づいて、ソースコアネットワークデバイスは、端末によってダウンリンクデータを受信するステータスを示すために使用されるフィードバック情報をさらに受信し得る。端末がダウンリンクデータを完全に受信したことをフィードバック情報が示す場合、ソースコアネットワークデバイスはダウンリンクデータを削除し、または端末がダウンリンクデータを完全に受信していないことをフィードバック情報が示す場合、ソースコアネットワークデバイスは、ターゲットコアネットワークデバイスにダウンリンクデータを送るようにトリガされる。
【００７１】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７２】
別の実装形態では、ソースコアネットワークデバイスは、端末がセルを再選択または変更しようとしていることを示すために使用される指示シグナリングを受信する。次いで、ソースコアネットワークデバイスは、ソース基地局にダウンリンクデータを送るのを止め、第２のタイマーを開始する。最後に、ソースコアネットワークデバイスは、第２のタイマーが満了する前に第１の指示メッセージを取得する。
【００７３】
指示シグナリングは、アップリンク非アクセス層トランスポートメッセージＵＬ  ＮＡＳトランスポートまたは基地局とコアネットワークとの間の別のアップリンクメッセージである。本明細書では、特定のシグナリング形態は限定されない。
【００７４】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７５】
上記の方式に基づいて、第２のタイマーが満了し、ソースコアネットワークデバイスが第１の指示メッセージを取得しない場合、ソースコアネットワークデバイスは、ソース基地局にダウンリンクデータを送る。
【００７６】
上記の方式に基づいて、ソースコアネットワークデバイスは、ターゲットコアネットワークデバイスによって送られ、ソースコアネットワークデバイスに、データ送信チャネルを作成するように命令するために使用される第６の要求情報を受信し、ここで、第６の要求情報は、ターゲットコアネットワークデバイスがターゲット基地局から第２の指示情報を受信した後に送られ、第２の指示情報は、端末がセルの再選択を完了したかまたは端末がセルの変更を完了したことを示すために使用され、ターゲットコアネットワークデバイスは、ソースコアネットワークデバイスからダウンリンクデータを取得する必要がある。次いで、ソースコアネットワークデバイスは、ターゲットコアネットワークデバイスへ、データ送信チャネルを作成するための第６の応答メッセージを送る。最後に、ソースコアネットワークデバイスは、ターゲットコアネットワークデバイスにダウンリンクデータを送る。
【００７７】
第６の要求情報は、間接データ転送トンネル作成要求間接データ転送トンネル作成要求であり得、第６の応答メッセージは、間接データ転送トンネル作成応答間接データ転送トンネル作成応答であり得る。本明細書では、特定のシグナリング形態は限定されない。
【００７８】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７９】
上記の方式に基づいて、ソースコアネットワークデバイスは、ターゲットコアネットワークデバイスによって送られ、ソースコアネットワークデバイスにダウンリンクデータを要求するために使用される第７の要求情報を受信し、ここで、第７の要求情報は、第２の指示情報を受信した後にターゲットコアネットワークデバイスによって送られる。次いで、ソースコアネットワークデバイスは、ターゲットコアネットワークデバイスへ、データ送信チャネルを作成するための第７の応答メッセージを送り、ここで、第７の応答メッセージは、ダウンリンクデータを搬送する。
【００８０】
第７の要求情報は、コンテキストおよびデータ要求コンテキストおよびデータ要求であり得、第７の応答メッセージは、コンテキストおよびデータ応答コンテキストおよびデータ応答であり得る。
【００８１】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００８２】
別の可能な実装形態では、端末がセルを再選択または変更しようとしていることを示すために使用される指示シグナリングをソースコアネットワークデバイスが受信した後、ソースコアネットワークデバイスは、ターゲット基地局を通して端末にダウンリンクデータを送り始め、ソース基地局を通して端末にダウンリンクデータを送り始め、第３のタイマーを開始する。第３のタイマーが満了する前にソースコアネットワークデバイスが第１の指示メッセージを取得する場合、ソースコアネットワークデバイスは、ソース基地局を通して端末にダウンリンクデータを送るのを止め、または第３のタイマーが満了した後にソースコアネットワークデバイスが第１の指示メッセージを取得しない場合、ソースコアネットワークデバイスは、ターゲット基地局を通して端末にダウンリンクデータを送るのを止める。
【００８３】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００８４】
ソースコアネットワークデバイスとターゲットコアネットワークデバイスとの両方はモバイルＭＭＥであり得る。実際の適用例では、ソースコアネットワークデバイスとターゲットコアネットワークデバイスとは他の物理的な装置であり得、本明細書では、特定の物理的な装置は限定されない。
【００８５】
第５の態様によれば、本出願の一実施形態は、端末がセルを再選択または変更する前に端末が位置するソースサービングセルに対応するソース基地局によって、端末がセルの変更を行うことまたはセルの再選択を完了したことを示すために使用される第２の指示メッセージを取得するステップと、ターゲット基地局が端末にダウンリンクデータを送るように、ソース基地局によって、端末がセルの再選択またはセルの変更を完了した後にターゲットサービングセルに対応するターゲット基地局にダウンリンクデータを送るステップとを含むデータ処理方法を提供する。
【００８６】
本出願のこの実施形態では、ソース基地局とターゲット基地局との間のデータ送信は、ダウンリンクデータが喪失されないことを効果的に保証し、モバイル状態での端末の連続性をさらに保証し得る。
【００８７】
可能な設計の方式では、端末がセルの再選択を完了したことを第２の指示メッセージが示すとき、ソース基地局は、ターゲット基地局によって送られたセルの再選択もしくはセルの変更指示メッセージまたは無線リンク障害指示メッセージを受信し、次いで、ソース基地局は、ターゲット基地局に第１の要求メッセージを送り、最後に、ソース基地局は、第２の指示メッセージとしてターゲット基地局によってフィードバックされた第２の応答メッセージを受信する。本願明細書における第１の要求メッセージは、ハンドオーバ要求メッセージであり、第１の応答メッセージは、ハンドオーバ肯定応答メッセージである。第１の要求メッセージと第１の応答メッセージとの両方がＸ２−ＡＰメッセージであり得る。第１の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ肯定応答メッセージを受信した後に、ソース基地局は、ターゲット基地局にダウンリンクデータを送る。ダウンリンクデータは、ソース基地局が受信肯定応答を受信しないデータであるか、または送られないデータであり得る。第１の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００８８】
もちろん、第２の要求メッセージと第２の応答メッセージとも別のタイプのメッセージであり得る。本明細書では、特定の場合は限定されない。
【００８９】
可能な設計の方式では、端末がセルの変更を行い始めたことを第２の指示メッセージが示すとき、ソース基地局は、ターゲット基地局に第２の要求メッセージを送り、最後に、ソース基地局は、第２の指示メッセージとしてターゲット基地局によってフィードバックされた第２の応答メッセージを受信する。第２の要求メッセージは、ハンドオーバ要求メッセージであり、第２の応答メッセージは、ハンドオーバ肯定応答メッセージである。本願明細書における第２の要求メッセージは、ハンドオーバ要求メッセージであり、第２の応答メッセージは、ハンドオーバ肯定応答メッセージである。第２の要求メッセージと第２の応答メッセージとの両方がＸ２−ＡＰメッセージであり得る。第２の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第２の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００９０】
もちろん、第２の要求メッセージと第２の応答メッセージとも別のタイプのメッセージであり得る。本明細書では、特定の場合は限定されない。
【００９１】
本出願のこの実施形態において提供される技術的解決策では、ソース基地局は、特定の指示メッセージに基づいて特定の動作を実行し、これは、ソース基地局の作動効率を効果的に改善することができる。
【００９２】
可能な設計の方式では、ソース基地局は、基地局間の相互接続インターフェースＸ２を通してターゲット基地局にダウンリンクデータを送る。
【００９３】
もちろん、ソース基地局がターゲット基地局にダウンリンクデータを送る前に、ソース基地局は、コアネットワークデバイスによって送られたダウンリンクデータを受信する。データが基地局間で転送されるとき、データだけが転送され、シグナリングは転送されない。したがって、基地局にＮＡＳ情報を送るとき、コアネットワークデバイスは、データが送られるのかまたはシグナリングが送られるのかをソース基地局に示す必要がある。
【００９４】
別の可能な実装形態では、第２の指示メッセージは、アップリンク直接送信メッセージＵＬ情報転送または別の無線リソース制御ＲＲＣメッセージである。本明細書では、特定のメッセージ形態は限定されない。
【００９５】
第６の態様によれば、本出願の一実施形態は端末を提供し、端末は、上記の方法で端末を実装する機能を有する。機能は、ハードウェアによって実装され得るか、または対応するソフトウェアを実行することによってハードウェアによって実装され得る。ハードウェアまたはソフトウェアは、上記の機能に対応する１つまたは複数のモジュールを含む。
【００９６】
可能な実装形態では、端末は、
端末が現在のソースサービングセルに接続されるとき、現在のソースサービングセルの第１の品質パラメータを取得することと、第１の品質パラメータが第１のプリセットされたしきい値よりも小さい場合、測定セルのセットを決定することと、各対応する第２の品質パラメータを取得するために測定セルのセット中の各測定セルを測定することと、第２の品質パラメータに基づいてターゲットサービングセルを決定することとを行うように構成された処理モジュール
を含む。
【００９７】
別の可能な実装形態では、端末は、
トランシーバと、プロセッサと、バスとを含み、ここで、
トランシーバは、バスを使用することによってプロセッサに接続され、
プロセッサは、端末が現在のソースサービングセルに接続されるとき、現在のソースサービングセルの第１の品質パラメータを取得するステップと、第１の品質パラメータが第１のプリセットされたしきい値よりも小さい場合、測定セルのセットを決定するステップと、各対応する第２の品質パラメータを取得するために測定セルのセット中の各測定セルを測定するステップと、第２の品質パラメータに基づいてターゲットサービングセルを決定するステップとを実行する。
【００９８】
第８の態様によれば、本出願の一実施形態は、コンピュータ記憶媒体を提供し、コンピュータ記憶媒体は、プログラムコードを記憶し、プログラムコードは、上記の第１の態様における方法を実行するように命令するために使用される。
【発明の効果】
【００９９】
上記の技術的解決策から、本出願の実施形態が以下の利点を有することが知られ得る。端末が現在のソースサービングセルに接続され、現在のソースサービングセルの第１の品質パラメータが第１のプリセットされたしきい値よりも小さいことを端末が知る場合、端末は、ターゲットサービングセルを決定するために測定セルを測定し得、ターゲットサービングセルを決定するための基地局に測定報告を繰り返し報告せず、それによって、報告回数の量を低減し、端末の電力消費量をさらに低減する。
【図面の簡単な説明】
【０１００】
【図１】本出願の一実施形態による、ネットワークシステムのフレームワークの概略図である。
【図２】本出願の一実施形態による、データ処理方法の一実施形態の概略図である。
【図３】本出願の一実施形態による、データ処理方法の別の実施形態の概略図である。
【図４】本出願の一実施形態による、データ処理方法の別の実施形態の概略図である。
【図５】本出願の一実施形態による、データ処理方法の別の実施形態の概略図である。
【図６】本出願の一実施形態による、データ処理方法の別の実施形態の概略図である。
【図７】本出願の一実施形態による、データ処理方法の別の実施形態の概略図である。
【図８】本出願の一実施形態による、データ処理方法の別の実施形態の概略図である。
【図９】本出願の一実施形態による、データ処理方法の別の実施形態の概略図である。
【図１０】本出願の一実施形態による、データ処理方法の別の実施形態の概略図である。
【図１１】本出願の一実施形態による、データ処理方法の別の実施形態の概略図である。
【図１２】本出願の一実施形態による、データ処理方法の別の実施形態の概略図である。
【図１３】本出願の一実施形態による、データ処理方法の別の実施形態の概略図である。
【図１４】本出願の一実施形態による、データ処理方法の別の実施形態の概略図である。
【図１５】本出願の一実施形態による、データ処理方法の別の実施形態の概略図である。
【図１６】本出願の一実施形態による、データ処理方法の別の実施形態の概略図である。
【図１７】本出願の一実施形態による、データ処理方法の別の実施形態の概略図である。
【図１８】本出願の一実施形態による、データ処理方法の別の実施形態の概略図である。
【図１９】本出願の一実施形態による、データ処理方法の別の実施形態の概略図である。
【図２０】本出願の一実施形態による、データ処理方法の別の実施形態の概略図である。
【図２１】本出願の一実施形態による、データ処理方法の別の実施形態の概略図である。
【図２２】本出願の一実施形態による、データ処理方法の別の実施形態の概略図である。
【図２３】本出願の一実施形態による、セルを取得する方法の一実施形態の概略図である。
【図２４】本出願の一実施形態による、端末の一実施形態の概略図である。
【図２５】本出願の一実施形態による、端末の別の実施形態の概略図である。
【発明を実施するための形態】
【０１０１】
以下は、本出願の実施形態における添付の図面を参照しながら本出願の実施形態における技術的解決策について明確に完全に説明する。明らかに、説明する実施形態は、本出願の実施形態の全部ではなく一部にすぎない。創造的な取り組みなしに本出願の実施形態に基づいて当業者によって取得されるすべての他の実施形態は、本出願の保護範囲内に入るものとする。
【０１０２】
本出願の明細書、特許請求の範囲、および添付の図面では、「第１の」、「第２の」、「第３の」、「第４の」など（存在する場合）という用語は、同様の物体を区別するよう意図されたものであるが、必ずしも特定の順序またはシーケンスを示すとは限らない。本明細書で説明する本発明の実施形態が、本明細書に示し記載する順序とは別の順序で実装され得るように、そのような方法で使用されるデータは、適切な状況では交換可能であることを理解されたい。さらに、「含む」、「含んでいる」という用語、および任意の他の変形は非排他的な包含をカバーすることを意味し、たとえば、ステップまたはユニットのリストを含むプロセス、方法、システム、製品、またはデバイスは、必ずしもそれらのステップまたはユニットに限定されるとは限らず、そのような処理、方法、製品、またはデバイスに明示的にリストされていないまたはそれに固有のものでない他のステップまたはユニットを含み得る。
【０１０３】
図１に示すネットワークシステムは、基地局と、端末と、コアネットワークデバイスとを含む。ネットワークシステムは、複数の基地局と、複数のコアネットワークデバイスと、複数の端末とを含み得る。基地局とコアネットワークデバイスとはＳ１インターフェースを通してデータを転送し、１つの基地局と別の基地局とは、Ｘ２インターフェースを通してデータを転送し、端末は、基地局を通してコアネットワークデバイスとデータを転送する。端末は、アイドルモードでセルを再選択し得、または接続モードでセルを変更し得る。どちらの場合も、端末は、ソースサービングセルに対応する基地局を通してコアネットワークとデータをもはや交換しない。代わりに、端末は、ターゲットサービングセルに対応する基地局を通してコアネットワークとデータを交換する。
【０１０４】
現在、３ＧＰＰ規格団体は、新しいエアインターフェースを設計し、狭帯域技術の特徴を十分に使用することによってセルラーネットワークベースのＩｏＴサービスを研究している。このタイプのＩｏＴは、狭帯域モノのインターネットと呼ばれる。ＮＢ−ＩｏＴは、主に、低モビリティの端末および用途をターゲットにしており、アイドルモードでモビリティ機能のみを実装する。しかしながら、モバイルのモノのインターネットの要件も重要な要件であり、したがって、接続モードでのモビリティを解決する必要がある。現在、接続モードでＮＢ−ＩｏＴのモビリティを実装するために、ＬＴＥハンドオーバプロシージャが、通常、ＮＢ−ＩｏＴに適用される。しかしながら、ＮＢ−ＩｏＴが、パケットデータコンバージェンスプロトコル層（英語の名称：Ｐａｃｋｅｔ  Ｄａｔａ  Ｃｏｎｖｅｒｇｅｎｃｅ  Ｐｒｏｔｏｃｏｌ、略して、ＰＤＣＰ）を含まないので、ＮＢ−ＩｏＴは、制御プレーン上でデータを送信することができず、さらに、端末がターゲット基地局にアクセスした後、端末は、ハンドオーバの前に完了されなかったダウンリンクデータを完全に受信することができない。
【０１０５】
この問題を解決するために、本出願の実施形態は、以下の技術的解決策を提供する。コアネットワークデバイスは、端末がセルの変更を完了したか、または端末がセルの再選択を完了したことを示すために使用される第１の指示メッセージを取得し、コアネットワークデバイスは、端末がセルの変更またはセルの再選択を完了した後に端末に接続されたターゲット基地局を通して端末にダウンリンクデータを送る。
【０１０６】
詳細には、以下のいくつかの実施形態に言及する。図２から図１２は、端末がアセルを再選択するときに使用されるデータ処理方法であり、図１３から図２２は、端末がセルの変更を行うときに使用されるデータ処理方法である。
【０１０７】
詳細には、図２を参照すると、この実施形態では、端末はセルを再選択し、コアネットワークデバイスはデータを転送する。ソース基地局とターゲット基地局とは、１つのコアネットワークデバイスを共有する。
【０１０８】
２０１．コアネットワークデバイスは、ダウンリンクデータを記憶し、第１のタイマーを開始する。
【０１０９】
ソース基地局にダウンリンクデータを送るとき、コアネットワークデバイスは送られたダウンリンクデータを記憶し、第１のタイマーを開始する。
【０１１０】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。ソース基地局にＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。もちろん、ＭＭＥは、データパケット１を送った後にタイマー１を開始し、データパケット２を送った後にタイマー２を開始し、以下同様であり得る。これらのタイマーの値は、同じであることも異なることもある。さらに、ＭＭＥは、代替として、５つのパケットを送った後に１つのタイマーを開始し得る。特定の使用形態は限定されない。
【０１１１】
２０２．ターゲット基地局は、コアネットワークデバイスに第１の指示メッセージを送り、ここで、第１の指示メッセージは、端末がセルの再選択を完了したことを示すために使用される。
【０１１２】
端末がセルを再選択し、端末が、ターゲット基地局に正常に接続された後、ターゲット基地局は、端末がセルの再選択を完了したことをコアネットワークデバイスに通知するためにコアネットワークデバイスに第１の指示メッセージを送る。
【０１１３】
この実施形態では、端末をターゲット基地局に接続する必要がある場合、ＲＲＣ接続確立要求またはＲＲＣ接続再確立要求などの情報中に、端末は、ターゲット基地局に端末を接続することの理由をさらに追加し得る。たとえば、現在接続を確立することの理由がセルの再選択であることが示され得、または現在接続を確立することの理由が、ネットワークの切断であり、データを再接続する必要であることが示され得、または現在接続を確立することの理由がセルの変更であることが示され得る。本明細書では、特定の理由は限定されない。詳細には、ＮＢ−ＩｏＴでは２つのデータ送信の解決策がある。１つは、制御プレーン送信に基づき、もう１つは、ユーザプレーン送信に基づく。制御プレーンの解決策の場合、ターゲット基地局への接続を確立するとき、端末は、セルの再選択または別の理由値を搬送するＲＲＣ接続確立要求を開始し得る。接続確立要求を受信した後に、基地局は、端末にＲＲＣ接続確立メッセージを送り、端末は、基地局にＲＲＣ接続確立完了メッセージを返信する。
【０１１４】
データがユーザプレーンを使用することによって送信される解決策では、端末は、セルの再選択または別の理由値を搬送するためにＲＲＣ接続再確立要求を送り得る。接続確立要求を受信した後に、基地局は、端末にＲＲＣ接続再確立メッセージを送り、端末は、基地局にＲＲＣ接続再確立完了メッセージを返信する。
【０１１５】
端末へのＲＲＣ接続を確立した後に、基地局は、コアネットワークデバイスに初期ＵＥメッセージまたは経路切替えメッセージを送り、ここで、メッセージは、端末によって接続を確立することの理由値をも搬送する。次いで、コアネットワークは、接続を確立することの特定の理由について知る。
【０１１６】
詳細には、制御プレーン送信解決策では、無線リンク障害が発生し、端末が、コアネットワークデバイスから受信されるべきであるダウンリンク肯定応答メッセージを依然として有する場合、端末は、ＮＡＳ層を通知し得、ＮＡＳ層は、接続を再開することを決める。端末は、ターゲット基地局にＲＲＣ接続確立要求を送り、ＲＲＣ接続確立要求は、現在接続を確立することが、肯定応答メッセージまたは別の理由がコアネットワーク側から受信される必要があるという理由であることを示す理由値を搬送する。ターゲット基地局は、初期ＵＥメッセージを使用することによってコアネットワークにメッセージを送り得る。したがって、コアネットワークは、接続を確立することの理由を知る。
【０１１７】
代替として、このシナリオでは、端末によって送られるＲＲＣ接続確立要求中で搬送される理由値はＭＴであり、端末がＲＲＣ接続確立要求を送るとき、接続を確立することの理由を示す１つの情報要素がサービス要求メッセージに追加される。さらに、理由は、初期ＵＥメッセージを使用することによって基地局によってコアネットワークに送られる。したがって、コアネットワークは、接続を確立することの理由を知る。
【０１１８】
代替として、このシナリオでは、端末は、トラッキングエリア更新プロシージャを開始する。
【０１１９】
さらに、実際の適用例では、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【０１２０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０１２１】
この実施形態では、第１のタイマーが満了した後にターゲット基地局がコアネットワークデバイスに第１の指示メッセージを送らない場合、それは、端末がターゲット基地局に接続することに失敗したことを示すか、または、端末が第１のタイマーの稼働期間中にセルを再選択せず、コアネットワークデバイスは、記憶されたダウンリンクデータを削除し得る。たとえば、ＭＭＥが５つのデータパケットを記憶した１０秒後に、ＭＭＥが、ターゲット基地局によって送られた、端末がセルの再選択を完了したことを示すメッセージを受信しない場合、ＭＭＥは、５つのデータパケットを削除する。
【０１２２】
２０３．コアネットワークデバイスは、ターゲット基地局にダウンリンクデータを送る。
【０１２３】
コアネットワークデバイスは、ターゲット基地局に記憶されたダウンリンクデータを送る。
【０１２４】
この実施形態では、ターゲット基地局への端末による接続を確立する処理中に、端末は、ダウンリンクデータを受信するステータスをさらにフィードバックし得る。端末は、以下の方式で、ダウンリンクデータを受信するステータスをフィードバックし得る。たとえば、端末がダウンリンクデータを完全に受信していなかった場合、端末はフィードバック情報を送る。端末がダウンリンクデータを完全に受信していた場合、端末はフィードバック情報を送らない。もちろん、反対に、端末がダウンリンクデータを完全に受信していなかった場合、端末はフィードバック情報を送らない。端末がダウンリンクデータを完全に受信していた場合、端末はフィードバック情報を送る。フィードバック情報は、ＲＲＣ接続確立要求シグナリングまたはＲＲＣ接続確立完了シグナリング中で搬送され得る。ターゲット基地局がフィードバック情報を受信した後、ターゲット基地局は、コアネットワークデバイスに送られる初期端末情報初期ＵＥメッセージまたはデータ経路切替え経路切替えメッセージにフィードバック情報を、すなわち、端末がダウンリンクデータを完全に受信したこともしくは端末がダウンリンクデータを完全に受信しなかったことをコアネットワークデバイスに通知するために、さらに追加し得る。端末がダウンリンクデータを完全に受信したことをフィードバック情報が示す場合、コアネットワークデバイスはダウンリンクデータを削除し得る。端末がダウンリンクデータを完全に受信していなかったことをフィードバック情報が示す場合、コアネットワークデバイスは、ターゲット基地局を通して再び端末にダウンリンクデータを送る。本明細書では、特定のフィードバック方式およびフィードバック情報を送る方式は限定されない。
【０１２５】
この実施形態では、端末は、端末が５つのデータパケットを受信したのかどうかを決定し得る。端末が、データパケット１、データパケット２、データパケット３、データパケット４、およびデータパケット５の５つのデータパケットを完全に受信する場合、端末は、端末が５つのデータパケットを完全に受信したことをターゲット基地局を通してコアネットワークデバイスにフィードバックし得る。この場合、コアネットワークデバイスは、ターゲット基地局を通して再び端末に５つのデータパケットを送る必要がない。端末が、データパケット１、データパケット２、およびデータパケット３の３つのデータパケットしか受信しないことを端末が決定する場合、端末は、端末が５つのデータパケットを完全に受信しなかったことをターゲット基地局を通してコアネットワークデバイスにフィードバックし得る。この場合、端末は、受信したデータパケット１、データパケット２、およびデータパケット３を削除し、ターゲット基地局を通して端末にコアネットワークデバイスによって送られるデータパケット１、データパケット２、データパケット３、データパケット４、およびデータパケット５の５つのデータパケットを再受信し得る。端末が、データパケット１、データパケット２、およびデータパケット３の３つのデータパケットしか受信しないことを端末が決定する場合、端末は、コアネットワークデバイスに受信したデータパケットのシーケンス番号またはインデックス値をフィードバックし得る。コアネットワークデバイスは、最初の３つの記憶されたパケットを削除し、ターゲット基地局を通して第４のパケットと第５のパケットとを送り得る。コアネットワークデバイスが１つのデータパケットしか送らず、端末が、データパケットを完全に受信しない場合、端末は、ネットワーク側にフィードバックを送り、完全に受信されていないＮＡＳパケットを削除し、ＭＭＥは、ターゲット基地局を通して再びＮＡＳパケットを送る。詳細には、ＵＥは、ＮＡＳパケットを受信し、それぞれのデータのシーケンス番号に基づいて、どのパケットが受信されたのかを知り得、パケットのシーケンス番号をフィードバックし得るか、または何個のＮＡＳパケットが現在の接続で受信されたのかをフィードバックし得る。特定の形態は限定されない。
【０１２６】
２０４．ターゲット基地局は、端末にダウンリンクデータを送る。
【０１２７】
ターゲット基地局は、端末にダウンリンクデータを転送する。
【０１２８】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。さらに、アップリンクデータを送るとき、端末は、アップリンクデータがＮＡＳシグナリングであるのかまたはＮＡＳデータであるのかをさらに示し得る。さらに、データを送るとき、端末は、アップリンクデータパケットのＮＡＳカウントをさらに送り得る。セルの再選択、セルのハンドオーバ、またはセルの変更を行うなどの場合、基地局は、ターゲット基地局に正しく受信したが、順が狂ったデータパケットとシーケンス番号とを転送し得、端末は、ターゲット基地局に、受信について肯定応答されていないＮＡＳカウント値に対応するＮＡＳパケットを送り得る。
【０１２９】
この実施形態では、コアネットワークデバイスは、端末のためのダウンリンクデータを記憶する。次いで、端末がソース基地局からターゲット基地局にハンドオーバされた後、コアネットワークデバイスは、端末に記憶されたダウンリンクデータを送る。このようにして、再選択処理中にダウンリンクデータが喪失されないことが保証され得、データの連続性がさらに保証される。
【０１３０】
詳細には、図３を参照すると、この実施形態では、端末はセルを再選択し、コアネットワークデバイスはデータを転送する。ソース基地局とターゲット基地局とは、異なるコアネットワークデバイスに接続される。
【０１３１】
３０１．ソースコアネットワークデバイスは、ダウンリンクデータを記憶し、第１のタイマーを開始する。
【０１３２】
ソース基地局を通して端末にダウンリンクデータを送るとき、ソースコアネットワークデバイスは送られたダウンリンクデータを記憶し、第１のタイマーを開始する。
【０１３３】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。セルの再選択の前に、ソース基地局にソースＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。
【０１３４】
３０２．ターゲット基地局は、ターゲットコアネットワークデバイスに第１の命令を送る。
【０１３５】
端末がターゲット基地局への接続を確立するとき、ソース基地局に関する情報およびソースコアネットワークデバイスに関する情報などのコンテンツ、たとえば、ＧＵＴＩが、ＲＲＣ接続確立要求、ＲＲＣ接続再確立要求、ＲＲＣ接続確立完了メッセージ、およびＲＲＣ再確立完了メッセージなどのメッセージ中で搬送される。ターゲット基地局は、ターゲットコアネットワークデバイスに関連情報を搬送するコンテンツを転送する。ターゲットコアネットワークデバイスにターゲット基地局によって送られるメッセージは第１の命令と見なされ得、命令は、コアネットワークがデータを取得すべきであるのかどうかを示し得る。データが取得される必要がある場合、命令は、ターゲットコアネットワークデバイスがソースコアネットワークデバイスにダウンリンクデータを要求する必要があることを示す。
【０１３６】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０１３７】
３０３．ターゲットコアネットワークデバイスは、ソースコアネットワークデバイスにデータ送信チャネル作成要求を送る。
【０１３８】
ターゲットコアネットワークデバイスは、ソースコアネットワークデバイスにデータ送信チャネル作成要求を送る。
【０１３９】
この実施形態では、データ送信チャネル作成要求は、データ転送トンネル作成要求であり得る。本明細書では、特定のシグナリングは限定されない。
【０１４０】
３０４．ソースコアネットワークデバイスは、ターゲットコアネットワークデバイスにデータ送信チャネル作成応答を送る。
【０１４１】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０１４２】
この実施形態では、データ送信チャネル作成応答は、データ転送トンネル作成応答であり得る。本明細書では、特定のシグナリングは限定されない。
【０１４３】
３０５．ソースコアネットワークデバイスは、ターゲットコアネットワークデバイスにダウンリンクデータを送る。
【０１４４】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０１４５】
３０６．ターゲットコアネットワークデバイスは、ターゲット基地局にダウンリンクデータを送る。
【０１４６】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０１４７】
３０７．ターゲット基地局は、端末にダウンリンクデータを送る。
【０１４８】
ターゲット基地局がターゲットコアネットワークデバイスによって送られたダウンリンクデータを受信した後、ターゲット基地局は、端末にダウンリンクデータを送る。
【０１４９】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的におよび継続的に受信したデータパケットを送り得る。
【０１５０】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１５１】
詳細には、図４を参照すると、この実施形態では、端末はセルを再選択し、コアネットワークデバイスはデータを転送する。ソース基地局とターゲット基地局とは、異なるコアネットワークデバイスに接続される。
【０１５２】
ステップ４０１からステップ４０３は、ステップ３０１からステップ３０３と同じであり、本明細書では、詳細は再び説明されない。
【０１５３】
４０４．ソースコアネットワークデバイスは、ターゲットコアネットワークデバイスにダウンリンクデータを搬送するデータ送信チャネル作成応答を送る。
【０１５４】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０１５５】
この実施形態では、データ送信チャネル作成応答は、データ転送トンネル作成応答であり得る。本明細書では、特定のシグナリングは限定されない。
【０１５６】
ステップ４０５およびステップ４０６は、ステップ３０６およびステップ３０７と同じであり、本明細書では、詳細は再び説明されない。
【０１５７】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１５８】
詳細には、図５を参照すると、この実施形態では、端末はセルを再選択し、コアネットワークデバイスはデータを転送する。ソース基地局とターゲット基地局とは、異なるコアネットワークデバイスに接続される。
【０１５９】
ステップ５０１およびステップ５０２は、ステップ３０１およびステップ３０２と同じであり、本明細書では、詳細は再び説明されない。
【０１６０】
５０３．ターゲットコアネットワークデバイスは、ソースコアネットワークデバイスにコンテキスト情報およびデータ要求を送る。
【０１６１】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０１６２】
この実施形態では、コンテキスト情報およびデータ要求メッセージは、コンテキストおよびデータ要求であり得る。本明細書では、特定のシグナリングは限定されない。
【０１６３】
５０４．ソースコアネットワークデバイスは、ターゲットコアネットワークデバイスにダウンリンクデータを搬送するコンテキスト情報およびデータ応答を送る。
【０１６４】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０１６５】
この実施形態では、コンテキスト情報およびデータ応答は、コンテキストおよびデータ応答であり得る。本明細書では、特定のシグナリングは限定されない。
【０１６６】
ステップ５０５およびステップ５０６は、ステップ３０６およびステップ３０７と同じであり、本明細書では、詳細は再び説明されない。
【０１６７】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１６８】
詳細には、図６を参照すると、この実施形態では、端末はセルを再選択し、コアネットワークデバイスはデータを転送する。ソース基地局とターゲット基地局とは、同じコアネットワークデバイスに接続される。
【０１６９】
６０１．端末は、ソース基地局に指示シグナリングを送り、ここで、指示シグナリングは、端末がセルを再選択しようとしていることを示すために使用される。
【０１７０】
セルを再選択する前に、端末は、ソース基地局に指示シグナリングを送り、ここで、指示シグナリングは、端末がセルを再選択しようとしていることをソース基地局に通知するために使用される。
【０１７１】
この実施形態では、指示シグナリングは、セルの再選択の指示、Ｓ−ＴＭＳＩ、およびターゲット基地局などの情報を搬送する。情報は、ＲＲＣ接続確立要求またはＲＲＣ接続再確立要求などのＲＲＣメッセージに付加され得る。情報は、代替として、ＵＬ情報転送などのＮＡＳメッセージに取り付けられ得る。ＭＭＥは、この実施形態では一例として使用される。すなわち、情報は、ＮＡＳ層において通知メッセージとして使用され、ＲＲＣシグナリング中で搬送され得、またはフィールドは、セルの再選択を通知するためにＲＲＣメッセージに追加され得る。
【０１７２】
６０２．ソース基地局は、コアネットワークデバイスに通知メッセージを送り、ここで、通知メッセージは、端末がセルを再選択しようとしていることを示すために使用される。
【０１７３】
ソース基地局が端末によって送られた指示シグナリングを受信した後、ソース基地局は、コアネットワークデバイスに、端末がセルを再選択しようとしていることをコアネットワークデバイスに通知するために使用される通知メッセージを送る必要がある。
【０１７４】
この実施形態では、通知メッセージは、ＵＬ  ＮＡＳトランスポートシグナリングまたは別のＳ１−ＡＰメッセージであり得る。詳細には、ＮＡＳ層におけるメッセージが、コアネットワークを通知するためにＳ１−ＡＰメッセージ中で搬送され得、またはフィールドが、コアネットワークを示すためにＳ１−ＡＰメッセージまたはシグナリングに直接追加され得る。本明細書では、特定のシグナリングは限定されない。
【０１７５】
６０３．コアネットワークデバイスは、ソース基地局にダウンリンクデータを送るのを止め、第２のタイマーを開始する。
【０１７６】
端末がセルを再選択しようとしていることをコアネットワークデバイスが知った後、コアネットワークデバイスは、第２のタイマーを開始し、コアネットワークデバイスは、ソース基地局にダウンリンクデータを送るのを止める。
【０１７７】
この実施形態では、第１のタイマーの稼働持続時間は事前構成され、本明細書では、特定の持続時間は限定されない。実際の適用例では、ＭＭＥは、ソース基地局にデータパケット１、データパケット２、データパケット３、データパケット４、およびデータパケット５の５つのデータパケットを送るのを止める。
【０１７８】
６０４．ターゲット基地局は、コアネットワークデバイスに第１の指示メッセージを送り、ここで、第１の指示メッセージは、端末がセルの再選択を完了したことを示すために使用される。
【０１７９】
端末が、ターゲット基地局に正常に接続された後、ターゲット基地局は、端末がセルの再選択を完了したことをコアネットワークデバイスに通知するためにコアネットワークデバイスに第１の指示メッセージを送る。
【０１８０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０１８１】
この実施形態では、第２のタイマーが満了した後にターゲット基地局がコアネットワークデバイスに第１の指示メッセージを送らない場合、それは、端末がターゲット基地局に接続することに失敗したことを示す。この場合、端末は、ソース基地局にダウンリンクデータを送ることを再開する。たとえば、第２のタイマーが満了した後、ターゲット基地局によって送られ、端末がセルの再選択を完了したことを示すメッセージをＭＭＥが受信しない場合、ＭＭＥは、ソース基地局にデータパケット１、データパケット２、データパケット３、データパケット４、およびデータパケット５の５つのデータパケットを再び送り始める。
【０１８２】
６０５．コアネットワークデバイスは、ターゲット基地局にダウンリンクデータを送る。
【０１８３】
第１の指示情報を受信した後に、コアネットワークデバイスは、ターゲット基地局に、送られていないダウンリンクデータを送る。
【０１８４】
６０６．ターゲット基地局は、端末にダウンリンクデータを送る。
【０１８５】
ターゲット基地局は、端末にダウンリンクデータを転送する。
【０１８６】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０１８７】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１８８】
詳細には、図７を参照すると、この実施形態では、端末はセルを再選択し、コアネットワークデバイスはデータを転送する。ソース基地局とターゲット基地局とは、異なるコアネットワークデバイスに接続される。
【０１８９】
ステップ７０１とステップ６０１とは同じであり、本明細書では、詳細は再び説明されない。
【０１９０】
７０２．ソース基地局は、ソースコアネットワークデバイスに通知メッセージを送り、ここで、通知メッセージは、端末がセルを再選択しようとしていることを示すために使用される。
【０１９１】
ソース基地局が端末によって送られた指示シグナリングを受信した後、ソース基地局は、ソースコアネットワークデバイスに、端末がセルを再選択しようとしていることをソースコアネットワークデバイスに通知するために使用される通知メッセージを送る必要がある。
【０１９２】
この実施形態では、通知メッセージは、ＵＬ  ＮＡＳトランスポートシグナリングまたは別のＳ１−ＡＰメッセージであり得る。本明細書では、特定のシグナリングは限定されない。
【０１９３】
７０３．ソースコアネットワークデバイスは、ソース基地局にダウンリンクデータを送るのを止め、第２のタイマーを開始する。
【０１９４】
端末がセルを再選択しようとしていることをソースコアネットワークデバイスが知った後、ソースコアネットワークデバイスは、第２のタイマーを開始し、ソースコアネットワークデバイスは、ソース基地局にダウンリンクデータを送るのを止める。
【０１９５】
この実施形態では、第１のタイマーの稼働持続時間は事前構成され、本明細書では、特定の持続時間は限定されない。実際の適用例では、ソースＭＭＥは、ソース基地局にデータパケット１、データパケット２、データパケット３、データパケット４、およびデータパケット５の５つのデータパケットを送るのを止める。
【０１９６】
７０４．ターゲット基地局は、ターゲットコアネットワークデバイスに通知命令を送り、ここで、通知命令は、端末がセルの再選択を完了したことを示し、ソースコアネットワークデバイスにデータを要求するようにターゲットコアネットワークデバイスに命令するために使用される。
【０１９７】
端末がターゲット基地局への接続を確立した後、ターゲット基地局は、ターゲットコアネットワークデバイスに通知命令を送り、ここで、通知命令は、端末がセルの再選択を完了したことを示し、ターゲットコアネットワークデバイスがソースコアネットワークデバイスにダウンリンクデータを要求する必要があることをターゲットコアネットワークデバイスに通知するために使用される。
【０１９８】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０１９９】
７０５．ターゲットコアネットワークデバイスは、ソースコアネットワークデバイスにデータ送信チャネル作成要求を送る。
【０２００】
ターゲットコアネットワークデバイスは、ソースコアネットワークデバイスにデータ送信チャネル作成要求を送る。
【０２０１】
この実施形態では、データ送信チャネル作成要求は、データ転送トンネル作成要求であり得る。本明細書では、特定のシグナリングは限定されない。
【０２０２】
７０６．ソースコアネットワークデバイスは、ターゲットコアネットワークデバイスにデータ送信チャネル作成応答を送る。
【０２０３】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０２０４】
この実施形態では、データ送信チャネル作成応答は、データ転送トンネル作成応答であり得る。本明細書では、特定のシグナリングは限定されない。
【０２０５】
７０７．ソースコアネットワークデバイスは、ターゲットコアネットワークデバイスにダウンリンクデータを送る。
【０２０６】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。ターゲットコアネットワークデバイスにデータを転送するとき、ソースコアネットワークデバイスは、最後のパケットを示し得るか、またはデータの転送の終了を示し得る。ターゲット基地局から指示情報を受信した後に、ターゲットコアネットワークデバイスは、Ｓ−ＧＷに経路切替え指示を送り、ターゲットＭＭＥがこれからＵＥのためのデータを転送することを示す。
【０２０７】
７０８．ターゲットコアネットワークデバイスは、ターゲット基地局にダウンリンクデータを送る。
【０２０８】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０２０９】
７０９．ターゲット基地局は、端末にダウンリンクデータを送る。
【０２１０】
ターゲット基地局がターゲットコアネットワークデバイスによって送られたダウンリンクデータを受信した後、ターゲット基地局は、端末にダウンリンクデータを送る。
【０２１１】
実際の適用例では、端末がターゲット基地局への接続を確立した後、ターゲット基地局は、ターゲットコアネットワークデバイスに初期ＵＥメッセージまたは経路切替えメッセージを送る。ターゲットコアネットワークデバイスは、基地局を通して端末によって転送される指示情報を使用することによってソースＭＭＥとソース基地局とに関する情報を取得する。ターゲットコアネットワークデバイスは、ソースコアネットワークデバイスに情報を送り、それにより、端末がターゲットコアネットワークデバイスへの接続を確立したことを示し得る。したがって、ソースコアネットワークデバイスは、データチャネル確立要求またはデータ転送要求を送るようにトリガされ、ターゲットコアネットワークデバイスは、応答メッセージで返答する。次いで、ソースコアネットワークデバイスは、ターゲットコアネットワークデバイスにデータを転送する。端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０２１２】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２１３】
詳細には、図８を参照すると、この実施形態では、端末はセルを再選択し、コアネットワークデバイスはデータを転送する。ソース基地局とターゲット基地局とは、異なるコアネットワークデバイスに接続される。
【０２１４】
ステップ８０１からステップ８０５は、ステップ７０１からステップ７０５と同じであり、本明細書では、詳細は再び説明されない。
【０２１５】
８０６．ソースコアネットワークデバイスは、ターゲットコアネットワークデバイスにダウンリンクデータを搬送するデータ送信チャネル作成応答を送る。
【０２１６】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０２１７】
この実施形態では、データ送信チャネル作成応答は、データ転送トンネル作成応答であり得る。本明細書では、特定のシグナリングは限定されない。
【０２１８】
ステップ８０７およびステップ８０８は、ステップ７０８およびステップ７０９と同じであり、本明細書では、詳細は再び説明されない。
【０２１９】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２２０】
詳細には、図９を参照すると、この実施形態では、端末はセルを再選択し、コアネットワークデバイスはデータを転送する。ソース基地局とターゲット基地局とは、異なるコアネットワークデバイスに接続される。
【０２２１】
ステップ９０１からステップ９０４は、ステップ７０１からステップ７０４と同じであり、本明細書では、詳細は再び説明されない。
【０２２２】
９０５．ターゲットコアネットワークデバイスは、ソースコアネットワークデバイスにコンテキスト情報およびデータ要求を送る。
【０２２３】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０２２４】
この実施形態では、コンテキスト情報およびデータ要求メッセージは、コンテキストおよびデータ要求であり得る。本明細書では、特定のシグナリングは限定されない。
【０２２５】
９０６．ソースコアネットワークデバイスは、ターゲットコアネットワークデバイスにダウンリンクデータを搬送するコンテキスト情報およびデータ応答を送る。
【０２２６】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０２２７】
この実施形態では、コンテキスト情報およびデータ応答は、コンテキストおよびデータ応答であり得る。本明細書では、特定のシグナリングは限定されない。
【０２２８】
ステップ９０７およびステップ９０８は、ステップ７０８およびステップ７０９と同じであり、本明細書では、詳細は再び説明されない。
【０２２９】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２３０】
詳細には、図１０を参照すると、端末はセルを再選択し、コアネットワークデバイスはデータを転送する。ソース基地局とターゲット基地局とは、同じコアネットワークデバイスに接続される。
【０２３１】
ステップ１００１およびステップ１００２は、ステップ６０１およびステップ６０２と同じであり、本明細書では、詳細は再び説明されない。
【０２３２】
１００３．コアネットワークデバイスは、ソース基地局にダウンリンクデータを送り、ターゲット基地局にダウンリンクデータを送り、第３のタイマーを開始する。
【０２３３】
端末がセルを再選択しようとしていることを示すために使用される第１の指示メッセージをコアネットワークデバイスが受信した後、コアネットワークデバイスは、第３のタイマーを開始し得る。さらに、コアネットワークデバイスは、Ｓ１インターフェースを通してターゲット基地局にダウンリンクデータを送り得、コアネットワークデバイスは、依然として、Ｓ１インターフェースを通してソース基地局にダウンリンクデータを送る。
【０２３４】
１００４．ソース基地局は、端末にダウンリンクデータを送り、ターゲット基地局は、端末にダウンリンクデータを送る。
【０２３５】
ターゲット基地局がコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０２３６】
実際の適用例では、コアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送る場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０２３７】
１００５．ターゲット基地局は、コアネットワークデバイスに第１の指示メッセージを送り、ここで、第１の指示メッセージは、端末がセルの再選択を完了したことを示す。
【０２３８】
端末が、ターゲット基地局に正常に接続された後、ターゲット基地局は、端末がセルの再選択を完了したことをコアネットワークデバイスに通知するためにコアネットワークデバイスに第１の指示メッセージを送る。
【０２３９】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０２４０】
この実施形態では、第３のタイマーが満了した後にターゲット基地局がコアネットワークデバイスに第１の指示メッセージを送らない場合、それは、端末がターゲット基地局に接続することに失敗したことを示す。コアネットワークデバイスは、ターゲット基地局にダウンリンクデータを送るのを止め、ソース基地局にコアネットワークデバイスによってダウンリンクデータを送る行為を維持し得る。
【０２４１】
１００６．コアネットワークデバイスは、ソース基地局にダウンリンクデータを送るのを止める。
【０２４２】
端末がセルの再選択を完了したことをコアネットワークデバイスが知った後、コアネットワークデバイスは、ソース基地局にダウンリンクデータを送るのを止める。
【０２４３】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。重複データパケットが発生する場合、データパケットは、処理のためにＮＡＳ層に送られる。
【０２４４】
この実施形態では、端末がセルを再選択しようとしているというメッセージをコアネットワークデバイスが受信した後、コアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０２４５】
詳細には、図１１を参照すると、端末はセルを再選択し、コアネットワークデバイスはデータを転送する。ソース基地局とターゲット基地局とは、異なるコアネットワークデバイスに接続される。
【０２４６】
ステップ１１０１およびステップ１１０２は、ステップ７０１およびステップ７０２と同じであり、本明細書では、詳細は再び説明されない。
【０２４７】
１１０３．ソースコアネットワークデバイスは、ソース基地局にダウンリンクデータを送り、ターゲットコアネットワークデバイスは、ターゲット基地局にダウンリンクデータを送り、第３のタイマーを開始する。
【０２４８】
端末は、ソース基地局を通してソースコアネットワークデバイスに指示情報を送る。指示情報は、特定のＩＤ、セル識別情報などを含むターゲットコアネットワークデバイスとターゲット基地局とに関する情報を含む。ソースコアネットワークデバイスは、情報に基づいてターゲットコアネットワークデバイスを見つけ、データチャネル確立要求を送り、理由を示す。メッセージを受信した後に、ターゲットコアネットワークデバイスは、ターゲット基地局にセルの再選択または変更要求を示すメッセージを送る。ターゲット基地局がセルの再選択または変更に同意することを決める場合、ターゲット基地局は、応答メッセージに対応する構成情報を追加し、ターゲットコアネットワークデバイスに応答メッセージを送る。ターゲット基地局からメッセージを受信した後に、ターゲットコアネットワークデバイスは、データチャネル確立要求肯定応答を返信し、ソースコアネットワークにターゲット基地局によって送られた情報を転送し、端末に情報を送る。ターゲットコアネットワークデバイスから肯定応答メッセージを受信した後に、ソースコアネットワークデバイスは、ターゲットコアネットワークデバイスにダウンリンクデータを転送する。任意選択で、ソースコアネットワークデバイスは、データ送信要求を直接送り得、ターゲットコアネットワークは、応答情報を送る。応答情報は、端末のためのターゲット基地局の関連する構成情報を直接搬送し得る。本明細書では、ＧＴＰプロトコルが使用される。応答情報を受信した後に、ソースコアネットワークデバイスは、シグナリングを使用することによってデータを直接送信する。
【０２４９】
任意選択で、データを受信した後に、ターゲットコアネットワークデバイスは、第３のタイマーを開始し、第３のタイマー内に、ターゲット基地局を通して端末によって送られた情報を受信し、ターゲットコアネットワークデバイスは、ソース基地局にデータを送るのを止めるようにソースコアネットワークデバイスに命令する。第３のタイマーが満了し、ターゲットコアネットワークデバイスが、端末から接続確立情報を依然として受信しない場合、ターゲットコアネットワークデバイスはターゲット基地局にデータを送るのを止め、ターゲット基地局は、関係するデータを削除する。
【０２５０】
１１０４．ソース基地局は、端末にダウンリンクデータを送り、ターゲット基地局は、端末にダウンリンクデータを送る。
【０２５１】
ターゲット基地局がソースコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０２５２】
実際の適用例では、ソースコアネットワークデバイスが上記の方式でデータを送信し、端末がＮＡＳ  ＰＤＵを受信したが、ソース基地局が端末によってフィードバックされた肯定応答情報を受信していないかまたはそれを間違って解析する場合、この場合、ターゲット基地局が再びＮＡＳ  ＰＤＵを送る場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。重複パケットがコアネットワーク側で発生する場合、解決策は同じである。
【０２５３】
１１０５．ターゲット基地局は、ターゲットコアネットワークデバイスに通知命令を送り、シグナリングを取得した後に、ターゲットコアネットワークデバイスは、端末がセルの再選択を完了したことを知る。
【０２５４】
端末が、ターゲット基地局に正常に接続された後、ターゲット基地局は、端末がセルの再選択を完了したことをターゲットコアネットワークデバイスに通知するためにターゲットコアネットワークデバイスに第１の指示メッセージを送る。
【０２５５】
この実施形態では、通知命令は、初期ＵＥメッセージまたはターゲットコアネットワークデバイスにターゲット基地局によって送られる経路切替えメッセージなどのメッセージであり得る。本明細書では、特定のメッセージ形態は限定されない。
【０２５６】
１１０６．ターゲットコアネットワークデバイスは、ソースコアネットワークデバイスに通知メッセージを送り、ここで、通知メッセージは、端末がセルの再選択を完了したことを示すために使用される。
【０２５７】
端末がセルの再選択を完了したことをターゲットコアネットワークデバイスが知った後、ターゲットコアネットワークデバイスは、ソースコアネットワークデバイスに、端末がセルの再選択を完了したことを示す通知メッセージを送る。
【０２５８】
この実施形態では、第３のタイマーが満了した後にターゲット基地局がターゲットコアネットワークデバイスに通知命令を送らない場合、それは、端末がターゲット基地局に接続することに失敗したことを示す。さらに、ターゲットコアネットワークデバイスは、ソースコアネットワークデバイスにも通知メッセージを送らない。このようにして、ソースコアネットワークデバイスは、ターゲット基地局にダウンリンクデータを送るのを止め、ソース基地局にソースコアネットワークデバイスによってダウンリンクデータを送る行為を維持し得る。
【０２５９】
１１０７．ソースコアネットワークデバイスは、ソース基地局にダウンリンクデータを送るのを止め、ターゲット基地局にダウンリンクデータを送る。
【０２６０】
端末がセルの再選択を完了したことをソースコアネットワークデバイスが知った後、ソースコアネットワークデバイスは、ソース基地局にダウンリンクデータを送るのを止め、ターゲット基地局にダウンリンクデータを送るのを止める。
【０２６１】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０２６２】
この実施形態では、端末がセルを再選択しようとしているというメッセージをソースコアネットワークデバイスが受信した後、ソースコアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０２６３】
詳細には、図１２を参照すると、端末はセルを再選択し、基地局側はデータを転送する。
【０２６４】
１２０１．ターゲット基地局は、ソース基地局に指示情報を送り、ここで、指示情報は、端末がセルの再選択を完了したことを示すために使用される。
【０２６５】
端末がターゲット基地局への接続を確立した後、ターゲット基地局は、端末によって送られたソース基地局に関する情報を受信し、ターゲット基地局は、Ｘ２インターフェースを通してソース基地局に関する情報に基づいてソース基地局に端末がセルの再選択を完了したことを示すために使用される指示情報を送り得る。特定のメッセージは、セルの再選択指示であり得る。示すためのフィールドがＲＬＦ指示に追加される。特定のメッセージは限定されない。
【０２６６】
１２０２．ソース基地局は、ターゲット基地局にハンドオーバ要求を送る。
【０２６７】
端末がセルの再選択を完了したことをソース基地局が知った後、ソース基地局は、ターゲット基地局にハンドオーバ要求または別のＸ２メッセージを送る。
【０２６８】
１２０３．ターゲット基地局は、ソース基地局にハンドオーバ肯定応答メッセージを送る。
【０２６９】
ターゲット基地局がソース基地局からハンドオーバ要求を受信した後、ターゲット基地局は、ソース基地局にハンドオーバ肯定応答メッセージまたは別のＸ２メッセージを送り得る。このようにして、ターゲット基地局とソース基地局との間で、ハンドオーバシグナリングが、ターゲット基地局とソース基地局との間の接続シグナリングとして使用される。
【０２７０】
１２０４．ソース基地局は、ターゲット基地局にダウンリンクデータを送る。
【０２７１】
ソース基地局は、基地局間のＸ２インターフェースを通してターゲット基地局にダウンリンクデータを送る。
【０２７２】
さらに、実際の適用例では、データがターゲット基地局とソース基地局との間で転送されるとき、ターゲット基地局とソース基地局とは、データ転送のためにハンドオーバ要求に情報要素を追加し得る。情報要素の名前は、ＮＡＳ  ＰＤＵのためのデータ転送であり得る。代替として、ターゲット基地局とソース基地局とは、ダウンリンクデータ転送が追加される１つのＸ２−ＡＰシグナリングを使用する。情報要素の名前はＤＬデータ転送であり得る。代替として、ターゲット基地局にハンドオーバ要求コマンド（ハンドオーバ要求）を送るときに、ソース基地局は、ハンドオーバ要求に、ターゲットコアネットワークデバイスに送られるべきデータがあることを示すために使用される情報要素を追加し、ターゲット基地局によって送られたハンドオーバ肯定応答メッセージを受信した後に、ソース基地局は、ターゲット基地局にデータ転送シグナリングをさらに送る。この場合、シグナリングは、ＮＡＳ  ＰＤＵのためのデータ転送であり得る情報要素を含む。代替として、ターゲット基地局は、ＳＲＢ１に対応するＸ２ベアラを確立し、ＥＰＳベアラに対応する新しいＥ−ＲＡＢと、Ｅ−ＲＡＢのデータを搬送するために使用されるトンネルとを確立する。トンネルを確立した後に、ターゲット基地局は、ソース基地局に対応するトンネルアドレスを送り、したがって、ソース基地局は、トンネルを通してターゲット基地局にデータを転送する。ソース基地局がターゲット基地局にダウンリンクデータを送る複数の方式があり得る。本明細書では、これは限定されない。さらに、データ転送を完了した後に、ソース基地局は、最後のパケットを示すか、またはターゲット基地局にデータ送信の終了を示す。このようにして、ターゲット基地局は、最初に、端末またはコアネットワークにソース基地局によって送られたデータを送り、次いで、コアネットワークまたは端末から取得された新しいデータを送り、それにより、順が狂う場合を回避し得る。
【０２７３】
１２０５．ターゲット基地局は、端末にダウンリンクデータを送る。
【０２７４】
ターゲット基地局は、ソース基地局から端末に、取得されたダウンリンクデータを送る。
【０２７５】
実際の適用例では、ソース基地局からターゲット基地局によって取得されたデータが順々に送られ得ることを保証するために、ソース基地局からデータを取得した後に、ターゲット基地局は、ダウンリンクデータを受信するためにターゲットコアネットワークデバイスとシグナリングを交換する。代替として、ターゲット基地局は、最初に、ソース基地局から取得されたダウンリンクデータを送り、次いで、ターゲットコアネットワークデバイスによって送られたダウンリンクデータを受信する。本明細書では、特定の方式は限定されない。
【０２７６】
この実施形態では、データは、ソース基地局とターゲット基地局との間で送信され、それにより、再選択処理中にダウンリンクデータが喪失されないことを保証し、さらに、データの連続性を保証する。
【０２７７】
詳細には、図１３を参照すると、端末はセルの変更を行い、コアネットワークデバイスはデータを転送する。ソース基地局とターゲット基地局とは、同じコアネットワークデバイスに接続される。
【０２７８】
１３０１．コアネットワークデバイスは、ダウンリンクデータを記憶し、第１のタイマーを開始する。
【０２７９】
ソース基地局を通して端末にダウンリンクデータを送るとき、コアネットワークデバイスは送られたダウンリンクデータを記憶し、第１のタイマーを開始する。
【０２８０】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。セルの再選択の前に、ソース基地局にＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。
【０２８１】
１３０２．ターゲット基地局は、コアネットワークデバイスに第１の指示メッセージを送り、ここで、第１の指示メッセージは、端末がセルの変更を完了したことを示すために使用される。
【０２８２】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０２８３】
この実施形態では、端末がターゲット基地局に接続される必要がある場合、ＲＲＣ接続確立要求またはＲＲＣ接続再確立要求などの情報中に、端末は、ターゲット基地局に端末を接続することの理由をさらに追加し得る。たとえば、現在接続を確立することの理由がセルの再選択であることが示され得、または現在接続を確立することの理由が、ネットワークの切断であり、データを再接続する必要であることが示され得、または現在接続を確立することの理由がセルの変更であることが示され得る。本明細書では、特定の理由は限定されない。詳細には、ＮＢ−ＩｏＴでは２つのデータ送信の解決策がある。１つは、制御プレーン送信に基づき、もう１つは、ユーザプレーン送信に基づく。制御プレーンの解決策の場合、ターゲット基地局への接続を確立するとき、端末は、セルの再選択または別の理由値を搬送するＲＲＣ接続確立要求を開始し得る。接続確立要求を受信した後に、基地局は、端末にＲＲＣ接続確立メッセージを送り、端末は、基地局にＲＲＣ接続確立完了メッセージを返信する。
【０２８４】
データがユーザプレーンを使用することによって送信される解決策では、端末は、セルの再選択または別の理由値を搬送するためにＲＲＣ接続再確立要求を送り得る。接続確立要求を受信した後に、基地局は、端末にＲＲＣ接続再確立メッセージを送り、端末は、基地局にＲＲＣ接続再確立完了メッセージを返信する。
【０２８５】
端末へのＲＲＣ接続を確立した後に、基地局は、コアネットワークデバイスに初期ＵＥメッセージまたは経路切替えメッセージを送り、ここで、メッセージは、端末によって接続を確立することの理由値をも搬送する。したがって、コアネットワークは、接続を確立することの特定の理由について知る。
【０２８６】
詳細には、制御プレーン送信解決策では、無線リンク障害が発生し、端末が、コアネットワークデバイスから受信されるべきであるダウンリンク肯定応答メッセージを依然として有する場合、端末は、ＮＡＳ層を通知し得、ＮＡＳ層は、接続を再開することを決める。端末は、ターゲット基地局にＲＲＣ接続確立要求を送り、ＲＲＣ接続確立要求は、現在接続を確立することが、肯定応答メッセージまたは別の理由をコアネットワーク側から受信する必要があるという理由であることを示す理由値を搬送する。ターゲット基地局は、初期ＵＥメッセージを使用することによってコアネットワークにメッセージを送り得る。したがって、コアネットワークは、接続を確立することの理由を知る。
【０２８７】
代替として、このシナリオでは、端末によって送られるＲＲＣ接続確立要求中で搬送される理由値はＭＴであり、端末がＲＲＣ接続確立要求を送るとき、接続を確立することの理由を示す１つの情報要素がサービス要求メッセージに追加される。さらに、理由は、初期ＵＥメッセージを使用することによって基地局によってコアネットワークに送られる。したがって、コアネットワークは、接続を確立することの理由を知る。
【０２８８】
代替として、このシナリオでは、端末は、トラッキングエリア更新プロシージャを開始する。
【０２８９】
さらに、実際の適用例では、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【０２９０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０２９１】
この実施形態では、第１のタイマーが満了した後にターゲット基地局がコアネットワークデバイスに第１の指示メッセージを送らない場合、それは、端末がターゲット基地局に接続することに失敗したことを示すか、または、端末が第１のタイマーの稼働期間中にセルを再選択せず、コアネットワークデバイスは、記憶されたダウンリンクデータを削除し得る。たとえば、ＭＭＥが５つのデータパケットを記憶した１０秒後に、ＭＭＥが、ターゲット基地局によって送られた、端末がセルの再選択を完了したことを示すメッセージを受信しない場合、ＭＭＥは、５つのデータパケットを削除する。
【０２９２】
１３０３．コアネットワークデバイスは、ターゲット基地局にダウンリンクデータを送る。
【０２９３】
コアネットワークデバイスは、ターゲット基地局に記憶されたダウンリンクデータを送る。
【０２９４】
この実施形態では、ターゲット基地局への端末による接続を確立する処理中に、端末は、ダウンリンクデータを受信するステータスをさらにフィードバックし得る。端末は、以下の方式で、ダウンリンクデータを受信するステータスをフィードバックし得る。たとえば、端末がダウンリンクデータを完全に受信していなかった場合、端末はフィードバック情報を送る。端末がダウンリンクデータを完全に受信していた場合、端末はフィードバック情報を送らない。もちろん、反対に、端末がダウンリンクデータを完全に受信していなかった場合、端末はフィードバック情報を送らない。端末がダウンリンクデータを完全に受信していた場合、端末はフィードバック情報を送る。フィードバック情報は、ＲＲＣ接続確立要求シグナリングまたはＲＲＣ接続確立完了シグナリング中で搬送され得る。ターゲット基地局がフィードバック情報を受信した後、ターゲット基地局は、コアネットワークデバイスに送られる初期端末情報初期ＵＥメッセージまたはデータ経路切替え経路切替えメッセージにフィードバック情報を、すなわち、端末がダウンリンクデータを完全に受信したこともしくは端末がダウンリンクデータを完全に受信しなかったことをコアネットワークデバイスに通知するために、さらに追加し得る。端末がダウンリンクデータを完全に受信したことをフィードバック情報が示す場合、コアネットワークデバイスはダウンリンクデータを削除し得る。端末がダウンリンクデータを完全に受信していなかったことをフィードバック情報が示す場合、コアネットワークデバイスは、ターゲット基地局を通して再び端末にダウンリンクデータを送る。本明細書では、特定のフィードバック方式およびフィードバック情報を送る方式は限定されない。
【０２９５】
この実施形態では、端末は、端末が５つのデータパケットを受信したのかどうかを決定し得る。端末が、データパケット１、データパケット２、データパケット３、データパケット４、およびデータパケット５の５つのデータパケットを完全に受信する場合、端末は、端末が５つのデータパケットを完全に受信したことをターゲット基地局を通してコアネットワークデバイスにフィードバックし得る。この場合、コアネットワークデバイスは、ターゲット基地局を通して再び端末に５つのデータパケットを送る必要がない。端末が、データパケット１、データパケット２、およびデータパケット３の３つのデータパケットしか受信しないことを端末が決定する場合、端末は、端末が５つのデータパケットを完全に受信しなかったことをターゲット基地局を通してコアネットワークデバイスにフィードバックし得る。この場合、端末は、受信したデータパケット１、データパケット２、およびデータパケット３を削除し、ターゲット基地局を通して端末にコアネットワークデバイスによって送られるデータパケット１、データパケット２、データパケット３、データパケット４、およびデータパケット５の５つのデータパケットを再受信し得る。端末が、データパケット１、データパケット２、およびデータパケット３の３つのデータパケットしか受信しないことを端末が決定する場合、端末は、コアネットワークデバイスに受信したＮＡＳパケットのシーケンス番号またはインデックス値をフィードバックし得る。コアネットワークデバイスは、最初の３つの記憶されたパケットを削除し、ターゲット基地局を通して第４のパケットと第５のパケットとを送り得る。コアネットワークデバイスが１つのＮＡＳパケットしか送らず、端末が、ＮＡＳパケットを完全に受信しない場合、端末は、コアネットワークデバイスにフィードバックを送り、完全に受信されていないＮＡＳパケットを削除し、コアネットワークデバイスは、ターゲット基地局を通して再びＮＡＳパケットを送る。詳細には、端末は、ＮＡＳパケットを受信し、それぞれのデータのシーケンス番号に基づいて、どのパケットが受信されたのかを知り得、パケットのシーケンス番号をフィードバックし得るか、または何個のＮＡＳパケットが現在の接続で受信されたのかをフィードバックし得る。特定の形態は限定されない。
【０２９６】
１３０４．ターゲット基地局は、端末にダウンリンクデータを送る。
【０２９７】
ターゲット基地局は、端末にダウンリンクデータを転送する。
【０２９８】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０２９９】
この実施形態では、コアネットワークデバイスは、端末のためのダウンリンクデータを記憶する。次いで、端末がソース基地局からターゲット基地局にハンドオーバされた後、コアネットワークデバイスは、端末に、記憶されたダウンリンクデータを送る。このようにして、再選択処理中にダウンリンクデータが喪失されないことが保証され得、データの連続性がさらに保証される。
【０３００】
詳細には、図１４を参照すると、端末はセルの変更を行い、コアネットワークデバイスはデータを転送する。ソース基地局とターゲット基地局とは、異なるコアネットワークデバイスに接続される。
【０３０１】
ステップ１４０１とステップ１３０１とは同じであり、本明細書では、詳細は再び説明されない。
【０３０２】
１４０２．ソース基地局は、ソースコアネットワークデバイスにハンドオーバ要求を送り、ここで、ハンドオーバ要求は、ターゲット基地局に関する情報とターゲットコアネットワークデバイスに関する情報とを含む。
【０３０３】
ソース基地局がハンドオーバの決定を行った後、ソース基地局は、ソースコアネットワークデバイスにハンドオーバ要求を送り、ここで、ハンドオーバ要求は、ターゲット基地局に関する情報とターゲットコアネットワークデバイスに関する情報とを含む。
【０３０４】
この実施形態では、ハンドオーバ要求は、ＨＯ要求シグナリング（HO required signaling）であり得るか、または他のシグナリングによって示され得る。本明細書では、特定のシグナリングは限定されない。
【０３０５】
１４０３．ソースコアネットワークデバイスは、ターゲットコアネットワークデバイスにデータ割振り要求を送る。
【０３０６】
ソースコアネットワークデバイスがハンドオーバ要求を受信した後、ソースコアネットワークデバイスは、ターゲットコアネットワークデバイスに関する情報に基づいてターゲットコアネットワークデバイスにデータ割振り要求を送る。
【０３０７】
この実施形態では、データ割振り要求は、順方向再配置要求シグナリング（forward relocation request signaling）であり得るか、または他のシグナリングであり得る。本明細書では、これは特に限定されない。
【０３０８】
１４０４．ターゲットコアネットワークデバイスは、ターゲット基地局にハンドオーバ要求を送る。
【０３０９】
ターゲットコアネットワークデバイスがデータ割振り要求を受信した後、ターゲットコアネットワークデバイスは、ターゲット基地局にハンドオーバ要求を送る。
【０３１０】
この実施形態では、ハンドオーバ要求は、ＨＯ要求シグナリングであり得るか、または他のシグナリングによって示され得る。本明細書では、特定のシグナリングは限定されない。
【０３１１】
Ｓ１４０５．ターゲット基地局は、ターゲットコアネットワークデバイスにハンドオーバ応答を送る。
【０３１２】
ターゲット基地局は、ターゲットコアネットワークデバイスにハンドオーバ応答をフィードバックする。
【０３１３】
この実施形態では、ハンドオーバ応答は、ＨＯ応答情報であり得るか、または他のシグナリングによって示され得る。本明細書では、特定のシグナリングは限定されない。
【０３１４】
１４０６．ターゲットコアネットワークデバイスは、ソースコアネットワークデバイスにデータ割振り応答を送る。
【０３１５】
ターゲットコアネットワークデバイスがターゲット基地局によってフィードバックされたハンドオーバ応答を受信した後、ターゲットコアネットワークデバイスは、ソースコアネットワークデバイスにデータ割振り応答をフィードバックする。
【０３１６】
この実施形態では、データ割振り応答は、順方向再配置応答シグナリング（forward relocation response signaling）であり得るか、または他のシグナリングであり得る。本明細書では、これは特に限定されない。
【０３１７】
１４０７．ソースコアネットワークデバイスは、ソース基地局にハンドオーバコマンドを送る。
【０３１８】
ソースコアネットワークデバイスが、ターゲットコアネットワークデバイスによってフィードバックされたデータ割振り応答を受信した後、ソースコアネットワークデバイスは、ハンドオーバが実行され得ることをソース基地局に通知する。
【０３１９】
この実施形態では、ハンドオーバコマンドは、ＨＯコマンドシグナリングであり得るか、または他のシグナリングであり得る。本明細書では、これは特に限定されない。
【０３２０】
１４０８．ソースコアネットワークデバイスは、ターゲットコアネットワークデバイスにデータ送信チャネル作成要求を送る。
【０３２１】
ソースコアネットワークデバイスは、ターゲットコアネットワークデバイスにデータ送信チャネル作成要求を送る。
【０３２２】
この実施形態では、データ送信チャネル作成要求は、間接データ転送トンネル作成要求であり得る。本明細書では、特定のシグナリングは限定されない。
【０３２３】
１４０９．ターゲットコアネットワークデバイスは、ソースコアネットワークデバイスにデータ送信チャネル作成応答を送る。
【０３２４】
ターゲットコアネットワークデバイスがソースコアネットワークデバイスによって送られたデータ送信チャネル作成要求を受信した後、ターゲットコアネットワークデバイスは、ソースコアネットワークデバイスにデータ送信チャネル作成応答をフィードバックし、それにより、ターゲットコアネットワークデバイスがデータ送信チャネルを確立することに同意することを示す。
【０３２５】
この実施形態では、データ送信チャネル作成応答は、間接データ転送トンネル作成応答であり得る。本明細書では、特定のシグナリングは限定されない。
【０３２６】
１４１０．ソースコアネットワークデバイスは、ターゲットコアネットワークデバイスにダウンリンクデータを送る。
【０３２７】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０３２８】
１４１１．ターゲットコアネットワークデバイスは、ターゲット基地局にダウンリンクデータを送る。
【０３２９】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０３３０】
１４１２．ターゲット基地局は、端末にダウンリンクデータを送る。
【０３３１】
ターゲット基地局がターゲットコアネットワークデバイスによって送られたダウンリンクデータを受信した後、ターゲット基地局は、端末にダウンリンクデータを送る。
【０３３２】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３３３】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３３４】
詳細には、図１５を参照すると、端末はセルの変更を行い、コアネットワークデバイスはデータを転送する。ソース基地局とターゲット基地局とは、異なるコアネットワークデバイスに接続される。
【０３３５】
ステップ１５０１からステップ１５０７は、ステップ１４０１からステップ１４０７と同じであり、本明細書では、詳細は再び説明されない。
【０３３６】
１５０８．ターゲットコアネットワークデバイスは、ソースコアネットワークデバイスにコンテキスト情報およびデータ要求を送る。
【０３３７】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０３３８】
この実施形態では、コンテキスト情報およびデータ要求メッセージは、コンテキストおよびデータ要求であり得る。本明細書では、特定のシグナリングは限定されない。
【０３３９】
１５０９．ソースコアネットワークデバイスは、ターゲットコアネットワークデバイスにダウンリンクデータを搬送するコンテキスト情報およびデータ応答を送る。
【０３４０】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０３４１】
この実施形態では、コンテキスト情報およびデータ応答は、コンテキストおよびデータ応答であり得る。本明細書では、特定のシグナリングは限定されない。
【０３４２】
ステップ１５１０およびステップ１５１１は、ステップ１４１１およびステップ１４１２と同じであり、本明細書では、詳細は再び説明されない。
【０３４３】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３４４】
詳細には、図１６を参照すると、端末はセルの変更を行い、コアネットワークデバイスはデータを転送する。ソース基地局とターゲット基地局とは、同じコアネットワークデバイスに接続される。
【０３４５】
１６０１．ソース基地局は、コアネットワークデバイスに通知メッセージを送り、ここで、通知メッセージは、端末がセルの変更を行おうとしていることを示すために使用される。
【０３４６】
ソース基地局がハンドオーバの決定を行った後、ソース基地局は、端末がセルの変更を行おうとしていることをコアネットワークデバイスに通知するためにコアネットワークデバイスに通知メッセージを送る。
【０３４７】
この実施形態では、ソース基地局は、コアネットワークデバイスに通知するためにＳ１−ＡＰメッセージを送り得る。シグナリングの名前は、ＨＯ指示であり得、または他のシグナリングであり得る。本明細書では、これは特に限定されない。
【０３４８】
１６０２．コアネットワークデバイスは、ソース基地局にダウンリンクデータを送るのを止め、第２のタイマーを開始する。
【０３４９】
端末がセルの変更を行おうとしていることをコアネットワークデバイスが知った後、コアネットワークデバイスは、第２のタイマーを開始し、コアネットワークデバイスは、ソース基地局にダウンリンクデータを送るのを止める。
【０３５０】
この実施形態では、第１のタイマーの稼働持続時間は事前構成され、本明細書では、特定の持続時間は限定されない。実際の適用例では、ＭＭＥは、ソース基地局にデータパケット１、データパケット２、データパケット３、データパケット４、およびデータパケット５の５つのデータパケットを送るのを止める。
【０３５１】
１６０３．ターゲット基地局は、コアネットワークデバイスに第１の指示メッセージを送り、ここで、第１の指示メッセージは、端末がセルの変更を完了したことを示すために使用される。
【０３５２】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０３５３】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０３５４】
この実施形態では、第２のタイマーが満了した後にターゲット基地局がコアネットワークデバイスに第１の指示メッセージを送らない場合、それは、端末がターゲット基地局に接続することに失敗したことを示す。この場合、端末は、ソース基地局にダウンリンクデータを送ることを再開する。たとえば、第２のタイマーが満了した後、ターゲット基地局によって送られ、端末がセルの再選択を完了したことを示すメッセージをＭＭＥが受信しない場合、ＭＭＥは、ソース基地局にデータパケット１、データパケット２、データパケット３、データパケット４、およびデータパケット５の５つのデータパケットを再び送り始める。
【０３５５】
１６０４．コアネットワークデバイスは、ターゲット基地局にダウンリンクデータを送る。
【０３５６】
第１の指示情報を受信した後に、コアネットワークデバイスは、ターゲット基地局に、送られていないダウンリンクデータを送る。
【０３５７】
１６０５．ターゲット基地局は、端末にダウンリンクデータを送る。
【０３５８】
ターゲット基地局は、端末にダウンリンクデータを転送する。
【０３５９】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３６０】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３６１】
詳細には、図１７を参照すると、端末はセルの変更を行い、コアネットワークデバイスはデータを転送する。ソース基地局とターゲット基地局とは、異なるコアネットワークデバイスに接続される。
【０３６２】
１７０１．ソース基地局は、ソースコアネットワークデバイスに通知メッセージを送り、ここで、通知メッセージは、端末がセルの変更を行おうとしていることを示すために使用される。
【０３６３】
ソース基地局が変更の決定を行った後、ソース基地局は、端末がセルの変更を行おうとしていることをソースコアネットワークデバイスに通知するためにソースコアネットワークデバイスに通知メッセージを送る。
【０３６４】
この実施形態では、ソース基地局は、ソースコアネットワークデバイスに通知するためにＵＬ  ＮＡＳトランスポートなどのＳ１−ＡＰメッセージを送り得る。シグナリングの名前は、ＨＯ指示であり得、または他のシグナリングであり得る。本明細書では、これは特に限定されない。
【０３６５】
１７０２．ソースコアネットワークデバイスは、ソース基地局にダウンリンクデータを送るのを止め、第２のタイマーを開始する。
【０３６６】
端末がセルの変更を行おうとしていることをソースコアネットワークデバイスが知った後、ソースコアネットワークデバイスは、第２のタイマーを開始し、ソースコアネットワークデバイスは、ソース基地局にダウンリンクデータを送るのを止める。
【０３６７】
この実施形態では、第１のタイマーの稼働持続時間は事前構成され、本明細書では、特定の持続時間は限定されない。実際の適用例では、ソースＭＭＥは、ソース基地局にデータパケット１、データパケット２、データパケット３、データパケット４、およびデータパケット５の５つのデータパケットを送るのを止める。
【０３６８】
１７０３．ターゲット基地局は、ターゲットコアネットワークデバイスに通知命令を送り、ここで、通知命令は、端末がセルの変更を完了したことを示し、ソースコアネットワークデバイスにデータを要求するようにターゲットコアネットワークデバイスに命令するために使用される。
【０３６９】
端末がターゲット基地局への接続を確立した後、ターゲット基地局は、ターゲットコアネットワークデバイスに通知命令を送り、ここで、通知命令は、端末がセルの変更を完了したことを示し、ターゲットコアネットワークデバイスがソースコアネットワークデバイスにダウンリンクデータを要求する必要があることをターゲットコアネットワークデバイスに通知するために使用される。
【０３７０】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０３７１】
１７０４．ターゲットコアネットワークデバイスは、ソースコアネットワークデバイスにデータ送信チャネル作成要求を送る。
【０３７２】
ターゲットコアネットワークデバイスは、ソースコアネットワークデバイスにデータ送信チャネル作成要求を送る。
【０３７３】
この実施形態では、データ送信チャネル作成要求は、データ転送トンネル作成要求であり得る。本明細書では、特定のシグナリングは限定されない。
【０３７４】
１７０５．ソースコアネットワークデバイスは、ターゲットコアネットワークデバイスにデータ送信チャネル作成応答を送る。
【０３７５】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０３７６】
この実施形態では、データ送信チャネル作成応答は、データ転送トンネル作成応答であり得る。本明細書では、特定のシグナリングは限定されない。
【０３７７】
１７０６．ソースコアネットワークデバイスは、ターゲットコアネットワークデバイスにダウンリンクデータを送る。
【０３７８】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０３７９】
１７０７．ターゲットコアネットワークデバイスは、ターゲット基地局にダウンリンクデータを送る。
【０３８０】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０３８１】
１７０８．ターゲット基地局は、端末にダウンリンクデータを送る。
【０３８２】
ターゲット基地局がターゲットコアネットワークデバイスによって送られたダウンリンクデータを受信した後、ターゲット基地局は、端末にダウンリンクデータを送る。
【０３８３】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３８４】
任意選択で、ターゲットコアネットワークデバイスは、最初に、データチャネル作成要求メッセージを送るかまたはデータおよびコンテキスト要求メッセージを送るようにソースコアネットワークデバイスをトリガするためにセル変更完了命令を送り、ターゲットコアネットワークデバイスから応答情報を受信し得る。データは、要求中に送られることも、応答が受信された後に送られることもある。
【０３８５】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３８６】
詳細には、図１８を参照すると、端末はセルの変更を行い、コアネットワークデバイスはデータを転送する。ソース基地局とターゲット基地局とは、異なるコアネットワークデバイスに接続される。
【０３８７】
ステップ１８０１からステップ１８０４は、ステップ１７０１からステップ１７０４と同じであり、本明細書では、詳細は再び説明されない。
【０３８８】
１８０５．ソースコアネットワークデバイスは、ターゲットコアネットワークデバイスにダウンリンクデータを搬送するデータ送信チャネル作成応答を送る。
【０３８９】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０３９０】
この実施形態では、データ送信チャネル作成応答は、データ転送トンネル作成応答であり得る。本明細書では、特定のシグナリングは限定されない。
【０３９１】
ステップ１８０６およびステップ１８０７は、ステップ１７０７およびステップ１７０８と同じであり、本明細書では、詳細は再び説明されない。
【０３９２】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３９３】
詳細には、図１９を参照すると、端末はセルの変更を行い、コアネットワークデバイスはデータを転送する。ソース基地局とターゲット基地局とは、異なるコアネットワークデバイスに接続される。
【０３９４】
ステップ１９０１からステップ１９０３は、ステップ１７０１からステップ１７０３と同じであり、本明細書では、詳細は再び説明されない。
【０３９５】
１９０４．ターゲットコアネットワークデバイスは、ソースコアネットワークデバイスにコンテキスト情報およびデータ要求を送る。
【０３９６】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０３９７】
この実施形態では、コンテキスト情報およびデータ要求メッセージは、コンテキストおよびデータ要求であり得る。本明細書では、特定のシグナリングは限定されない。
【０３９８】
１９０５．ソースコアネットワークデバイスは、ターゲットコアネットワークデバイスにダウンリンクデータを搬送するコンテキスト情報およびデータ応答を送る。
【０３９９】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０４００】
この実施形態では、コンテキスト情報およびデータ応答は、コンテキストおよびデータ応答であり得る。本明細書では、特定のシグナリングは限定されない。
【０４０１】
ステップ１９０６およびステップ１９０７は、ステップ１７０７およびステップ１７０８と同じであり、本明細書では、詳細は再び説明されない。
【０４０２】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０４０３】
詳細には、図２０を参照すると、端末はセルの変更を行い、コアネットワークデバイスはデータを転送する。ソース基地局とターゲット基地局とは、同じコアネットワークデバイスに接続される。
【０４０４】
ステップ２００１とステップ１６０１とは同じであり、本明細書では、詳細は再び説明されない。
【０４０５】
２００２．コアネットワークデバイスは、ソース基地局にダウンリンクデータを送り、ターゲット基地局にダウンリンクデータを送り、第３のタイマーを開始する。
【０４０６】
端末がセルの変更を行おうとしていることを示すために使用される第１の指示メッセージをコアネットワークデバイスが受信した後、コアネットワークデバイスは、第３のタイマーを開始し得る。さらに、コアネットワークデバイスは、Ｓ１インターフェースを通してターゲット基地局にダウンリンクデータを送り得、コアネットワークデバイスは、依然として、Ｓ１インターフェースを通してソース基地局にダウンリンクデータを送る。
【０４０７】
２００３．ソース基地局は、端末にダウンリンクデータを送り、ターゲット基地局は、端末にダウンリンクデータを送る。
【０４０８】
ターゲット基地局がコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０４０９】
実際の適用例では、コアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送信する場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０４１０】
２００４．ターゲット基地局は、コアネットワークデバイスに第１の指示メッセージを送り、ここで、第１の指示メッセージは、端末がセルの変更を完了したことを示す。
【０４１１】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０４１２】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０４１３】
この実施形態では、第３のタイマーが満了した後にターゲット基地局がコアネットワークデバイスに第１の指示メッセージを送らない場合、それは、端末がターゲット基地局に接続することに失敗したことを示す。コアネットワークデバイスは、ターゲット基地局にダウンリンクデータを送るのを止め、ソース基地局にコアネットワークデバイスによってダウンリンクデータを送る行為を維持し得る。
【０４１４】
２００５．コアネットワークデバイスは、ソース基地局にダウンリンクデータを送るのを止める。
【０４１５】
端末がセルの変更を完了したことをコアネットワークデバイスが知った後、コアネットワークデバイスは、ソース基地局にダウンリンクデータを送るのを止める。
【０４１６】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０４１７】
この実施形態では、端末がセルの変更を行おうとしているというメッセージをコアネットワークデバイスが受信した後、コアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０４１８】
詳細には、図２１を参照すると、端末はセルの変更を行い、コアネットワークデバイスはデータを転送する。ソース基地局とターゲット基地局とは、異なるコアネットワークデバイスに接続される。
【０４１９】
ステップ２１０１とステップ１７０１とは同じであり、本明細書では、詳細は再び説明されない。
【０４２０】
２１０２．ソースコアネットワークデバイスは、ソース基地局にダウンリンクデータを送り、ターゲット基地局にダウンリンクデータを送り、第３のタイマーを開始する。
【０４２１】
端末がセルの変更を行おうとしていることを示すために使用される第１の指示メッセージをソースコアネットワークデバイスが受信した後、ソースコアネットワークデバイスは、第３のタイマーを開始し得る。さらに、ソースコアネットワークデバイスは、Ｓ１インターフェースを通してターゲット基地局にダウンリンクデータを送り得、ソースコアネットワークデバイスは、依然として、Ｓ１インターフェースを通してソース基地局にダウンリンクデータを送る。
【０４２２】
２１０３．ソース基地局は、端末にダウンリンクデータを送り、ターゲット基地局は、端末にダウンリンクデータを送る。
【０４２３】
ターゲット基地局がソースコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０４２４】
実際の適用例では、ソースコアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送信する場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０４２５】
２１０４．ターゲット基地局は、ターゲットコアネットワークデバイスに通知命令を送り、ここで、通知命令は、端末がセルの変更を完了したことを示すために使用される。
【０４２６】
端末が、ターゲット基地局に正常に接続された後、ターゲット基地局は、端末がセルの変更を完了したことをターゲットコアネットワークデバイスに通知するためにターゲットコアネットワークデバイスに第１の指示メッセージを送る。
【０４２７】
この実施形態では、通知命令は、初期ＵＥメッセージまたはターゲットコアネットワークデバイスにターゲット基地局によって送られる経路切替えメッセージなどのメッセージであり得る。本明細書では、特定のメッセージ形態は限定されない。
【０４２８】
２１０５．ターゲットコアネットワークデバイスは、ソースコアネットワークデバイスに通知メッセージを送り、ここで、通知メッセージは、端末がセルの変更を完了したことを示すために使用される。
【０４２９】
端末がセルの変更を完了したことをターゲットコアネットワークデバイスが知った後、ターゲットコアネットワークデバイスは、ソースコアネットワークデバイスに、端末がセルの変更を完了したことを示す通知メッセージを送る。
【０４３０】
この実施形態では、第３のタイマーが満了した後にターゲット基地局がターゲットコアネットワークデバイスに通知命令を送らない場合、それは、端末がターゲット基地局に接続することに失敗したことを示す。さらに、ターゲットコアネットワークデバイスは、ソースコアネットワークデバイスにも通知メッセージを送らない。このようにして、ソースコアネットワークデバイスは、ターゲット基地局にダウンリンクデータを送るのを止め、ソース基地局にソースコアネットワークデバイスによってダウンリンクデータを送る行為を維持し得る。
【０４３１】
２１０６．ソースコアネットワークデバイスは、ソース基地局にダウンリンクデータを送るのを止め、ターゲット基地局にダウンリンクデータを送るのを止める。
【０４３２】
端末がセルの変更を完了したことをソースコアネットワークデバイスが知った後、ソースコアネットワークデバイスは、ソース基地局にダウンリンクデータを送るのを止め、ターゲット基地局にダウンリンクデータを送るのを止める。
【０４３３】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０４３４】
この実施形態では、端末がセルの変更を行おうとしているというメッセージをソースコアネットワークデバイスが受信した後、ソースコアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０４３５】
詳細には、図２２を参照すると、端末はセルの変更を行い、基地局側はデータを転送する。
【０４３６】
２２０１．ソース基地局は、ターゲット基地局にハンドオーバ要求を送る。
【０４３７】
ソース基地局がハンドオーバ決定を完了した後、ソース基地局は、ターゲット基地局にハンドオーバ要求を送る。
【０４３８】
２２０２．ターゲット基地局は、ソース基地局にハンドオーバ肯定応答メッセージを送る。
【０４３９】
ターゲット基地局がソース基地局からハンドオーバ要求を受信した後、ターゲット基地局は、ソース基地局にハンドオーバ肯定応答メッセージを送り得る。このようにして、ターゲット基地局とソース基地局との間で、ハンドオーバシグナリングが、ターゲット基地局とソース基地局との間の接続シグナリングとして使用される。
【０４４０】
２２０３．ソース基地局は、ターゲット基地局にダウンリンクデータを送る。
【０４４１】
ソース基地局は、基地局間のＸ２インターフェースを通してターゲット基地局にダウンリンクデータを送る。
【０４４２】
さらに、実際の適用例では、データがターゲット基地局とソース基地局との間で転送されるとき、ターゲット基地局とソース基地局とは、データ転送のためにハンドオーバ要求に情報要素を追加し得る。情報要素の名前は、ＮＡＳ  ＰＤＵのためのデータ転送であり得る。代替として、ターゲット基地局とソース基地局とは、ダウンリンクデータ転送が追加される１つのＸ２−ＡＰシグナリングを使用する。情報要素の名前はＤＬデータ転送であり得る。代替として、ターゲット基地局にハンドオーバ要求コマンド（ハンドオーバ要求）を送るときに、ソース基地局は、ハンドオーバ要求に、ターゲットコアネットワークデバイスに送られるべきデータがあることを示すために使用される情報要素を追加し、ターゲット基地局によって送られたハンドオーバ肯定応答メッセージを受信した後に、ソース基地局は、ターゲット基地局にデータ転送シグナリングをさらに送る。この場合、シグナリングは、ＮＡＳ  ＰＤＵのためのデータ転送であり得る情報要素を含む。代替として、ターゲット基地局は、ＳＲＢ１に対応するＸ２ベアラを確立し、ＥＰＳベアラに対応する新しいＥ−ＲＡＢと、Ｅ−ＲＡＢのデータを搬送するために使用されるトンネルとを確立する。トンネルを確立した後に、ターゲット基地局は、ソース基地局に対応するトンネルアドレスを送り、したがって、ソース基地局は、トンネルを通してターゲット基地局にデータを転送する。ソース基地局がターゲット基地局にダウンリンクデータを送る複数の方式があり得る。本明細書では、これは限定されない。
【０４４３】
２２０４．ターゲット基地局は、端末にダウンリンクデータを送る。
【０４４４】
ターゲット基地局は、ソース基地局から端末に取得されたダウンリンクデータを送る。
【０４４５】
実際の適用例では、ソース基地局からターゲット基地局によって取得されたデータが順々に送られ得ることを保証するために、ソース基地局からデータを取得した後に、ターゲット基地局は、ダウンリンクデータを受信するためにターゲットコアネットワークデバイスとシグナリングを交換する。代替として、ターゲット基地局は、最初に、ソース基地局から取得されたダウンリンクデータを送り、次いで、ターゲットコアネットワークデバイスによって送られたダウンリンクデータを受信する。本明細書では、特定の方式は限定されない。
【０４４６】
この実施形態では、データは、ソース基地局とターゲット基地局との間で送信され、それにより、再選択処理中にダウンリンクデータが喪失されないことを保証し、さらに、データの連続性を保証する。
【０４４７】
上記のデータ処理方法の説明に基づいて、接続モードでの端末のモビリティが維持される間に、本出願の実施形態では、接続モードでの端末の電力消費量を低減するために以下の解決策がさらに提供され得る。
【０４４８】
詳細には、図２３を参照すると、本出願の一実施形態は、以下を含むセルを取得する方法を提供する。
【０４４９】
２３０１．端末が現在のソースサービングセルに接続されると、端末は、現在のソースサービングセルの第１の品質パラメータを取得する。
【０４５０】
端末が現在のソースサービングセルに接続されると、端末は、リアルタイムで現在のソースサービングセルの第１の品質パラメータを取得し得る。
【０４５１】
この実施形態では、第１の品質パラメータは、基準信号受信品質または基準信号受信電力であり得る。本明細書では、特定の決定基準は限定されない。実際の適用例では、端末が現在のソースサービングセルに接続されると、すなわち、データまたはシグナリングが端末と現在のソースサービングセルに対応する基地局との間で交換されると、端末は、現在のソースサービングセルの基準信号受信電力または基準信号受信品質を取得し、それにより、現在のソースサービングセルの第１の品質パラメータを決定し得る。
【０４５２】
２３０２．端末は、第１の品質パラメータが第１のプリセットされたしきい値よりも低いかどうかを決定し、はいの場合、ステップ２３０３からステップ２３０５を実行し、いいえの場合、ステップ２３０６を実行する。
【０４５３】
第１の品質パラメータを取得した後に、端末は、第１の品質パラメータが第１のプリセットされたしきい値よりも低いかどうかを決定する。第１の品質パラメータが第１のプリセットされたしきい値よりも低い場合、端末は、ステップ２３０３からステップ２３０５を実行する。第１の品質パラメータが第１のプリセットされたしきい値よりも低くない場合、端末は、ステップ２３０６を実行する。
【０４５４】
実際の適用例では、しきい値は、接続モードの端末のためにプリセットされ、それにより、端末により現在のソースサービングセル中でサービスを実行するための要件を現在のソースサービングセルの品質パラメータが満たすのかどうかを決定し、端末は、現在のソースサービングセルの品質パラメータを取得した後に現在のソースサービングセルの品質パラメータとしきい値を比較する。
【０４５５】
２３０３．端末は、測定セルのセットを取得する。
【０４５６】
端末は、端末によって測定され得るセルを決定し、測定セルのセットを生成する。
【０４５７】
この実施形態では、端末は、アイドルモードでの測定を通して取得された品質パラメータがプリセットされたしきい値以上であるセルを測定セルと見なし得る。代替として、端末がプリセットされた時間期間内に接続されるセルが測定セルとして使用され得る。代替として、プリセットされた時間期間中に端末によって記憶された信号品質がプリセットされたしきい値に達するセルが測定セルとして使用され得る。代替として、端末に接続された基地局によって送られるブロードキャストメッセージ中のセルリスト中のセルが測定セルとして使用され得る。代替として、セルリスト中の周波数情報に関係するセルが測定セルとして使用され得る。端末が好適な測定セルのセットを取得することができるという条件で、本明細書では、特定の方式は限定されない。端末は、アイドルモードまたは接続モードでブロードキャストメッセージを取得し得る。本明細書では、これは特に限定されない。たとえば、端末は、アイドルモードで２０個のセルを測定し、セルＡ、セルＢ、およびセルＣの品質パラメータは、プリセットされたしきい値８０よりも大きい。さらに、最後の２日に端末に接続されたセルは、セルＤとセルＥとセルＦとを含む。最後の２日に端末による測定を通して取得された品質パラメータが８０よりも大きいセルは、セルＧとセルＨとを含む。基地局によって送られ、端末によって受信されたブロードキャストメッセージ中のセルリスト中のセルは、セルＡからセルＨを含む。基地局によって送られ、端末によって受信されたブロードキャストメッセージ中の周波数情報に関係するセルは、セルＢとセルＣとセルＤとセルＥとを含む。したがって、端末によって決定される測定セルのセットは、セルＡからセルＨのうちの少なくとも１つを含む。
【０４５８】
さらに、端末によって決定される測定セルのセット中の測定セルの量が、セルリスト中のセルの量または周波数情報に関係するセルの量よりも少ない場合、次のようになる。
【０４５９】
２３０４．端末は、第２の品質パラメータのセットを取得するために測定セルのセット中の各測定セルを測定する。
【０４６０】
端末は、各測定セルの第２の品質パラメータを取得するために測定セルのセット中の各測定セルを１つずつ測定し、第２の品質パラメータを使用することによって第２の品質パラメータのセットを生成する。
【０４６１】
実際の適用例では、端末は、以下の方式で各測定セルを測定し得る。
【０４６２】
１つの可能な実装形態では、端末は、第２の品質パラメータを取得するために、周波数内測定と周波数間測定とシステム間測定とのうちの少なくとも１つを使用することによって測定セルの基準信号受信電力を測定する。
【０４６３】
別の可能な実装形態では、端末は、第２の品質パラメータを取得するために、周波数内測定と周波数間測定とシステム間測定とのうちの少なくとも１つを使用することによって測定セルの基準信号受信品質を測定する。
【０４６４】
２３０５．端末は、第２の品質パラメータのセットに基づいてターゲットサービングセルを決定する。
【０４６５】
端末は、第２の品質パラメータのセット中の各第２の品質パラメータに基づいて測定セルのセットからターゲットサービングセルを決定する。
【０４６６】
実際の適用例では、端末は、第２の品質パラメータがプリセットされたしきい値よりも大きい測定セルをターゲットサービングセルとして使用し得るか、または端末は、第２の品質パラメータが最良である測定セルをターゲットサービングセルとして選択する。たとえば、端末によって決定される測定セルのセットは、セルＡとセルＢとセルＤとセルＥとを含む。測定を通して、セルＡの第２の品質パラメータは８７であり、セルＢの第２の品質パラメータは８５であり、セルＤの第２の品質パラメータは７５であり、セルＥの第２の品質パラメータは８１である。プリセットされたしきい値が８５である場合、端末は、セルＡとセルＢとをターゲットサービングセルとして使用し得るか、またはセルＡをターゲットサービングセルとして使用し得る。
【０４６７】
測定セルとサービングセルとを測定した後、端末は、第１の品質パラメータと第２の品質パラメータとを取得するか、またはセルの再選択ルール、たとえば、ランキング機構または優先度機構に従ってターゲットセルを決定し得る。たとえば、補償値またはオフセットが、各セルまたはセルの再選択中に特にサポートされるサービスに基づく周波数に関係するセルについて追加され得る。さらに、補償値もしくはオフセットは、各セルもしくは各周波数に関係するセルおよび端末によって事前に指定されたデフォルト値であり得るか、または端末は、基地局によってブロードキャストされたシステムメッセージを受信することによって補償値もしくはオフセットを取得し得るか、または端末は、専用シグナリングを受信することによって補償値もしくはオフセットを取得し得る。補償値またはオフセットを取得した後に、端末がターゲットサービスを実行し、セルを再選択すると、端末は、ターゲットサービスをサポートするセルを優先的に選択し得る。たとえば、セルＡは、ＳＣ−ＰＴＭサービスをサポートし、ＳＣ−ＰＴＭサービスをサポートする補償値またはオフセット値がシステムブロードキャスト中でブロードキャストされる。セルを再選択するとき、ＵＥは、ランキング機構を使用する。ＵＥがセルを計算するとき、補償値またはオフセットがＵＥについて追加され、したがって、端末はセルＡを選択することができる。任意選択で、ＳＣ−ＰＴＭをサポートする端末の現在のセルがＳＣ−ＰＴＭサービスをサポートしない場合、現在のサービングセルの信号品質または信号レベルが測定または再選択をトリガしない場合でも、端末が、システムブロードキャストを通してまたは別の方式で、セルまたは周波数がＳＣ−ＰＴＭをサポートすることを知るとき、端末は、ランク付けおよび再選択のための測定をトリガするか、またはターゲットセルもしくは周波数のセルを直接測定し、しきい値要件が満たされる場合セルを再選択する。
【０４６８】
任意選択で、ＳＣ−ＰＴＭをサポートするＵＥが、システムブロードキャストを通してまたは別の方式でセルまたは周波数がＳＣ−ＰＴＭをサポートすることを知る場合、ＵＥは、測定をトリガし、セルを再選択するためにセルの再選択ルールを使用するか、またはターゲットセルもしくは周波数のセルを直接測定し、しきい値が再選択またはキャンピングしきい値を満たす場合、セルを再選択する。代替として、サービスをサポートするセルが発見された場合、セルが再選択される。
【０４６９】
２３０６．端末は、基地局にターゲットサービングセルに関する情報を送る。
【０４７０】
ターゲットサービングセルを決定した後に、端末は、端末に現在接続されている基地局にターゲットサービングセルのインデックスまたはＩＤを送る。たとえば、この実施形態では、端末は、基地局にセルＡのインデックスまたはセルＩＤを送り得るか、または端末は、基地局にセルＡおよびセルＢのインデックスまたはセルＩＤを送り得る。
【０４７１】
２３０７．端末は、測定をトリガするのをスキップする。
【０４７２】
端末は、現在のソースサービングセルへの接続を保ち、セルを測定するのをスキップする。
【０４７３】
この実施形態では、端末自体がターゲットサービングセルを決定し、基地局に測定データなどの情報を報告せず、それによって、端末の電力消費量を低減する。
【０４７４】
上記は、本出願の実施形態におけるデータ処理方法について説明した。以下は、本出願の実施形態における基地局とコアネットワークデバイスとについて説明する。
【０４７５】
詳細には、図２４を参照すると、本出願の一実施形態による端末の一実施形態は、
受信モジュール２４０１と、送信モジュール２４０２と、処理モジュール２４０３と
を含む。
【０４７６】
処理モジュール２４０３は、端末が現在のソースサービングセルに接続されるとき、現在のソースサービングセルの第１の品質パラメータを取得することと、第１の品質パラメータが第１のプリセットされたしきい値よりも小さい場合、測定セルのセットを決定することと、各対応する第２の品質パラメータを取得するために測定セルのセット中の各測定セルを測定することと、第２の品質パラメータに基づいてターゲットサービングセルを決定することとを行うように構成される。
【０４７７】
上記の実施形態を参照して、測定セルのセットは、アイドルモードでの測定を通して端末によって取得された品質パラメータがプリセットされた値を超えるセルと、アイドルモードでの測定を通して端末によって取得された品質パラメータがより高くランク付けされたセルと、端末が接続され得るセルと、端末によって受信されたブロードキャストメッセージ中のセルリスト中のセルと、端末によって受信されたブロードキャストメッセージ中の周波数情報に関係するセルとのうちの少なくとも１つを含む。
【０４７８】
上記の実施形態を参照して、送信モジュール２４０２は、ソース基地局がターゲットサービングセルからターゲットセルを決定するように、第１のメッセージを使用することによって現在のソースサービングセルに対応するソース基地局にターゲットサービングセルに関する情報を送るように構成される。
【０４７９】
上記の実施形態を参照して、受信モジュール２４０１は、第１の指示メッセージを使用することによってソース基地局によって送られたターゲットセルに関する情報を受信することであって、ターゲットセルに関する情報が、ソース基地局とターゲット基地局とがハンドオーバを確認した後に送られ、ターゲット基地局がターゲットセルに対応する基地局である、受信することを行うように構成される。
【０４８０】
送信モジュール２４０２は、第２の指示メッセージを使用することによってターゲット基地局にセル変更肯定応答メッセージを送るようにさらに構成される。
【０４８１】
上記の実施形態を参照して、第１の指示メッセージは、ＲＲＣ接続リリースメッセージ、ＲＲＣ再構成メッセージ、ダウンリンク直接送信メッセージなどである。
【０４８２】
第２の指示メッセージは、ＲＲＣ接続確立完了メッセージ、ＲＲＣ再構成完了メッセージ、またはアップリンク直接送信メッセージである。
【０４８３】
上記の実施形態を参照して、送信モジュール２４０２は、接続要求メッセージを送ることによってターゲットサービングセルにアクセスすることであって、接続要求メッセージが、接続確立メッセージ、接続再確立メッセージ、接続再構成完了メッセージ、またはセル変更完了メッセージであり、接続要求メッセージが、接続要求理由を搬送し、要求理由が、セルの再選択、セルの変更、またはダウンリンクデータを待つことを含む、アクセスすることを行うように構成される。
【０４８４】
上記の実施形態を参照して、第１のメッセージは、アップリンク直接送信メッセージまたはアップリンク無線リソース制御ＲＲＣメッセージであり得る。ターゲットサービングセルに関する情報は、ターゲットサービングセルの識別子ＩＤまたはターゲットサービングセルのインデックス値を含む。
【０４８５】
さらに、図２４の端末は、図２３の端末によって実装され得る任意の機能を実装するために図２３の端末の任意のステップを実行するようにさらに構成され得る。
【０４８６】
この実施形態では、端末自体がターゲットサービングセルを決定し、基地局に測定データなどの情報を報告せず、それによって、端末の電力消費量を低減する。
【０４８７】
詳細には、図２５を参照すると、本出願の一実施形態による端末の別の実施形態は、
トランシーバ２５０１とプロセッサ２５０２と
を含み、ここで、トランシーバ２５０１とプロセッサ２５０２とは、バス２５０３を使用することによって互いに接続される。
【０４８８】
バス２５０３は、周辺構成要素相互接続（ｐｅｒｉｐｈｅｒａｌ  ｃｏｍｐｏｎｅｎｔ  ｉｎｔｅｒｃｏｎｎｅｃｔ、略して、ＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バスなどであり得る。バスは、アドレスバス、データバス、制御バスなどに分類され得る。表現を簡単にするために、図２５においてバスを表すためにただ１本の太線が使用されているが、これは、１つのバスまたは１つのタイプのバスしかないことを意味しない。
【０４８９】
プロセッサ２５０２は、中央処理ユニット（ｃｅｎｔｒａｌ  ｐｒｏｃｅｓｓｉｎｇ  ｕｎｉｔ、略して、ＣＰＵ）、ネットワークプロセッサ（ｎｅｔｗｏｒｋ  ｐｒｏｃｅｓｓｏｒ、略して、ＮＰ）、またはＣＰＵとＮＰとの組合せであり得る。
【０４９０】
プロセッサ２５０２は、ハードウェアチップをさらに含み得る。ハードウェアチップは、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、略して、ＡＳＩＣ）、プログラマブル論理デバイス（ｐｒｏｇｒａｍｍａｂｌｅ  ｌｏｇｉｃ  ｄｅｖｉｃｅ、略して、ＰＬＤ）、またはそれらの組合せであり得る。ＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、略して、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、略して、ＦＰＧＡ）、汎用アレイ論理（ｇｅｎｅｒｉｃ  ａｒｒａｙ  ｌｏｇｉｃ、略して、ＧＡＬ）、またはそれらの任意の組合せであり得る。
【０４９１】
図２５を参照すると、端末は、メモリ２５０４をさらに含み得、メモリ２５０４は、ダウンリンクデータを記憶するように構成され得る。メモリ２５０４は、ランダムアクセスメモリ（ｒａｎｄｏｍ  ａｃｃｅｓｓ  ｍｅｍｏｒｙ、略して、ＲＡＭ）などの揮発性メモリ（ｖｏｌａｔｉｌｅ  ｍｅｍｏｒｙ）を含み得る。メモリは、フラッシュメモリ（ｆｌａｓｈ  ｍｅｍｏｒｙ）、ハードディスクドライブ（ｈａｒｄ  ｄｉｓｋ  ｄｒｉｖｅ、略して、ＨＤＤ）、またはソリッドステートドライブ（ｓｏｌｉｄ‐ｓｔａｔｅ  ｄｒｉｖｅ、略して、ＳＳＤ）などの不揮発性メモリ（ｎｏｎ−ｖｏｌａｔｉｌｅ  ｍｅｍｏｒｙ）をさらに含み得る。メモリ２５０４は、上記のタイプのメモリの組合せをさらに含み得る。
【０４９２】
任意選択で、メモリ２５０４は、プログラム命令を記憶するようにさらに構成され得る。プロセッサ２５０２は、上記の方法中に端末の機能を実装するためにメモリ２５０４中に記憶されたプログラム命令を呼び出すことによって図２３に示した実施形態において１つまたは複数のステップまたは任意選択の実装形態を実行し得る。
【０４９３】
上記の実施形態を参照して、トランシーバ２５０１は、受信モジュール２４０１と送信モジュール２４０２とに対応し、トランシーバ２５０１は、上記の実施形態において端末によってシグナリングまたはデータを受信および送るステップを実行する。
【０４９４】
上記の実施形態を参照して、プロセッサ２５０２は、処理モジュール２４０３に対応し、プロセッサは、上記の実施形態において端末によってデータを処理するステップを実行する。
【０４９５】
この実施形態では、端末自体がターゲットサービングセルを決定し、基地局に測定データなどの情報を報告せず、それによって、端末の電力消費量を低減する。
【０４９６】
便利で簡単な説明のために、上記のシステム、装置、およびユニットの詳細な作動処理について、上記の方法実施形態における対応する処理を参照し得ることを当業者には明確に理解され得、本明細書では、詳細は再び説明されない。
【０４９７】
本出願において提供されるいくつかの実施形態では、開示するシステム、装置、および方法が他の方法で実装され得ることを理解されたい。たとえば、説明する装置実施形態は一例にすぎない。たとえば、ユニットの分割は、論理的な機能の分割にすぎず、実際の実装形態では他の分割になり得る。たとえば、複数のユニットまたは構成要素が、組み合わされるかもしくは別のシステムに統合され得るか、またはいくつかの特徴は、無視されるかもしくは実行されないことがある。さらに、表示または説明された相互結合または直接結合または通信接続は、いくつかのインターフェースを使用することによって実装され得る。装置またはユニット間の間接結合または通信接続は、電気的な形態、機械的な形態、または他の形態で実装され得る。
【０４９８】
別個の部分として説明したユニットは、物理的に別個であることも別個でないこともあり、ユニットとして表示された部分は、物理ユニットであることも物理ユニットでないこともあり、１つの位置に位置し得るか、または複数のネットワークユニット上に分散され得る。ユニットの一部または全部は、実施形態の解決策の目的を達成するために実際の要件に基づいて選択され得る。
【０４９９】
さらに、本出願の実施形態における機能ユニットは、１つの処理ユニットに統合され得るか、またはユニットの各々は、物理的に単独で存在し得るか、または２つ以上のユニットは、１つのユニットに統合される。統合ユニットは、ハードウェアの形態で実装され得るか、またはソフトウェアの機能ユニットの形態で実装され得る。
【０５００】
統合ユニットがソフトウェアの機能ユニットの形態で実装され、独立した製品として販売または使用されるとき、統合ユニットは、コンピュータ可読記憶媒体中に記憶され得る。そのような理解に基づいて、本質的に本出願の技術的解決策、または従来技術に寄与する部分、または技術的解決策の全部もしくは一部は、ソフトウェア製品の形態で実装され得る。コンピュータソフトウェア製品は、記憶媒体中に記憶され、（パーソナルコンピュータ、サーバ、またはネットワークデバイスであり得る）コンピュータデバイスに本出願の実施形態において説明した方法のステップの全部または一部を実行するように命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどのプログラムコードを記憶することができる任意の媒体を含む。
【０５０１】
上記の実施形態は、本出願の技術的解決策について説明するものにすぎず、本出願を限定するよう意図されていない。本出願が上記の実施形態に関して詳細に説明したが、本出願の実施形態の技術的解決策の趣旨および範囲から逸脱することなく、当業者が、依然として上記の実施形態において説明した技術的解決策に変更を行い得るか、またはそれらのいくつかの技術的特徴に均等物との置換を行い得ることを当業者には理解されたい。
【図１】
2019528009.tif 000003
【図２】
2019528009.tif 000004
【図３】
2019528009.tif 000005
【図４】
2019528009.tif 000006
【図５】
2019528009.tif 000007
【図６】
2019528009.tif 000008
【図７】
2019528009.tif 000009
【図８】
2019528009.tif 000010
【図９】
2019528009.tif 000011
【図１０】
2019528009.tif 000012
【図１１】
2019528009.tif 000013
【図１２】
2019528009.tif 000014
【図１３】
2019528009.tif 000015
【図１４】
2019528009.tif 000016
【図１５】
2019528009.tif 000017
【図１６】
2019528009.tif 000018
【図１７】
2019528009.tif 000019
【図１８】
2019528009.tif 000020
【図１９】
2019528009.tif 000021
【図２０】
2019528009.tif 000022
【図２１】
2019528009.tif 000023
【図２２】
2019528009.tif 000024
【図２３】
2019528009.tif 000025
【図２４】
2019528009.tif 000026
【図２５】
2019528009.tif 000027
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
狭帯域モノのインターネットに適用可能なデータ処理方法であって、
コアネットワークデバイスによって、第１の指示メッセージを受信するステップであって、前記第１の指示メッセージは、端末デバイスがセルの変更またはセルの再選択を完了したことを示すために使用される、受信するステップと、
前記コアネットワークデバイスによって、ターゲット基地局にダウンリンクデータを送信するステップであって、前記ターゲット基地局は、前記端末デバイスが前記セルの変更または前記セルの再選択を完了した後に接続されている基地局である、送信するステップとを備える
ことを特徴とするデータ処理方法。
【請求項２】
コアネットワークデバイスによって第１の指示メッセージを受信する前記受信するステップは、
前記コアネットワークデバイスによって、前記ターゲット基地局によって送信された前記第１の指示メッセージを受信するステップであって、前記第１の指示メッセージは、前記ターゲット基地局が前記端末デバイスによって送信された無線リソース制御（ＲＲＣ）接続再確立要求を受信した後に送信されるものであり、前記ＲＲＣ接続再確立要求は、前記ターゲット基地局へ接続する理由を搬送するものである
ことを特徴とする請求項１記載の方法。
【請求項３】
狭帯域モノのインターネットに適用可能なデータ処理方法であって、
ターゲット基地局によって、第１の指示メッセージをコアネットワークデバイスに送信するステップであって、前記第１の指示メッセージは、端末デバイスがセルの変更またはセルの再選択を完了したことを示すために使用されるものであり、前記ターゲット基地局は、前記端末デバイスが前記セルの変更または前記セルの再選択を完了した後に接続されている基地局である、送信するステップと、
前記ターゲット基地局によって、前記コアネットワークデバイスからダウンリンクデータを受信するステップとを備える
ことを特徴とするデータ処理方法。
【請求項４】
前記ターゲット基地局によって、前記端末デバイスによって送信された無線リソース制御（ＲＲＣ）接続再確立要求を受信するステップであって、前記ＲＲＣ接続再確立要求は、前記ターゲット基地局へ接続する理由を搬送するものである受信するステップを更に備える
ことを特徴とする請求項３記載の方法。
【請求項５】
狭帯域モノのインターネットに適用可能なデータ処理装置であって、
第１の指示メッセージを受信するように構成された受信機であって、前記第１の指示メッセージは、端末デバイスがセルの変更またはセルの再選択を完了したことを示すために使用される、受信機と、
ターゲット基地局にダウンリンクデータを送信するように構成された送信機であって、前記ターゲット基地局は、前記端末デバイスが前記セルの変更または前記セルの再選択を完了した後に接続されている基地局である、送信機とを備える
ことを特徴とするデータ処理装置。
【請求項６】
前記受信機は特に、
前記ターゲット基地局によって送信された前記第１の指示メッセージを受信するように構成され、前記第１の指示メッセージは、前記ターゲット基地局が前記端末デバイスによって送信された無線リソース制御（ＲＲＣ）接続再確立要求を受信した後に送信され、前記ＲＲＣ接続再確立要求は、前記ターゲット基地局へ接続する理由を搬送するものである
ことを特徴とする請求項５記載の装置。
【請求項７】
狭帯域モノのインターネットに適用可能なデータ処理装置であって、
第１の指示メッセージをコアネットワークデバイスに送信する送信機であって、前記第１の指示メッセージは、端末デバイスがセルの変更またはセルの再選択を完了したことを示すために使用されるものであり、前記ターゲット基地局は、前記端末デバイスが前記セルの変更または前記セルの再選択を完了した後に接続されている基地局である、送信機と、
前記コアネットワークデバイスからダウンリンクデータを受信する受信機とを備える
ことを特徴とするデータ処理装置。
【請求項８】
前記受信機はさらに、
前記端末デバイスによって送信された無線リソース制御（ＲＲＣ）接続再確立要求を受信し、前記ＲＲＣ接続再確立要求は、前記ターゲット基地局へ接続する理由を搬送する
ことを特徴とする請求項７記載の装置。
【請求項９】
コアネットワークデバイスによるデータ処理に使用するためのプログラムコードを記録する非一時的コンピュータ可読記憶媒体であって、前記プログラムコードは、
第１の指示メッセージを受信するステップであって、前記第１の指示メッセージは、端末デバイスがセルの変更またはセルの再選択を完了したことを示すために使用される、受信するステップと、
ターゲット基地局にダウンリンクデータを送信するステップであって、前記ターゲット基地局は、前記端末デバイスが前記セルの変更または前記セルの再選択を完了した後に接続されている基地局である、送信するステップ
のための命令を備えることを特徴とする記憶媒体。
【請求項１０】
第１の指示メッセージを受信する前記受信するステップは、
前記ターゲット基地局によって送信された前記第１の指示メッセージを受信するステップであって、前記第１の指示メッセージは、前記ターゲット基地局が前記端末デバイスによって送信された無線リソース制御（ＲＲＣ）接続再確立要求を受信した後に送信されるものであり、前記ＲＲＣ接続再確立要求は、前記ターゲット基地局へ接続する理由を搬送するものである受信するステップ
のための命令を備えることを特徴とする請求項９記載の非一時的コンピュータ可読記憶媒体。
【請求項１１】
ターゲット基地局によるデータ処理に使用するためのプログラムコードを記録する非一時的コンピュータ可読記憶媒体であって、前記プログラムコードは、
第１の指示メッセージをコアネットワークデバイスに送信するステップであって、前記第１の指示メッセージは、端末デバイスがセルの変更またはセルの再選択を完了したことを示すために使用されるものであり、前記ターゲット基地局は、前記端末デバイスが前記セルの変更または前記セルの再選択を完了した後に接続されている基地局である、送信するステップと、
前記コアネットワークデバイスからダウンリンクデータを受信するステップ
のための命令を備えることを特徴とする記憶媒体。
【請求項１２】
前記端末デバイスによって送信された無線リソース制御（ＲＲＣ）接続再確立要求を受信するステップであって、前記ＲＲＣ接続再確立要求は、前記ターゲット基地局へ接続する理由を搬送するものである受信するステップ
のための命令を更に備えることを特徴とする請求項１１記載の非一時的コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本出願は、通信分野に関し、特に、セルを取得する方法および端末に関する。
【背景技術】
【０００２】
モバイル通信は人々の生活を大きく変化させたが、人々は、依然として、より良いパフォーマンスをもつモバイル通信を求めている。爆発的なモバイルデータトラフィックの成長と、大量のデバイス接続と、将来の様々な新しいサービスおよびアプリケーションシナリオの連続した出現とを満たすために、第５世代の（５Ｇ）モバイル通信システムが出現する。５Ｇの一部として、モノのインターネットが市場需要において急成長を遂げている。現在、３ＧＰＰ規格団体は、新しいエアインターフェースを設計し、狭帯域技術の特徴を十分に使用することによってセルラーネットワークベースのＩｏＴサービスを研究している。このタイプのＩｏＴは、狭帯域モノのインターネット（英語の名称：Ｎａｒｒｏｗｂａｎｄ  Ｉｎｔｅｒｎｅｔ  ｏｆ  Ｔｈｉｎｇｓ、略して、ＮＢ−ＩｏＴ）と呼ばれる。ＮＢ−ＩｏＴネットワーク、サービス、および端末の要件および特徴は、ネットワークアーキテクチャの設計にいくつかの新しい課題をもたらす。現在のモノのインターネットは、主に、低モビリティの端末および適用例をターゲットにしており、アイドルモードでモビリティ機能のみを実装する。しかしながら、モバイルのモノのインターネットの要件も重要な要件であり、したがって、接続モードでのモビリティを解決する必要がある。
【０００３】
現在、接続モードでのＮＢ−ＩｏＴのモビリティを実装するために、ロングタームエボリューション（英語の名称：Ｌｏｎｇ  Ｔｅｒｍ  Ｅｖｏｌｕｔｉｏｎ、略して、ＬＴＥ）のハンドオーバプロシージャが、通常はＮＢ−ＩｏＴに適用される。
【０００４】
ハンドオーバを実装するために、システム中で、ネットワーク側は、測定構成を実行する必要があり、さらに、端末は、測定報告を実行する必要がある。したがって、端末は、接続モードで測定と測定結果報告とを実行する必要がある。ハンドオーバの意思決定をサポートするために、ＵＥは、通常、２回以上測定報告を報告し、したがって、端末の電力消費量は比較的高くなる。
【発明の概要】
【発明が解決しようとする課題】
【０００５】
本出願の実施形態は、端末の電力消費量を低減するためにセルを取得する方法と端末とを提供する。
【課題を解決するための手段】
【０００６】
第１の態様によれば、本出願の一実施形態は、端末が、現在のソースサービングセルに接続される、すなわち、端末が、現在のソースサービングセルに対応する基地局とデータを交換するとき、端末によって、リアルタイムで現在のソースサービングセルの第１の品質パラメータを取得するステップと、第１の品質パラメータが第１のプリセットされたしきい値よりも小さい場合、端末によって、測定セルのセットを決定するステップと、次いで、端末によって、各対応する第２の品質パラメータを取得するために測定セルのセット中の各測定セルを測定するステップと、最後に、端末によって、第２の品質パラメータに基づいてターゲットサービングセルを決定するステップとを含む、セルを取得する方法を提供する。
【０００７】
本出願のこの実施形態において提供される技術的解決策では、端末は、それ自体でターゲットサービングセルを決定する。これは、接続モードでの測定報告回数の量を低減し、さらに、端末の電力消費量を低減する。
【０００８】
可能な実装形態では、測定セルのセットは、アイドルモードでの測定を通して端末によって取得された品質パラメータがプリセットされた値を超えるセルと、アイドルモードでの測定を通して端末によって取得された品質パラメータがより高くランク付けされたセルと、端末が接続され得るセルと、端末によって受信されたブロードキャストメッセージ中のセルリスト中のセルと、端末によって受信されたブロードキャストメッセージ中の周波数情報に関係するセルとのうちの少なくとも１つを含む。
【０００９】
本出願のこの実施形態において提供される技術的解決策では、測定セルの選択範囲は集中型であり、したがって、端末の測定回数の量が低減され、端末の電力消費量が低減される。
【００１０】
可能な実装形態では、端末は、アップリンク直接送信メッセージを使用することによって現在のソースサービングセルに対応するソース基地局にターゲットセルに関する情報を報告する。ターゲットセルに関する情報は、ターゲットサービングセルの識別ＩＤまたはターゲットサービングセルのインデックス値を含み得る。
【００１１】
可能な実装形態では、端末が、アップリンク直接送信メッセージを使用することによって、現在のソースサービングセルに対応するソース基地局にターゲットセルを報告した後に、ソース基地局は、ターゲット基地局を決定し得る。次いで、ソース基地局は、ターゲット基地局にハンドオーバ要求メッセージを送る。ソース基地局は、ターゲット基地局によってフィードバックされたハンドオーバ応答メッセージを受信し、端末は、ＲＲＣ接続リリースメッセージまたはダウンリンク直接送信メッセージを使用することによってソース基地局によって送られたターゲットセルに関する情報を受信する。端末は、ＲＲＣ接続確立完了メッセージと、ＲＲＣ再構成完了メッセージと、アップリンク直接送信メッセージとのうちの少なくとも１つを使用することによってターゲット基地局にセル変更肯定応答メッセージを送る。
【００１２】
上記の方式に基づいて、端末が、ターゲット基地局への接続を確立するとき、端末は、対応するシグナリングを使用することによってターゲット基地局に接続確立理由を示し得る。接続理由は、端末がセルを再選択すること、または端末がセルを変更すること、または端末とネットワークとの間の接続が中断され、復元される必要があることであり得る。本明細書では、特定の理由は限定されない。また、端末によって使用される複数のタイプのシグナリングがあり得、本明細書では、それは限定されない。
【００１３】
上記の方式に基づいて、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【００１４】
第２の態様によれば、本出願の一実施形態は、コアネットワークデバイスによって、端末がセルの変更またはセルの再選択を完了したことを示すために使用される第１の指示メッセージを取得するステップと、次いで、コアネットワークデバイスによって、端末がセルの変更またはセルの再選択を完了した後に端末に接続されたターゲット基地局にダウンリンクデータを送るステップとを含むデータ処理方法を提供する。
【００１５】
本出願のこの実施形態において提供される技術的解決策では、端末がセルの再選択またはセルの変更を完了したと決定した後に、コアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００１６】
本出願のこの実施形態では、コアネットワークデバイスは、ダウンリンクデータ喪失なしを実装するために以下のいくつかの方式でデータを処理し得る。
【００１７】
可能な実装形態では、コアネットワークデバイスは、ソース基地局に送られたダウンリンクデータを記憶し、ダウンリンクデータを記憶した後に第１のタイマーを開始する。ソース基地局は、端末がセルの変更またはセルの再選択を完了する前に端末に接続された基地局である。このようにして、コアネットワークデバイスは、第１のタイマーが満了する前に第１の指示メッセージを取得し得る。
【００１８】
本出願のこの実施形態において提供される技術的解決策では、コアネットワークデバイスは、ソース基地局に送られたダウンリンクデータを記憶し、端末がターゲット基地局への接続を確立した後、ターゲット基地局に記憶されたダウンリンクデータを送り、それにより、ダウンリンクデータが喪失されないことを効果的に保証し、モバイル状態での端末の連続性をさらに保証する。
【００１９】
上記の方式に基づいて、第１のタイマーが満了した後にコアネットワークデバイスが第１の指示メッセージを依然として取得しない場合、コアネットワークデバイスは、記憶されたダウンリンクデータを削除する。
【００２０】
本出願のこの実施形態において提供される技術的解決策では、コアネットワークデバイスが第１の指示メッセージを取得しないとき、コアネットワークデバイスは、記憶されたダウンリンクデータを削除し、したがって、ストレージ負担が効果的に低減され得る。
【００２１】
上記の方式に基づいて、コアネットワークデバイスは、端末によってダウンリンクデータを受信するステータスを示すために使用されるフィードバック情報を受信する。端末がダウンリンクデータを完全に受信したことをフィードバック情報が示す場合、コアネットワークデバイスはダウンリンクデータを削除し、または端末がダウンリンクデータを完全に受信していないことをフィードバック情報が示す場合、コアネットワークデバイスは、ターゲット基地局にダウンリンクデータを送るようにトリガされる。
【００２２】
本出願のこの実施形態において提供される技術的解決策では、コアネットワークデバイスは、端末によってダウンリンクデータを受信する特定のステータスに基づいて特定の動作を実行し、これは、ストレージ負担を低減し、コアネットワークデバイスの作業効率を改善するのに役立つ。
【００２３】
上記の方式に基づいて、コアネットワークデバイスによって取得された第１の指示メッセージは、初期端末コンテキストメッセージ、初期ＵＥメッセージまたは経路切替えメッセージなどのメッセージであり得る。
【００２４】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００２５】
別の可能な実装形態では、コアネットワークデバイスが第１の指示メッセージを取得する前に、コアネットワークデバイスは、端末がセルを再選択しようとしていることまたは端末がセルを変更しようとしていることを示すために使用される指示シグナリングを受信する。次いで、コアネットワークデバイスは、ソース基地局にダウンリンクデータを送るのを止め、第２のタイマーを開始し、ここで、ダウンリンクデータは、ソース基地局にコアネットワークデバイスによって送られるダウンリンクデータである。次いで、コアネットワークデバイスは、第２のタイマーが満了する前に第１の指示メッセージを取得する。
【００２６】
本出願のこの実施形態において提供される技術的解決策では、端末がセルを再選択しようとしていること、または端末がセルを変更しようとしていることを示すために使用される指示シグナリングを受信した後に、コアネットワークデバイスは、ダウンリンクデータを中断し、次いで、端末がターゲット基地局への接続を確立した後にターゲット基地局にダウンリンクデータを送り、それにより、ダウンリンクデータが喪失されないことを効果的に保証し、モバイル状態での端末の連続性をさらに保証する。
【００２７】
上記の方式に基づいて、第２のタイマーが満了した後にコアネットワークデバイスが第１の指示メッセージを依然として取得しない、すなわち、端末が、ターゲット基地局に接続することに失敗し得る場合、コアネットワークデバイスは、この場合、ソース基地局にダウンリンクデータを送るのを再開し始める。
【００２８】
本出願のこの実施形態において提供される技術的解決策では、コアネットワークデバイスは、特定の状況に基づいて特定の動作を実行し得、これは、コアネットワークデバイスの作動効率を改善するのに役立つ。
【００２９】
上記の方式に基づいて、第１の指示メッセージは、アップリンク非アクセス層メッセージトランスポートＵＬ  ＮＡＳトランスポート、または別のＳ１−ＡＰメッセージであり得る。本明細書では、これは特に限定されない。
【００３０】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００３１】
別の可能な実装形態では、コアネットワークデバイスが第１の指示メッセージを取得する前に、コアネットワークデバイスは、端末がセルを再選択または変更しようとしていることを示すために使用される指示シグナリングを受信する。次いで、コアネットワークデバイスは、ターゲット基地局にダウンリンクデータを送り始め、ソース基地局にダウンリンクデータを送り続け、第３のタイマーを開始し、ここで、ダウンリンクデータは、ソース基地局にコアネットワークデバイスによって送られるダウンリンクデータである。次いで、コアネットワークデバイスは、第３のタイマーが満了する前に第１の指示メッセージを取得する。最後に、第３のタイマーが満了する前にコアネットワークデバイスが第１の指示メッセージを取得する場合、コアネットワークデバイスは、ターゲット基地局にダウンリンクデータを送り、ソース基地局にダウンリンクデータを送るのを止める。
【００３２】
本出願のこの実施形態において提供される技術的解決策では、コアネットワークデバイスは、ソース基地局とターゲット基地局とにダウンリンクデータを同時に送り得、これは、ダウンリンクデータが喪失されないことを効果的に保証し、モバイル状態での端末の連続性をさらに保証し得る。
【００３３】
上記の方式に基づいて、第３のタイマーが満了した後にコアネットワークデバイスが第１の指示メッセージを依然として取得しない、すなわち、端末が、ターゲット基地局に接続することに失敗し得る場合、コアネットワークデバイスは、ターゲット基地局にダウンリンクデータを送るのを止める。
【００３４】
本出願のこの実施形態において提供される技術的解決策では、コアネットワークデバイスは、特定の状況に基づいて特定の動作を実行し得、これは、コアネットワークデバイスの作動効率を改善するのに役立つ。
【００３５】
上記の方式に基づいて、第１の指示メッセージは、ＵＬ  ＮＡＳトランスポートメッセージまたは別のＳ１−ＡＰメッセージである。
【００３６】
本出願のこの実施形態では、コアネットワークデバイスは、様々なタイプのシグナリングを使用することによって第１の指示メッセージを取得し得、これは、コアネットワークデバイスの適合性および効率を効果的に改善することができる。
【００３７】
可能な実装形態では、コアネットワークデバイスは、モビリティ管理エンティティ（英語の名称：Ｍｏｂｉｌｉｔｙ  Ｍａｎａｇｅｍｅｎｔ  Ｅｎｔｉｔｙ、略してＭＭＥ）であり得る。
【００３８】
実際の適用例では、コアネットワークデバイスは、さらに、別の物理的な装置であり得、本明細書では、特定の物理的な装置は限定されない。
【００３９】
第３の態様によれば、本出願の一実施形態は、端末がセルの再選択を完了する前に、または端末がセルの変更を完了する前に端末が位置するソースサービングセルに対応するソース基地局によって、端末がセルの変更を行い始めたことまたはセルを再選択し始めたことを示すために使用される第２の指示メッセージを取得するステップと、次いで、ターゲット基地局が端末にダウンリンクデータを送るように、ソース基地局によって、端末がセルの再選択またはセルの変更を完了した後にターゲットサービングセルに対応するターゲット基地局にダウンリンクデータを送るステップとを含むデータ処理方法を提供する。
【００４０】
本出願のこの実施形態では、ソース基地局とターゲット基地局との間のデータ送信は、ダウンリンクデータが喪失されないことを効果的に保証し、モバイル状態での端末の連続性をさらに保証し得る。
【００４１】
可能な設計の方式では、端末がセルの再選択を完了したことを第２の指示メッセージが示すとき、ソース基地局は、ターゲット基地局によって送られたデータ送信指示メッセージまたは無線リンク障害指示メッセージを受信し、次いで、ソース基地局は、ターゲット基地局に第１の要求メッセージを送り、最後に、ソース基地局は、第２の指示メッセージとしてターゲット基地局によってフィードバックされた第２の応答メッセージを受信する。本願明細書における第１の要求メッセージは、ハンドオーバ要求メッセージであり、第１の応答メッセージは、ハンドオーバ肯定応答メッセージである。第１の要求メッセージと第１の応答メッセージとの両方がＸ２−ＡＰメッセージであり得る。第１の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第１の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００４２】
もちろん、第２の要求メッセージと第２の応答メッセージとも別のタイプのメッセージであり得る。本明細書では、特定の場合は限定されない。
【００４３】
可能な設計の方式では、端末がセルの変更を行い始めたことを第２の指示メッセージが示すとき、ソース基地局は、ターゲット基地局に第２の要求メッセージを送り、最後に、ソース基地局は、第２の指示メッセージとしてターゲット基地局によってフィードバックされた第２の応答メッセージを受信する。第２の要求メッセージは、ハンドオーバ要求メッセージであり、第２の応答メッセージは、ハンドオーバ肯定応答メッセージである。本願明細書における第２の要求メッセージは、ハンドオーバ要求メッセージであり、第２の応答メッセージは、ハンドオーバ肯定応答メッセージである。第２の要求メッセージと第２の応答メッセージとの両方がＸ２−ＡＰメッセージであり得る。第２の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第２の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００４４】
もちろん、第２の要求メッセージと第２の応答メッセージとも別のタイプのメッセージであり得る。本明細書では、特定の場合は限定されない。
【００４５】
本出願のこの実施形態において提供される技術的解決策では、ソース基地局は、特定の指示メッセージに基づいて特定の動作を実行し、これは、ソース基地局の作動効率を効果的に改善することができる。
【００４６】
可能な設計の方式では、ソース基地局は、基地局間の相互接続インターフェースＸ２をスルーしてターゲット基地局にダウンリンクデータを送る。
【００４７】
もちろん、ソース基地局がターゲット基地局にダウンリンクデータを送る前に、ソース基地局は、コアネットワークデバイスによって送られたダウンリンクデータを受信する。データが基地局間で転送されるとき、データだけが転送され、シグナリングは転送されない。したがって、基地局にＮＡＳ情報を送るとき、コアネットワークデバイスは、データが送られるのかまたはシグナリングが送られるのかをソース基地局に示す必要がある。
【００４８】
別の可能な実装形態では、第２の指示メッセージは、アップリンク直接送信メッセージＵＬ情報転送または別の無線リソース制御ＲＲＣメッセージである。本明細書では、特定のメッセージ形態は限定されない。
【００４９】
上記は、ソース基地局に接続されたコアネットワークデバイスとターゲット基地局とが同じコアネットワークデバイスであるシナリオについてのみ説明した。実際の適用例では、ソース基地局に接続されたコアネットワークデバイスとターゲット基地局とは異なり得る。以下は、異なるコアネットワークデバイスが共存するシナリオについて説明する。
【００５０】
第４の態様によれば、本出願の一実施形態は、ソースコアネットワークデバイスによって、端末がサービングセルを変更しようとしていることまたはターゲットコアネットワークデバイスがダウンリンクデータを送ることを要求することを示すために使用される第３の指示メッセージを取得するステップであって、ソースコアネットワークデバイスは、セルの再選択またはセルの変更の前に端末に接続されたソース基地局に接続されたコアネットワークデバイスであり、ターゲットコアネットワークデバイスは、セルの再選択またはセルの変更後に端末に接続されたターゲット基地局に接続されたコアネットワークデバイスである、ステップと、次いで、ターゲットコアネットワークデバイスがターゲット基地局にダウンリンクデータを送るように、ソースコアネットワークデバイスによって、ターゲットコアネットワークデバイスにダウンリンクデータを送るステップとを含むデータ処理方法を提供する。
【００５１】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５２】
本出願のこの実施形態では、コアネットワークデバイスは、ダウンリンクデータが喪失されないことを実装するために以下のいくつかの方式でデータを処理し得る。
【００５３】
可能な実装形態では、ソースコアネットワークデバイスは、ダウンリンクデータを記憶し、第１のタイマーを開始し、ここで、ダウンリンクデータは、ソース基地局を通してソースコアネットワークデバイスによって送られるダウンリンクデータである。第１のタイマーが満了し、ソースコアネットワークデバイスが第１の指示メッセージを取得しない場合、ソースコアネットワークデバイスはダウンリンクデータを削除し、または第１のタイマーが満了せず、ソースコアネットワークデバイスが第１の指示メッセージを取得する場合、ソースコアネットワークデバイスは、ターゲットコアネットワークデバイスにダウンリンクデータを送るようにトリガされる。
【００５４】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５５】
上記の方式に基づいて、ターゲットコアネットワークデバイスがダウンリンクデータを送ることを要求することを第１の指示メッセージが示すとき、ソースコアネットワークデバイスは、ターゲットコアネットワークデバイスによって送られ、ソースコアネットワークデバイスに、データ送信チャネルを作成するように命令するために使用される第１の要求情報を受信する。第１の要求情報は、ターゲットコアネットワークデバイスに接続されたターゲット基地局からの第１の指示情報を受信した後にターゲットコアネットワークデバイスによって送られる。第１の指示情報は、ターゲットコアネットワークデバイスがソースコアネットワークデバイスからダウンリンクデータを取得する必要があることを示すために使用される。次いで、ソースコアネットワークデバイスは、ターゲットコアネットワークデバイスへ、データ送信チャネルを作成するための第１の応答メッセージを送る。最後に、ソースコアネットワークデバイスは、ターゲットコアネットワークデバイスにダウンリンクデータを送る。
【００５６】
第１の要求情報は、データ転送トンネル作成要求（create data forwarding tunnel request）であり得、第１の応答メッセージは、データ転送トンネル作成応答（create data forwarding tunnel response）であり得る。本明細書では、特定のシグナリング形態は限定されない。
【００５７】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００５８】
上記の方式に基づいて、ターゲットコアネットワークデバイスがダウンリンクデータを送ることを要求することを第１の指示メッセージが示すとき、ソースコアネットワークデバイスは、ターゲットコアネットワークデバイスによって送られ、ソースコアネットワークデバイスに、データ送信チャネルを作成するように命令するために使用される第２の要求情報を受信する。第２の要求情報は、第１の指示情報を受信した後にターゲットコアネットワークデバイスによって送られる。次いで、ソースコアネットワークデバイスは、ターゲットコアネットワークデバイスへ、データ送信チャネルを作成するための第２の応答メッセージを送り、ここで、第２の応答メッセージは、ダウンリンクデータを搬送する。
【００５９】
第２の要求情報は、データ転送トンネル作成要求データ転送トンネル作成要求であり得、第２の応答メッセージは、データ転送トンネル作成応答データ転送トンネル作成応答であり得る。本明細書では、特定のシグナリング形態は限定されない。
【００６０】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６１】
上記の方式に基づいて、ターゲットコアネットワークデバイスがダウンリンクデータを送ることを要求することを第１の指示メッセージが示すとき、ソースコアネットワークデバイスは、ターゲットコアネットワークデバイスによって送られ、ダウンリンクデータを要求するために使用される第３の要求情報を受信する。第３の要求情報は、第１の指示情報を受信した後にターゲットコアネットワークデバイスによって送られる。次いで、ソースコアネットワークデバイスは、ターゲットコアネットワークデバイスに第３の応答メッセージを送り、ここで、第３の応答メッセージは、ダウンリンクデータを搬送する。
【００６２】
第３の要求情報は、コンテキストおよびデータ要求コンテキストおよびデータ要求であり得、第３の応答メッセージは、コンテキストおよびデータ応答コンテキストおよびデータ応答であり得る。本明細書では、特定のシグナリング形態は限定されない。
【００６３】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６４】
上記の方式に基づいて、端末がセルの変更を行うことを第１の指示メッセージが示すとき、ソースコアネットワークデバイスは、ソースコアネットワークデバイスに接続されたソース基地局によって送られるハンドオーバ要求を受信し、ここで、ハンドオーバ要求は、ターゲットコアネットワークデバイスに関する情報を含む。次いで、ソースコアネットワークデバイスは、ターゲットコアネットワークデバイスに関する情報に基づいてターゲットコアネットワークデバイスにデータ割振り要求を送る。次に、ソースコアネットワークデバイスは、第１の指示情報としてターゲットコアネットワークデバイスによってフィードバックされたデータ割振り応答を受信し、データ割振り応答は、ターゲットコアネットワークデバイスがターゲット基地局によってフィードバックされたハンドオーバ応答を受信した後に送られる。次に、ソースコアネットワークデバイスは、ターゲットコアネットワークデバイスに、データ送信チャネルを作成するようにターゲットコアネットワークデバイスに命令するために使用される第４の要求情報を送る。次に、ソースコアネットワークデバイスは、データ送信チャネルを作成するための、ターゲットコアネットワークデバイスによってフィードバックされた第４の応答メッセージを受信する。最後に、ソースコアネットワークデバイスは、ターゲットコアネットワークデバイスにダウンリンクデータを送る。
【００６５】
データ割振り要求は、順方向再割振り要求（forward reallocation request）であり得、データ割振り応答は、順方向再配置応答であり得、第４の要求情報は、間接データ転送トンネル作成要求（create indirect data forwarding tunnel request）であり得、第４の応答メッセージは、間接データ転送トンネル作成応答（create indirect data forwarding tunnel response）であり得る。本明細書では、特定のシグナリング形態は限定されない。
【００６６】
本出願のこの実施形態において提供される技術的解決策では、端末がサービングセルを変更しようとしているまたはターゲットコアネットワークデバイスがダウンリンクデータを送ることを要求すると決定した後に、コアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００６７】
上記の方式に基づいて、端末がセルの変更を行うことを第１の指示メッセージが示すとき、ソースコアネットワークデバイスは、ソースコアネットワークデバイスに接続されたソース基地局によって送られるハンドオーバ要求を受信し、ここで、ハンドオーバ要求は、ターゲットコアネットワークデバイスに関する情報を含む。次いで、ソースコアネットワークデバイスは、ターゲットコアネットワークデバイスに関する情報に基づいてターゲットコアネットワークデバイスにデータ割振り要求を送る。次に、ソースコアネットワークデバイスは、第１の指示情報としてターゲットコアネットワークデバイスによってフィードバックされたデータ割振り応答を受信し、データ割振り応答は、ターゲットコアネットワークデバイスがターゲット基地局によってフィードバックされたハンドオーバ応答を受信した後に送られる。次に、ソースコアネットワークデバイスは、ターゲットコアネットワークデバイスによって送られる第５の要求情報を受信し、ここで、第５の要求情報は、ダウンリンクデータを要求するために使用される。最後に、ソースコアネットワークデバイスは、ターゲットコアネットワークデバイスに第５の応答メッセージを送り、ここで、第５の応答メッセージは、ダウンリンクデータを搬送する。
【００６８】
データ割振り要求は、順方向再割振り要求順方向再配置要求であり得、データ割振り応答は、順方向再配置応答であり得、第５の要求情報は、コンテキストおよびデータ要求コンテキストおよびデータ要求であり得、第５の応答メッセージは、コンテキストおよびデータ応答コンテキストおよびデータ応答であり得る。本明細書では、特定のシグナリング形態は限定されない。
【００６９】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７０】
上記の方式に基づいて、ソースコアネットワークデバイスは、端末によってダウンリンクデータを受信するステータスを示すために使用されるフィードバック情報をさらに受信し得る。端末がダウンリンクデータを完全に受信したことをフィードバック情報が示す場合、ソースコアネットワークデバイスはダウンリンクデータを削除し、または端末がダウンリンクデータを完全に受信していないことをフィードバック情報が示す場合、ソースコアネットワークデバイスは、ターゲットコアネットワークデバイスにダウンリンクデータを送るようにトリガされる。
【００７１】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７２】
別の実装形態では、ソースコアネットワークデバイスは、端末がセルを再選択または変更しようとしていることを示すために使用される指示シグナリングを受信する。次いで、ソースコアネットワークデバイスは、ソース基地局にダウンリンクデータを送るのを止め、第２のタイマーを開始する。最後に、ソースコアネットワークデバイスは、第２のタイマーが満了する前に第１の指示メッセージを取得する。
【００７３】
指示シグナリングは、アップリンク非アクセス層トランスポートメッセージＵＬ  ＮＡＳトランスポートまたは基地局とコアネットワークとの間の別のアップリンクメッセージである。本明細書では、特定のシグナリング形態は限定されない。
【００７４】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７５】
上記の方式に基づいて、第２のタイマーが満了し、ソースコアネットワークデバイスが第１の指示メッセージを取得しない場合、ソースコアネットワークデバイスは、ソース基地局にダウンリンクデータを送る。
【００７６】
上記の方式に基づいて、ソースコアネットワークデバイスは、ターゲットコアネットワークデバイスによって送られ、ソースコアネットワークデバイスに、データ送信チャネルを作成するように命令するために使用される第６の要求情報を受信し、ここで、第６の要求情報は、ターゲットコアネットワークデバイスがターゲット基地局から第２の指示情報を受信した後に送られ、第２の指示情報は、端末がセルの再選択を完了したかまたは端末がセルの変更を完了したことを示すために使用され、ターゲットコアネットワークデバイスは、ソースコアネットワークデバイスからダウンリンクデータを取得する必要がある。次いで、ソースコアネットワークデバイスは、ターゲットコアネットワークデバイスへ、データ送信チャネルを作成するための第６の応答メッセージを送る。最後に、ソースコアネットワークデバイスは、ターゲットコアネットワークデバイスにダウンリンクデータを送る。
【００７７】
第６の要求情報は、間接データ転送トンネル作成要求間接データ転送トンネル作成要求であり得、第６の応答メッセージは、間接データ転送トンネル作成応答間接データ転送トンネル作成応答であり得る。本明細書では、特定のシグナリング形態は限定されない。
【００７８】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００７９】
上記の方式に基づいて、ソースコアネットワークデバイスは、ターゲットコアネットワークデバイスによって送られ、ソースコアネットワークデバイスにダウンリンクデータを要求するために使用される第７の要求情報を受信し、ここで、第７の要求情報は、第２の指示情報を受信した後にターゲットコアネットワークデバイスによって送られる。次いで、ソースコアネットワークデバイスは、ターゲットコアネットワークデバイスへ、データ送信チャネルを作成するための第７の応答メッセージを送り、ここで、第７の応答メッセージは、ダウンリンクデータを搬送する。
【００８０】
第７の要求情報は、コンテキストおよびデータ要求コンテキストおよびデータ要求であり得、第７の応答メッセージは、コンテキストおよびデータ応答コンテキストおよびデータ応答であり得る。
【００８１】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００８２】
別の可能な実装形態では、端末がセルを再選択または変更しようとしていることを示すために使用される指示シグナリングをソースコアネットワークデバイスが受信した後、ソースコアネットワークデバイスは、ターゲット基地局を通して端末にダウンリンクデータを送り始め、ソース基地局を通して端末にダウンリンクデータを送り始め、第３のタイマーを開始する。第３のタイマーが満了する前にソースコアネットワークデバイスが第１の指示メッセージを取得する場合、ソースコアネットワークデバイスは、ソース基地局を通して端末にダウンリンクデータを送るのを止め、または第３のタイマーが満了した後にソースコアネットワークデバイスが第１の指示メッセージを取得しない場合、ソースコアネットワークデバイスは、ターゲット基地局を通して端末にダウンリンクデータを送るのを止める。
【００８３】
本出願のこの実施形態において提供される技術的解決策では、端末がサービングセルを変更しようとしているまたはターゲットコアネットワークデバイスがダウンリンクデータを送ることを要求すると決定した後に、ソースコアネットワークデバイスは、ターゲットコアネットワークデバイスにダウンリンクデータを送る。次いで、ターゲットコアネットワークデバイスは、ターゲット基地局にダウンリンクデータを送り、それにより、ダウンリンクデータがセルの変更またはセルの再選択後に喪失されないことを効果的に保証し、モバイル状態での端末の連続性をさらに保証する。
【００８４】
ソースコアネットワークデバイスとターゲットコアネットワークデバイスとの両方はモバイルＭＭＥであり得る。実際の適用例では、ソースコアネットワークデバイスとターゲットコアネットワークデバイスとは他の物理的な装置であり得、本明細書では、特定の物理的な装置は限定されない。
【００８５】
第５の態様によれば、本出願の一実施形態は、端末がセルを再選択または変更する前に端末が位置するソースサービングセルに対応するソース基地局によって、端末がセルの変更を行うことまたはセルの再選択を完了したことを示すために使用される第２の指示メッセージを取得するステップと、ターゲット基地局が端末にダウンリンクデータを送るように、ソース基地局によって、端末がセルの再選択またはセルの変更を完了した後にターゲットサービングセルに対応するターゲット基地局にダウンリンクデータを送るステップとを含むデータ処理方法を提供する。
【００８６】
本出願のこの実施形態では、ソース基地局とターゲット基地局との間のデータ送信は、ダウンリンクデータが喪失されないことを効果的に保証し、モバイル状態での端末の連続性をさらに保証し得る。
【００８７】
可能な設計の方式では、端末がセルの再選択を完了したことを第２の指示メッセージが示すとき、ソース基地局は、ターゲット基地局によって送られたセルの再選択もしくはセルの変更指示メッセージまたは無線リンク障害指示メッセージを受信し、次いで、ソース基地局は、ターゲット基地局に第１の要求メッセージを送り、最後に、ソース基地局は、第２の指示メッセージとしてターゲット基地局によってフィードバックされた第２の応答メッセージを受信する。本願明細書における第１の要求メッセージは、ハンドオーバ要求メッセージであり、第１の応答メッセージは、ハンドオーバ肯定応答メッセージである。第１の要求メッセージと第１の応答メッセージとの両方がＸ２−ＡＰメッセージであり得る。第１の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ肯定応答メッセージを受信した後に、ソース基地局は、ターゲット基地局にダウンリンクデータを送る。ダウンリンクデータは、ソース基地局が受信肯定応答を受信しないデータであるか、または送られないデータであり得る。第１の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００８８】
もちろん、第２の要求メッセージと第２の応答メッセージとも別のタイプのメッセージであり得る。本明細書では、特定の場合は限定されない。
【００８９】
可能な設計の方式では、端末がセルの変更を行い始めたことを第２の指示メッセージが示すとき、ソース基地局は、ターゲット基地局に第２の要求メッセージを送り、最後に、ソース基地局は、第２の指示メッセージとしてターゲット基地局によってフィードバックされた第２の応答メッセージを受信する。第２の要求メッセージは、ハンドオーバ要求メッセージであり、第２の応答メッセージは、ハンドオーバ肯定応答メッセージである。本願明細書における第２の要求メッセージは、ハンドオーバ要求メッセージであり、第２の応答メッセージは、ハンドオーバ肯定応答メッセージである。第２の要求メッセージと第２の応答メッセージとの両方がＸ２−ＡＰメッセージであり得る。第２の要求メッセージがハンドオーバ要求メッセージである場合、ターゲット基地局に送られるべきダウンリンクデータがあるのかどうかを示すための情報要素がハンドオーバ要求中にあり、ターゲット基地局に送られるべきダウンリンクデータがある場合、ハンドオーバ要求メッセージを受信した後に、ソース基地局は、ターゲット基地局にダウンリンクデータを送る。ダウンリンクデータは、ソース基地局が受信肯定応答を受信しないデータであるか、または送られないデータであり得る。第２の要求メッセージは、ハンドオーバ要求メッセージであり、ターゲット基地局にダウンリンクデータを送るための情報要素がハンドオーバ要求中にあり得る。ダウンリンクデータは、ソース基地局が受信肯定応答を受信しないデータであるか、または送られないデータであり得る。
【００９０】
もちろん、第２の要求メッセージと第２の応答メッセージとも別のタイプのメッセージであり得る。本明細書では、特定の場合は限定されない。
【００９１】
本出願のこの実施形態において提供される技術的解決策では、ソース基地局は、特定の指示メッセージに基づいて特定の動作を実行し、これは、ソース基地局の作動効率を効果的に改善することができる。
【００９２】
可能な設計の方式では、ソース基地局は、基地局間の相互接続インターフェースＸ２を通してターゲット基地局にダウンリンクデータを送る。
【００９３】
もちろん、ソース基地局がターゲット基地局にダウンリンクデータを送る前に、ソース基地局は、コアネットワークデバイスによって送られたダウンリンクデータを受信する。データが基地局間で転送されるとき、データだけが転送され、シグナリングは転送されない。したがって、基地局にＮＡＳ情報を送るとき、コアネットワークデバイスは、データが送られるのかまたはシグナリングが送られるのかをソース基地局に示す必要がある。
【００９４】
別の可能な実装形態では、第２の指示メッセージは、アップリンク直接送信メッセージＵＬ情報転送または別の無線リソース制御ＲＲＣメッセージである。本明細書では、特定のメッセージ形態は限定されない。
【００９５】
第６の態様によれば、本出願の一実施形態は端末を提供し、端末は、上記の方法で端末を実装する機能を有する。機能は、ハードウェアによって実装され得るか、または対応するソフトウェアを実行することによってハードウェアによって実装され得る。ハードウェアまたはソフトウェアは、上記の機能に対応する１つまたは複数のモジュールを含む。
【００９６】
可能な実装形態では、端末は、
端末が現在のソースサービングセルに接続されるとき、現在のソースサービングセルの第１の品質パラメータを取得することと、第１の品質パラメータが第１のプリセットされたしきい値よりも小さい場合、測定セルのセットを決定することと、各対応する第２の品質パラメータを取得するために測定セルのセット中の各測定セルを測定することと、第２の品質パラメータに基づいてターゲットサービングセルを決定することとを行うように構成された処理モジュール
を含む。
【００９７】
別の可能な実装形態では、端末は、
トランシーバと、プロセッサと、バスとを含み、ここで、
トランシーバは、バスを使用することによってプロセッサに接続され、
プロセッサは、端末が現在のソースサービングセルに接続されるとき、現在のソースサービングセルの第１の品質パラメータを取得するステップと、第１の品質パラメータが第１のプリセットされたしきい値よりも小さい場合、測定セルのセットを決定するステップと、各対応する第２の品質パラメータを取得するために測定セルのセット中の各測定セルを測定するステップと、第２の品質パラメータに基づいてターゲットサービングセルを決定するステップとを実行する。
【００９８】
第８の態様によれば、本出願の一実施形態は、コンピュータ記憶媒体を提供し、コンピュータ記憶媒体は、プログラムコードを記憶し、プログラムコードは、上記の第１の態様における方法を実行するように命令するために使用される。
【発明の効果】
【００９９】
上記の技術的解決策から、本出願の実施形態が以下の利点を有することが知られ得る。端末が現在のソースサービングセルに接続され、現在のソースサービングセルの第１の品質パラメータが第１のプリセットされたしきい値よりも小さいことを端末が知る場合、端末は、ターゲットサービングセルを決定するために測定セルを測定し得、ターゲットサービングセルを決定するための基地局に測定報告を繰り返し報告せず、それによって、報告回数の量を低減し、端末の電力消費量をさらに低減する。
【図面の簡単な説明】
【０１００】
【図１】本出願の一実施形態による、ネットワークシステムのフレームワークの概略図である。
【図２】本出願の一実施形態による、データ処理方法の一実施形態の概略図である。
【図３】本出願の一実施形態による、データ処理方法の別の実施形態の概略図である。
【図４】本出願の一実施形態による、データ処理方法の別の実施形態の概略図である。
【図５】本出願の一実施形態による、データ処理方法の別の実施形態の概略図である。
【図６】本出願の一実施形態による、データ処理方法の別の実施形態の概略図である。
【図７】本出願の一実施形態による、データ処理方法の別の実施形態の概略図である。
【図８】本出願の一実施形態による、データ処理方法の別の実施形態の概略図である。
【図９】本出願の一実施形態による、データ処理方法の別の実施形態の概略図である。
【図１０】本出願の一実施形態による、データ処理方法の別の実施形態の概略図である。
【図１１】本出願の一実施形態による、データ処理方法の別の実施形態の概略図である。
【図１２】本出願の一実施形態による、データ処理方法の別の実施形態の概略図である。
【図１３】本出願の一実施形態による、データ処理方法の別の実施形態の概略図である。
【図１４】本出願の一実施形態による、データ処理方法の別の実施形態の概略図である。
【図１５】本出願の一実施形態による、データ処理方法の別の実施形態の概略図である。
【図１６】本出願の一実施形態による、データ処理方法の別の実施形態の概略図である。
【図１７】本出願の一実施形態による、データ処理方法の別の実施形態の概略図である。
【図１８】本出願の一実施形態による、データ処理方法の別の実施形態の概略図である。
【図１９】本出願の一実施形態による、データ処理方法の別の実施形態の概略図である。
【図２０】本出願の一実施形態による、データ処理方法の別の実施形態の概略図である。
【図２１】本出願の一実施形態による、データ処理方法の別の実施形態の概略図である。
【図２２】本出願の一実施形態による、データ処理方法の別の実施形態の概略図である。
【図２３】本出願の一実施形態による、セルを取得する方法の一実施形態の概略図である。
【図２４】本出願の一実施形態による、端末の一実施形態の概略図である。
【図２５】本出願の一実施形態による、端末の別の実施形態の概略図である。
【発明を実施するための形態】
【０１０１】
以下は、本出願の実施形態における添付の図面を参照しながら本出願の実施形態における技術的解決策について明確に完全に説明する。明らかに、説明する実施形態は、本出願の実施形態の全部ではなく一部にすぎない。創造的な取り組みなしに本出願の実施形態に基づいて当業者によって取得されるすべての他の実施形態は、本出願の保護範囲内に入るものとする。
【０１０２】
本出願の明細書、特許請求の範囲、および添付の図面では、「第１の」、「第２の」、「第３の」、「第４の」など（存在する場合）という用語は、同様の物体を区別するよう意図されたものであるが、必ずしも特定の順序またはシーケンスを示すとは限らない。本明細書で説明する本発明の実施形態が、本明細書に示し記載する順序とは別の順序で実装され得るように、そのような方法で使用されるデータは、適切な状況では交換可能であることを理解されたい。さらに、「含む」、「含んでいる」という用語、および任意の他の変形は非排他的な包含をカバーすることを意味し、たとえば、ステップまたはユニットのリストを含むプロセス、方法、システム、製品、またはデバイスは、必ずしもそれらのステップまたはユニットに限定されるとは限らず、そのような処理、方法、製品、またはデバイスに明示的にリストされていないまたはそれに固有のものでない他のステップまたはユニットを含み得る。
【０１０３】
図１に示すネットワークシステムは、基地局と、端末と、コアネットワークデバイスとを含む。ネットワークシステムは、複数の基地局と、複数のコアネットワークデバイスと、複数の端末とを含み得る。基地局とコアネットワークデバイスとはＳ１インターフェースを通してデータを転送し、１つの基地局と別の基地局とは、Ｘ２インターフェースを通してデータを転送し、端末は、基地局を通してコアネットワークデバイスとデータを転送する。端末は、アイドルモードでセルを再選択し得、または接続モードでセルを変更し得る。どちらの場合も、端末は、ソースサービングセルに対応する基地局を通してコアネットワークとデータをもはや交換しない。代わりに、端末は、ターゲットサービングセルに対応する基地局を通してコアネットワークとデータを交換する。
【０１０４】
現在、３ＧＰＰ規格団体は、新しいエアインターフェースを設計し、狭帯域技術の特徴を十分に使用することによってセルラーネットワークベースのＩｏＴサービスを研究している。このタイプのＩｏＴは、狭帯域モノのインターネットと呼ばれる。ＮＢ−ＩｏＴは、主に、低モビリティの端末および用途をターゲットにしており、アイドルモードでモビリティ機能のみを実装する。しかしながら、モバイルのモノのインターネットの要件も重要な要件であり、したがって、接続モードでのモビリティを解決する必要がある。現在、接続モードでＮＢ−ＩｏＴのモビリティを実装するために、ＬＴＥハンドオーバプロシージャが、通常、ＮＢ−ＩｏＴに適用される。しかしながら、ＮＢ−ＩｏＴが、パケットデータコンバージェンスプロトコル層（英語の名称：Ｐａｃｋｅｔ  Ｄａｔａ  Ｃｏｎｖｅｒｇｅｎｃｅ  Ｐｒｏｔｏｃｏｌ、略して、ＰＤＣＰ）を含まないので、ＮＢ−ＩｏＴは、制御プレーン上でデータを送信することができず、さらに、端末がターゲット基地局にアクセスした後、端末は、ハンドオーバの前に完了されなかったダウンリンクデータを完全に受信することができない。
【０１０５】
この問題を解決するために、本出願の実施形態は、以下の技術的解決策を提供する。コアネットワークデバイスは、端末がセルの変更を完了したか、または端末がセルの再選択を完了したことを示すために使用される第１の指示メッセージを取得し、コアネットワークデバイスは、端末がセルの変更またはセルの再選択を完了した後に端末に接続されたターゲット基地局を通して端末にダウンリンクデータを送る。
【０１０６】
詳細には、以下のいくつかの実施形態に言及する。図２から図１２は、端末がセルを再選択するときに使用されるデータ処理方法であり、図１３から図２２は、端末がセルの変更を行うときに使用されるデータ処理方法である。
【０１０７】
詳細には、図２を参照すると、この実施形態では、端末はセルを再選択し、コアネットワークデバイスはデータを転送する。ソース基地局とターゲット基地局とは、１つのコアネットワークデバイスを共有する。
【０１０８】
２０１．コアネットワークデバイスは、ダウンリンクデータを記憶し、第１のタイマーを開始する。
【０１０９】
ソース基地局にダウンリンクデータを送るとき、コアネットワークデバイスは送られたダウンリンクデータを記憶し、第１のタイマーを開始する。
【０１１０】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。ソース基地局にＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。もちろん、ＭＭＥは、データパケット１を送った後にタイマー１を開始し、データパケット２を送った後にタイマー２を開始し、以下同様であり得る。これらのタイマーの値は、同じであることも異なることもある。さらに、ＭＭＥは、代替として、５つのパケットを送った後に１つのタイマーを開始し得る。特定の使用形態は限定されない。
【０１１１】
２０２．ターゲット基地局は、コアネットワークデバイスに第１の指示メッセージを送り、ここで、第１の指示メッセージは、端末がセルの再選択を完了したことを示すために使用される。
【０１１２】
端末がセルを再選択し、端末が、ターゲット基地局に正常に接続された後、ターゲット基地局は、端末がセルの再選択を完了したことをコアネットワークデバイスに通知するためにコアネットワークデバイスに第１の指示メッセージを送る。
【０１１３】
この実施形態では、端末をターゲット基地局に接続する必要がある場合、ＲＲＣ接続確立要求またはＲＲＣ接続再確立要求などの情報中に、端末は、ターゲット基地局に端末を接続することの理由をさらに追加し得る。たとえば、現在接続を確立することの理由がセルの再選択であることが示され得、または現在接続を確立することの理由が、ネットワークの切断であり、データを再接続する必要であることが示され得、または現在接続を確立することの理由がセルの変更であることが示され得る。本明細書では、特定の理由は限定されない。詳細には、ＮＢ−ＩｏＴでは２つのデータ送信の解決策がある。１つは、制御プレーン送信に基づき、もう１つは、ユーザプレーン送信に基づく。制御プレーンの解決策の場合、ターゲット基地局への接続を確立するとき、端末は、セルの再選択または別の理由値を搬送するＲＲＣ接続確立要求を開始し得る。接続確立要求を受信した後に、基地局は、端末にＲＲＣ接続確立メッセージを送り、端末は、基地局にＲＲＣ接続確立完了メッセージを返信する。
【０１１４】
データがユーザプレーンを使用することによって送信される解決策では、端末は、セルの再選択または別の理由値を搬送するためにＲＲＣ接続再確立要求を送り得る。接続確立要求を受信した後に、基地局は、端末にＲＲＣ接続再確立メッセージを送り、端末は、基地局にＲＲＣ接続再確立完了メッセージを返信する。
【０１１５】
端末へのＲＲＣ接続を確立した後に、基地局は、コアネットワークデバイスに初期ＵＥメッセージまたは経路切替えメッセージを送り、ここで、メッセージは、端末によって接続を確立することの理由値をも搬送する。次いで、コアネットワークは、接続を確立することの特定の理由について知る。
【０１１６】
詳細には、制御プレーン送信解決策では、無線リンク障害が発生し、端末が、コアネットワークデバイスから受信されるべきであるダウンリンク肯定応答メッセージを依然として有する場合、端末は、ＮＡＳ層を通知し得、ＮＡＳ層は、接続を再開することを決める。端末は、ターゲット基地局にＲＲＣ接続確立要求を送り、ＲＲＣ接続確立要求は、現在接続を確立することが、肯定応答メッセージまたは別の理由がコアネットワーク側から受信される必要があるという理由であることを示す理由値を搬送する。ターゲット基地局は、初期ＵＥメッセージを使用することによってコアネットワークにメッセージを送り得る。したがって、コアネットワークは、接続を確立することの理由を知る。
【０１１７】
代替として、このシナリオでは、端末によって送られるＲＲＣ接続確立要求中で搬送される理由値はＭＴであり、端末がＲＲＣ接続確立要求を送るとき、接続を確立することの理由を示す１つの情報要素がサービス要求メッセージに追加される。さらに、理由は、初期ＵＥメッセージを使用することによって基地局によってコアネットワークに送られる。したがって、コアネットワークは、接続を確立することの理由を知る。
【０１１８】
代替として、このシナリオでは、端末は、トラッキングエリア更新プロシージャを開始する。
【０１１９】
さらに、実際の適用例では、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【０１２０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０１２１】
この実施形態では、第１のタイマーが満了した後にターゲット基地局がコアネットワークデバイスに第１の指示メッセージを送らない場合、それは、端末がターゲット基地局に接続することに失敗したことを示すか、または、端末が第１のタイマーの稼働期間中にセルを再選択せず、コアネットワークデバイスは、記憶されたダウンリンクデータを削除し得る。たとえば、ＭＭＥが５つのデータパケットを記憶した１０秒後に、ＭＭＥが、ターゲット基地局によって送られた、端末がセルの再選択を完了したことを示すメッセージを受信しない場合、ＭＭＥは、５つのデータパケットを削除する。
【０１２２】
２０３．コアネットワークデバイスは、ターゲット基地局にダウンリンクデータを送る。
【０１２３】
コアネットワークデバイスは、ターゲット基地局に記憶されたダウンリンクデータを送る。
【０１２４】
この実施形態では、ターゲット基地局への端末による接続を確立する処理中に、端末は、ダウンリンクデータを受信するステータスをさらにフィードバックし得る。端末は、以下の方式で、ダウンリンクデータを受信するステータスをフィードバックし得る。たとえば、端末がダウンリンクデータを完全に受信していなかった場合、端末はフィードバック情報を送る。端末がダウンリンクデータを完全に受信していた場合、端末はフィードバック情報を送らない。もちろん、反対に、端末がダウンリンクデータを完全に受信していなかった場合、端末はフィードバック情報を送らない。端末がダウンリンクデータを完全に受信していた場合、端末はフィードバック情報を送る。フィードバック情報は、ＲＲＣ接続確立要求シグナリングまたはＲＲＣ接続確立完了シグナリング中で搬送され得る。ターゲット基地局がフィードバック情報を受信した後、ターゲット基地局は、コアネットワークデバイスに送られる初期端末情報初期ＵＥメッセージまたはデータ経路切替え経路切替えメッセージにフィードバック情報を、すなわち、端末がダウンリンクデータを完全に受信したこともしくは端末がダウンリンクデータを完全に受信しなかったことをコアネットワークデバイスに通知するために、さらに追加し得る。端末がダウンリンクデータを完全に受信したことをフィードバック情報が示す場合、コアネットワークデバイスはダウンリンクデータを削除し得る。端末がダウンリンクデータを完全に受信していなかったことをフィードバック情報が示す場合、コアネットワークデバイスは、ターゲット基地局を通して再び端末にダウンリンクデータを送る。本明細書では、特定のフィードバック方式およびフィードバック情報を送る方式は限定されない。
【０１２５】
この実施形態では、端末は、端末が５つのデータパケットを受信したのかどうかを決定し得る。端末が、データパケット１、データパケット２、データパケット３、データパケット４、およびデータパケット５の５つのデータパケットを完全に受信する場合、端末は、端末が５つのデータパケットを完全に受信したことをターゲット基地局を通してコアネットワークデバイスにフィードバックし得る。この場合、コアネットワークデバイスは、ターゲット基地局を通して再び端末に５つのデータパケットを送る必要がない。端末が、データパケット１、データパケット２、およびデータパケット３の３つのデータパケットしか受信しないことを端末が決定する場合、端末は、端末が５つのデータパケットを完全に受信しなかったことをターゲット基地局を通してコアネットワークデバイスにフィードバックし得る。この場合、端末は、受信したデータパケット１、データパケット２、およびデータパケット３を削除し、ターゲット基地局を通して端末にコアネットワークデバイスによって送られるデータパケット１、データパケット２、データパケット３、データパケット４、およびデータパケット５の５つのデータパケットを再受信し得る。端末が、データパケット１、データパケット２、およびデータパケット３の３つのデータパケットしか受信しないことを端末が決定する場合、端末は、コアネットワークデバイスに受信したデータパケットのシーケンス番号またはインデックス値をフィードバックし得る。コアネットワークデバイスは、最初の３つの記憶されたパケットを削除し、ターゲット基地局を通して第４のパケットと第５のパケットとを送り得る。コアネットワークデバイスが１つのデータパケットしか送らず、端末が、データパケットを完全に受信しない場合、端末は、ネットワーク側にフィードバックを送り、完全に受信されていないＮＡＳパケットを削除し、ＭＭＥは、ターゲット基地局を通して再びＮＡＳパケットを送る。詳細には、ＵＥは、ＮＡＳパケットを受信し、それぞれのデータのシーケンス番号に基づいて、どのパケットが受信されたのかを知り得、パケットのシーケンス番号をフィードバックし得るか、または何個のＮＡＳパケットが現在の接続で受信されたのかをフィードバックし得る。特定の形態は限定されない。
【０１２６】
２０４．ターゲット基地局は、端末にダウンリンクデータを送る。
【０１２７】
ターゲット基地局は、端末にダウンリンクデータを転送する。
【０１２８】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。さらに、アップリンクデータを送るとき、端末は、アップリンクデータがＮＡＳシグナリングであるのかまたはＮＡＳデータであるのかをさらに示し得る。さらに、データを送るとき、端末は、アップリンクデータパケットのＮＡＳカウントをさらに送り得る。セルの再選択、セルのハンドオーバ、またはセルの変更を行うなどの場合、基地局は、ターゲット基地局に正しく受信したが、順が狂ったデータパケットとシーケンス番号とを転送し得、端末は、ターゲット基地局に、受信について肯定応答されていないＮＡＳカウント値に対応するＮＡＳパケットを送り得る。
【０１２９】
この実施形態では、コアネットワークデバイスは、端末のためのダウンリンクデータを記憶する。次いで、端末がソース基地局からターゲット基地局にハンドオーバされた後、コアネットワークデバイスは、端末に記憶されたダウンリンクデータを送る。このようにして、再選択処理中にダウンリンクデータが喪失されないことが保証され得、データの連続性がさらに保証される。
【０１３０】
詳細には、図３を参照すると、この実施形態では、端末はセルを再選択し、コアネットワークデバイスはデータを転送する。ソース基地局とターゲット基地局とは、異なるコアネットワークデバイスに接続される。
【０１３１】
３０１．ソースコアネットワークデバイスは、ダウンリンクデータを記憶し、第１のタイマーを開始する。
【０１３２】
ソース基地局を通して端末にダウンリンクデータを送るとき、ソースコアネットワークデバイスは送られたダウンリンクデータを記憶し、第１のタイマーを開始する。
【０１３３】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。セルの再選択の前に、ソース基地局にソースＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。
【０１３４】
３０２．ターゲット基地局は、ターゲットコアネットワークデバイスに第１の命令を送る。
【０１３５】
端末がターゲット基地局への接続を確立するとき、ソース基地局に関する情報およびソースコアネットワークデバイスに関する情報などのコンテンツ、たとえば、ＧＵＴＩが、ＲＲＣ接続確立要求、ＲＲＣ接続再確立要求、ＲＲＣ接続確立完了メッセージ、およびＲＲＣ再確立完了メッセージなどのメッセージ中で搬送される。ターゲット基地局は、ターゲットコアネットワークデバイスに関連情報を搬送するコンテンツを転送する。ターゲットコアネットワークデバイスにターゲット基地局によって送られるメッセージは第１の命令と見なされ得、命令は、コアネットワークがデータを取得すべきであるのかどうかを示し得る。データが取得される必要がある場合、命令は、ターゲットコアネットワークデバイスがソースコアネットワークデバイスにダウンリンクデータを要求する必要があることを示す。
【０１３６】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０１３７】
３０３．ターゲットコアネットワークデバイスは、ソースコアネットワークデバイスにデータ送信チャネル作成要求を送る。
【０１３８】
ターゲットコアネットワークデバイスは、ソースコアネットワークデバイスにデータ送信チャネル作成要求を送る。
【０１３９】
この実施形態では、データ送信チャネル作成要求は、データ転送トンネル作成要求であり得る。本明細書では、特定のシグナリングは限定されない。
【０１４０】
３０４．ソースコアネットワークデバイスは、ターゲットコアネットワークデバイスにデータ送信チャネル作成応答を送る。
【０１４１】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０１４２】
この実施形態では、データ送信チャネル作成応答は、データ転送トンネル作成応答であり得る。本明細書では、特定のシグナリングは限定されない。
【０１４３】
３０５．ソースコアネットワークデバイスは、ターゲットコアネットワークデバイスにダウンリンクデータを送る。
【０１４４】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０１４５】
３０６．ターゲットコアネットワークデバイスは、ターゲット基地局にダウンリンクデータを送る。
【０１４６】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０１４７】
３０７．ターゲット基地局は、端末にダウンリンクデータを送る。
【０１４８】
ターゲット基地局がターゲットコアネットワークデバイスによって送られたダウンリンクデータを受信した後、ターゲット基地局は、端末にダウンリンクデータを送る。
【０１４９】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的におよび継続的に受信したデータパケットを送り得る。
【０１５０】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１５１】
詳細には、図４を参照すると、この実施形態では、端末はセルを再選択し、コアネットワークデバイスはデータを転送する。ソース基地局とターゲット基地局とは、異なるコアネットワークデバイスに接続される。
【０１５２】
ステップ４０１からステップ４０３は、ステップ３０１からステップ３０３と同じであり、本明細書では、詳細は再び説明されない。
【０１５３】
４０４．ソースコアネットワークデバイスは、ターゲットコアネットワークデバイスにダウンリンクデータを搬送するデータ送信チャネル作成応答を送る。
【０１５４】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０１５５】
この実施形態では、データ送信チャネル作成応答は、データ転送トンネル作成応答であり得る。本明細書では、特定のシグナリングは限定されない。
【０１５６】
ステップ４０５およびステップ４０６は、ステップ３０６およびステップ３０７と同じであり、本明細書では、詳細は再び説明されない。
【０１５７】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１５８】
詳細には、図５を参照すると、この実施形態では、端末はセルを再選択し、コアネットワークデバイスはデータを転送する。ソース基地局とターゲット基地局とは、異なるコアネットワークデバイスに接続される。
【０１５９】
ステップ５０１およびステップ５０２は、ステップ３０１およびステップ３０２と同じであり、本明細書では、詳細は再び説明されない。
【０１６０】
５０３．ターゲットコアネットワークデバイスは、ソースコアネットワークデバイスにコンテキスト情報およびデータ要求を送る。
【０１６１】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０１６２】
この実施形態では、コンテキスト情報およびデータ要求メッセージは、コンテキストおよびデータ要求であり得る。本明細書では、特定のシグナリングは限定されない。
【０１６３】
５０４．ソースコアネットワークデバイスは、ターゲットコアネットワークデバイスにダウンリンクデータを搬送するコンテキスト情報およびデータ応答を送る。
【０１６４】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０１６５】
この実施形態では、コンテキスト情報およびデータ応答は、コンテキストおよびデータ応答であり得る。本明細書では、特定のシグナリングは限定されない。
【０１６６】
ステップ５０５およびステップ５０６は、ステップ３０６およびステップ３０７と同じであり、本明細書では、詳細は再び説明されない。
【０１６７】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１６８】
詳細には、図６を参照すると、この実施形態では、端末はセルを再選択し、コアネットワークデバイスはデータを転送する。ソース基地局とターゲット基地局とは、同じコアネットワークデバイスに接続される。
【０１６９】
６０１．端末は、ソース基地局に指示シグナリングを送り、ここで、指示シグナリングは、端末がセルを再選択しようとしていることを示すために使用される。
【０１７０】
セルを再選択する前に、端末は、ソース基地局に指示シグナリングを送り、ここで、指示シグナリングは、端末がセルを再選択しようとしていることをソース基地局に通知するために使用される。
【０１７１】
この実施形態では、指示シグナリングは、セルの再選択の指示、Ｓ−ＴＭＳＩ、およびターゲット基地局などの情報を搬送する。情報は、ＲＲＣ接続確立要求またはＲＲＣ接続再確立要求などのＲＲＣメッセージに付加され得る。情報は、代替として、ＵＬ情報転送などのＮＡＳメッセージに取り付けられ得る。ＭＭＥは、この実施形態では一例として使用される。すなわち、情報は、ＮＡＳ層において通知メッセージとして使用され、ＲＲＣシグナリング中で搬送され得、またはフィールドは、セルの再選択を通知するためにＲＲＣメッセージに追加され得る。
【０１７２】
６０２．ソース基地局は、コアネットワークデバイスに通知メッセージを送り、ここで、通知メッセージは、端末がセルを再選択しようとしていることを示すために使用される。
【０１７３】
ソース基地局が端末によって送られた指示シグナリングを受信した後、ソース基地局は、コアネットワークデバイスに、端末がセルを再選択しようとしていることをコアネットワークデバイスに通知するために使用される通知メッセージを送る必要がある。
【０１７４】
この実施形態では、通知メッセージは、ＵＬ  ＮＡＳトランスポートシグナリングまたは別のＳ１−ＡＰメッセージであり得る。詳細には、ＮＡＳ層におけるメッセージが、コアネットワークを通知するためにＳ１−ＡＰメッセージ中で搬送され得、またはフィールドが、コアネットワークを示すためにＳ１−ＡＰメッセージまたはシグナリングに直接追加され得る。本明細書では、特定のシグナリングは限定されない。
【０１７５】
６０３．コアネットワークデバイスは、ソース基地局にダウンリンクデータを送るのを止め、第２のタイマーを開始する。
【０１７６】
端末がセルを再選択しようとしていることをコアネットワークデバイスが知った後、コアネットワークデバイスは、第２のタイマーを開始し、コアネットワークデバイスは、ソース基地局にダウンリンクデータを送るのを止める。
【０１７７】
この実施形態では、第１のタイマーの稼働持続時間は事前構成され、本明細書では、特定の持続時間は限定されない。実際の適用例では、ＭＭＥは、ソース基地局にデータパケット１、データパケット２、データパケット３、データパケット４、およびデータパケット５の５つのデータパケットを送るのを止める。
【０１７８】
６０４．ターゲット基地局は、コアネットワークデバイスに第１の指示メッセージを送り、ここで、第１の指示メッセージは、端末がセルの再選択を完了したことを示すために使用される。
【０１７９】
端末が、ターゲット基地局に正常に接続された後、ターゲット基地局は、端末がセルの再選択を完了したことをコアネットワークデバイスに通知するためにコアネットワークデバイスに第１の指示メッセージを送る。
【０１８０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０１８１】
この実施形態では、第２のタイマーが満了した後にターゲット基地局がコアネットワークデバイスに第１の指示メッセージを送らない場合、それは、端末がターゲット基地局に接続することに失敗したことを示す。この場合、端末は、ソース基地局にダウンリンクデータを送ることを再開する。たとえば、第２のタイマーが満了した後、ターゲット基地局によって送られ、端末がセルの再選択を完了したことを示すメッセージをＭＭＥが受信しない場合、ＭＭＥは、ソース基地局にデータパケット１、データパケット２、データパケット３、データパケット４、およびデータパケット５の５つのデータパケットを再び送り始める。
【０１８２】
６０５．コアネットワークデバイスは、ターゲット基地局にダウンリンクデータを送る。
【０１８３】
第１の指示情報を受信した後に、コアネットワークデバイスは、ターゲット基地局に、送られていないダウンリンクデータを送る。
【０１８４】
６０６．ターゲット基地局は、端末にダウンリンクデータを送る。
【０１８５】
ターゲット基地局は、端末にダウンリンクデータを転送する。
【０１８６】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０１８７】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０１８８】
詳細には、図７を参照すると、この実施形態では、端末はセルを再選択し、コアネットワークデバイスはデータを転送する。ソース基地局とターゲット基地局とは、異なるコアネットワークデバイスに接続される。
【０１８９】
ステップ７０１とステップ６０１とは同じであり、本明細書では、詳細は再び説明されない。
【０１９０】
７０２．ソース基地局は、ソースコアネットワークデバイスに通知メッセージを送り、ここで、通知メッセージは、端末がセルを再選択しようとしていることを示すために使用される。
【０１９１】
ソース基地局が端末によって送られた指示シグナリングを受信した後、ソース基地局は、ソースコアネットワークデバイスに、端末がセルを再選択しようとしていることをソースコアネットワークデバイスに通知するために使用される通知メッセージを送る必要がある。
【０１９２】
この実施形態では、通知メッセージは、ＵＬ  ＮＡＳトランスポートシグナリングまたは別のＳ１−ＡＰメッセージであり得る。本明細書では、特定のシグナリングは限定されない。
【０１９３】
７０３．ソースコアネットワークデバイスは、ソース基地局にダウンリンクデータを送るのを止め、第２のタイマーを開始する。
【０１９４】
端末がセルを再選択しようとしていることをソースコアネットワークデバイスが知った後、ソースコアネットワークデバイスは、第２のタイマーを開始し、ソースコアネットワークデバイスは、ソース基地局にダウンリンクデータを送るのを止める。
【０１９５】
この実施形態では、第１のタイマーの稼働持続時間は事前構成され、本明細書では、特定の持続時間は限定されない。実際の適用例では、ソースＭＭＥは、ソース基地局にデータパケット１、データパケット２、データパケット３、データパケット４、およびデータパケット５の５つのデータパケットを送るのを止める。
【０１９６】
７０４．ターゲット基地局は、ターゲットコアネットワークデバイスに通知命令を送り、ここで、通知命令は、端末がセルの再選択を完了したことを示し、ソースコアネットワークデバイスにデータを要求するようにターゲットコアネットワークデバイスに命令するために使用される。
【０１９７】
端末がターゲット基地局への接続を確立した後、ターゲット基地局は、ターゲットコアネットワークデバイスに通知命令を送り、ここで、通知命令は、端末がセルの再選択を完了したことを示し、ターゲットコアネットワークデバイスがソースコアネットワークデバイスにダウンリンクデータを要求する必要があることをターゲットコアネットワークデバイスに通知するために使用される。
【０１９８】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０１９９】
７０５．ターゲットコアネットワークデバイスは、ソースコアネットワークデバイスにデータ送信チャネル作成要求を送る。
【０２００】
ターゲットコアネットワークデバイスは、ソースコアネットワークデバイスにデータ送信チャネル作成要求を送る。
【０２０１】
この実施形態では、データ送信チャネル作成要求は、データ転送トンネル作成要求であり得る。本明細書では、特定のシグナリングは限定されない。
【０２０２】
７０６．ソースコアネットワークデバイスは、ターゲットコアネットワークデバイスにデータ送信チャネル作成応答を送る。
【０２０３】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０２０４】
この実施形態では、データ送信チャネル作成応答は、データ転送トンネル作成応答であり得る。本明細書では、特定のシグナリングは限定されない。
【０２０５】
７０７．ソースコアネットワークデバイスは、ターゲットコアネットワークデバイスにダウンリンクデータを送る。
【０２０６】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。ターゲットコアネットワークデバイスにデータを転送するとき、ソースコアネットワークデバイスは、最後のパケットを示し得るか、またはデータの転送の終了を示し得る。ターゲット基地局から指示情報を受信した後に、ターゲットコアネットワークデバイスは、Ｓ−ＧＷに経路切替え指示を送り、ターゲットＭＭＥがこれからＵＥのためのデータを転送することを示す。
【０２０７】
７０８．ターゲットコアネットワークデバイスは、ターゲット基地局にダウンリンクデータを送る。
【０２０８】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０２０９】
７０９．ターゲット基地局は、端末にダウンリンクデータを送る。
【０２１０】
ターゲット基地局がターゲットコアネットワークデバイスによって送られたダウンリンクデータを受信した後、ターゲット基地局は、端末にダウンリンクデータを送る。
【０２１１】
実際の適用例では、端末がターゲット基地局への接続を確立した後、ターゲット基地局は、ターゲットコアネットワークデバイスに初期ＵＥメッセージまたは経路切替えメッセージを送る。ターゲットコアネットワークデバイスは、基地局を通して端末によって転送される指示情報を使用することによってソースＭＭＥとソース基地局とに関する情報を取得する。ターゲットコアネットワークデバイスは、ソースコアネットワークデバイスに情報を送り、それにより、端末がターゲットコアネットワークデバイスへの接続を確立したことを示し得る。したがって、ソースコアネットワークデバイスは、データチャネル確立要求またはデータ転送要求を送るようにトリガされ、ターゲットコアネットワークデバイスは、応答メッセージで返答する。次いで、ソースコアネットワークデバイスは、ターゲットコアネットワークデバイスにデータを転送する。端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０２１２】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２１３】
詳細には、図８を参照すると、この実施形態では、端末はセルを再選択し、コアネットワークデバイスはデータを転送する。ソース基地局とターゲット基地局とは、異なるコアネットワークデバイスに接続される。
【０２１４】
ステップ８０１からステップ８０５は、ステップ７０１からステップ７０５と同じであり、本明細書では、詳細は再び説明されない。
【０２１５】
８０６．ソースコアネットワークデバイスは、ターゲットコアネットワークデバイスにダウンリンクデータを搬送するデータ送信チャネル作成応答を送る。
【０２１６】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０２１７】
この実施形態では、データ送信チャネル作成応答は、データ転送トンネル作成応答であり得る。本明細書では、特定のシグナリングは限定されない。
【０２１８】
ステップ８０７およびステップ８０８は、ステップ７０８およびステップ７０９と同じであり、本明細書では、詳細は再び説明されない。
【０２１９】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２２０】
詳細には、図９を参照すると、この実施形態では、端末はセルを再選択し、コアネットワークデバイスはデータを転送する。ソース基地局とターゲット基地局とは、異なるコアネットワークデバイスに接続される。
【０２２１】
ステップ９０１からステップ９０４は、ステップ７０１からステップ７０４と同じであり、本明細書では、詳細は再び説明されない。
【０２２２】
９０５．ターゲットコアネットワークデバイスは、ソースコアネットワークデバイスにコンテキスト情報およびデータ要求を送る。
【０２２３】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０２２４】
この実施形態では、コンテキスト情報およびデータ要求メッセージは、コンテキストおよびデータ要求であり得る。本明細書では、特定のシグナリングは限定されない。
【０２２５】
９０６．ソースコアネットワークデバイスは、ターゲットコアネットワークデバイスにダウンリンクデータを搬送するコンテキスト情報およびデータ応答を送る。
【０２２６】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０２２７】
この実施形態では、コンテキスト情報およびデータ応答は、コンテキストおよびデータ応答であり得る。本明細書では、特定のシグナリングは限定されない。
【０２２８】
ステップ９０７およびステップ９０８は、ステップ７０８およびステップ７０９と同じであり、本明細書では、詳細は再び説明されない。
【０２２９】
この実施形態では、端末がセルを再選択しようとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０２３０】
詳細には、図１０を参照すると、端末はセルを再選択し、コアネットワークデバイスはデータを転送する。ソース基地局とターゲット基地局とは、同じコアネットワークデバイスに接続される。
【０２３１】
ステップ１００１およびステップ１００２は、ステップ６０１およびステップ６０２と同じであり、本明細書では、詳細は再び説明されない。
【０２３２】
１００３．コアネットワークデバイスは、ソース基地局にダウンリンクデータを送り、ターゲット基地局にダウンリンクデータを送り、第３のタイマーを開始する。
【０２３３】
端末がセルを再選択しようとしていることを示すために使用される第１の指示メッセージをコアネットワークデバイスが受信した後、コアネットワークデバイスは、第３のタイマーを開始し得る。さらに、コアネットワークデバイスは、Ｓ１インターフェースを通してターゲット基地局にダウンリンクデータを送り得、コアネットワークデバイスは、依然として、Ｓ１インターフェースを通してソース基地局にダウンリンクデータを送る。
【０２３４】
１００４．ソース基地局は、端末にダウンリンクデータを送り、ターゲット基地局は、端末にダウンリンクデータを送る。
【０２３５】
ターゲット基地局がコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０２３６】
実際の適用例では、コアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送る場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０２３７】
１００５．ターゲット基地局は、コアネットワークデバイスに第１の指示メッセージを送り、ここで、第１の指示メッセージは、端末がセルの再選択を完了したことを示す。
【０２３８】
端末が、ターゲット基地局に正常に接続された後、ターゲット基地局は、端末がセルの再選択を完了したことをコアネットワークデバイスに通知するためにコアネットワークデバイスに第１の指示メッセージを送る。
【０２３９】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０２４０】
この実施形態では、第３のタイマーが満了した後にターゲット基地局がコアネットワークデバイスに第１の指示メッセージを送らない場合、それは、端末がターゲット基地局に接続することに失敗したことを示す。コアネットワークデバイスは、ターゲット基地局にダウンリンクデータを送るのを止め、ソース基地局にコアネットワークデバイスによってダウンリンクデータを送る行為を維持し得る。
【０２４１】
１００６．コアネットワークデバイスは、ソース基地局にダウンリンクデータを送るのを止める。
【０２４２】
端末がセルの再選択を完了したことをコアネットワークデバイスが知った後、コアネットワークデバイスは、ソース基地局にダウンリンクデータを送るのを止める。
【０２４３】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。重複データパケットが発生する場合、データパケットは、処理のためにＮＡＳ層に送られる。
【０２４４】
この実施形態では、端末がセルを再選択しようとしているというメッセージをコアネットワークデバイスが受信した後、コアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０２４５】
詳細には、図１１を参照すると、端末はセルを再選択し、コアネットワークデバイスはデータを転送する。ソース基地局とターゲット基地局とは、異なるコアネットワークデバイスに接続される。
【０２４６】
ステップ１１０１およびステップ１１０２は、ステップ７０１およびステップ７０２と同じであり、本明細書では、詳細は再び説明されない。
【０２４７】
１１０３．ソースコアネットワークデバイスは、ソース基地局にダウンリンクデータを送り、ターゲットコアネットワークデバイスは、ターゲット基地局にダウンリンクデータを送り、第３のタイマーを開始する。
【０２４８】
端末は、ソース基地局を通してソースコアネットワークデバイスに指示情報を送る。指示情報は、特定のＩＤ、セル識別情報などを含むターゲットコアネットワークデバイスとターゲット基地局とに関する情報を含む。ソースコアネットワークデバイスは、情報に基づいてターゲットコアネットワークデバイスを見つけ、データチャネル確立要求を送り、理由を示す。メッセージを受信した後に、ターゲットコアネットワークデバイスは、ターゲット基地局にセルの再選択または変更要求を示すメッセージを送る。ターゲット基地局がセルの再選択または変更に同意することを決める場合、ターゲット基地局は、応答メッセージに対応する構成情報を追加し、ターゲットコアネットワークデバイスに応答メッセージを送る。ターゲット基地局からメッセージを受信した後に、ターゲットコアネットワークデバイスは、データチャネル確立要求肯定応答を返信し、ソースコアネットワークにターゲット基地局によって送られた情報を転送し、端末に情報を送る。ターゲットコアネットワークデバイスから肯定応答メッセージを受信した後に、ソースコアネットワークデバイスは、ターゲットコアネットワークデバイスにダウンリンクデータを転送する。任意選択で、ソースコアネットワークデバイスは、データ送信要求を直接送り得、ターゲットコアネットワークは、応答情報を送る。応答情報は、端末のためのターゲット基地局の関連する構成情報を直接搬送し得る。本明細書では、ＧＴＰプロトコルが使用される。応答情報を受信した後に、ソースコアネットワークデバイスは、シグナリングを使用することによってデータを直接送信する。
【０２４９】
任意選択で、データを受信した後に、ターゲットコアネットワークデバイスは、第３のタイマーを開始し、第３のタイマー内に、ターゲット基地局を通して端末によって送られた情報を受信し、ターゲットコアネットワークデバイスは、ソース基地局にデータを送るのを止めるようにソースコアネットワークデバイスに命令する。第３のタイマーが満了し、ターゲットコアネットワークデバイスが、端末から接続確立情報を依然として受信しない場合、ターゲットコアネットワークデバイスはターゲット基地局にデータを送るのを止め、ターゲット基地局は、関係するデータを削除する。
【０２５０】
１１０４．ソース基地局は、端末にダウンリンクデータを送り、ターゲット基地局は、端末にダウンリンクデータを送る。
【０２５１】
ターゲット基地局がソースコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０２５２】
実際の適用例では、ソースコアネットワークデバイスが上記の方式でデータを送信し、端末がＮＡＳ  ＰＤＵを受信したが、ソース基地局が端末によってフィードバックされた肯定応答情報を受信していないかまたはそれを間違って解析する場合、この場合、ターゲット基地局が再びＮＡＳ  ＰＤＵを送る場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。重複パケットがコアネットワーク側で発生する場合、解決策は同じである。
【０２５３】
１１０５．ターゲット基地局は、ターゲットコアネットワークデバイスに通知命令を送り、シグナリングを取得した後に、ターゲットコアネットワークデバイスは、端末がセルの再選択を完了したことを知る。
【０２５４】
端末が、ターゲット基地局に正常に接続された後、ターゲット基地局は、端末がセルの再選択を完了したことをターゲットコアネットワークデバイスに通知するためにターゲットコアネットワークデバイスに第１の指示メッセージを送る。
【０２５５】
この実施形態では、通知命令は、初期ＵＥメッセージまたはターゲットコアネットワークデバイスにターゲット基地局によって送られる経路切替えメッセージなどのメッセージであり得る。本明細書では、特定のメッセージ形態は限定されない。
【０２５６】
１１０６．ターゲットコアネットワークデバイスは、ソースコアネットワークデバイスに通知メッセージを送り、ここで、通知メッセージは、端末がセルの再選択を完了したことを示すために使用される。
【０２５７】
端末がセルの再選択を完了したことをターゲットコアネットワークデバイスが知った後、ターゲットコアネットワークデバイスは、ソースコアネットワークデバイスに、端末がセルの再選択を完了したことを示す通知メッセージを送る。
【０２５８】
この実施形態では、第３のタイマーが満了した後にターゲット基地局がターゲットコアネットワークデバイスに通知命令を送らない場合、それは、端末がターゲット基地局に接続することに失敗したことを示す。さらに、ターゲットコアネットワークデバイスは、ソースコアネットワークデバイスにも通知メッセージを送らない。このようにして、ソースコアネットワークデバイスは、ターゲット基地局にダウンリンクデータを送るのを止め、ソース基地局にソースコアネットワークデバイスによってダウンリンクデータを送る行為を維持し得る。
【０２５９】
１１０７．ソースコアネットワークデバイスは、ソース基地局にダウンリンクデータを送るのを止め、ターゲット基地局にダウンリンクデータを送る。
【０２６０】
端末がセルの再選択を完了したことをソースコアネットワークデバイスが知った後、ソースコアネットワークデバイスは、ソース基地局にダウンリンクデータを送るのを止め、ターゲット基地局にダウンリンクデータを送るのを止める。
【０２６１】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０２６２】
この実施形態では、端末がセルを再選択しようとしているというメッセージをソースコアネットワークデバイスが受信した後、ソースコアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０２６３】
詳細には、図１２を参照すると、端末はセルを再選択し、基地局側はデータを転送する。
【０２６４】
１２０１．ターゲット基地局は、ソース基地局に指示情報を送り、ここで、指示情報は、端末がセルの再選択を完了したことを示すために使用される。
【０２６５】
端末がターゲット基地局への接続を確立した後、ターゲット基地局は、端末によって送られたソース基地局に関する情報を受信し、ターゲット基地局は、Ｘ２インターフェースを通してソース基地局に関する情報に基づいてソース基地局に端末がセルの再選択を完了したことを示すために使用される指示情報を送り得る。特定のメッセージは、セルの再選択指示であり得る。示すためのフィールドがＲＬＦ指示に追加される。特定のメッセージは限定されない。
【０２６６】
１２０２．ソース基地局は、ターゲット基地局にハンドオーバ要求を送る。
【０２６７】
端末がセルの再選択を完了したことをソース基地局が知った後、ソース基地局は、ターゲット基地局にハンドオーバ要求または別のＸ２メッセージを送る。
【０２６８】
１２０３．ターゲット基地局は、ソース基地局にハンドオーバ肯定応答メッセージを送る。
【０２６９】
ターゲット基地局がソース基地局からハンドオーバ要求を受信した後、ターゲット基地局は、ソース基地局にハンドオーバ肯定応答メッセージまたは別のＸ２メッセージを送り得る。このようにして、ターゲット基地局とソース基地局との間で、ハンドオーバシグナリングが、ターゲット基地局とソース基地局との間の接続シグナリングとして使用される。
【０２７０】
１２０４．ソース基地局は、ターゲット基地局にダウンリンクデータを送る。
【０２７１】
ソース基地局は、基地局間のＸ２インターフェースを通してターゲット基地局にダウンリンクデータを送る。
【０２７２】
さらに、実際の適用例では、データがターゲット基地局とソース基地局との間で転送されるとき、ターゲット基地局とソース基地局とは、データ転送のためにハンドオーバ要求に情報要素を追加し得る。情報要素の名前は、ＮＡＳ  ＰＤＵのためのデータ転送であり得る。代替として、ターゲット基地局とソース基地局とは、ダウンリンクデータ転送が追加される１つのＸ２−ＡＰシグナリングを使用する。情報要素の名前はＤＬデータ転送であり得る。代替として、ターゲット基地局にハンドオーバ要求コマンド（ハンドオーバ要求）を送るときに、ソース基地局は、ハンドオーバ要求に、ターゲットコアネットワークデバイスに送られるべきデータがあることを示すために使用される情報要素を追加し、ターゲット基地局によって送られたハンドオーバ肯定応答メッセージを受信した後に、ソース基地局は、ターゲット基地局にデータ転送シグナリングをさらに送る。この場合、シグナリングは、ＮＡＳ  ＰＤＵのためのデータ転送であり得る情報要素を含む。代替として、ターゲット基地局は、ＳＲＢ１に対応するＸ２ベアラを確立し、ＥＰＳベアラに対応する新しいＥ−ＲＡＢと、Ｅ−ＲＡＢのデータを搬送するために使用されるトンネルとを確立する。トンネルを確立した後に、ターゲット基地局は、ソース基地局に対応するトンネルアドレスを送り、したがって、ソース基地局は、トンネルを通してターゲット基地局にデータを転送する。ソース基地局がターゲット基地局にダウンリンクデータを送る複数の方式があり得る。本明細書では、これは限定されない。さらに、データ転送を完了した後に、ソース基地局は、最後のパケットを示すか、またはターゲット基地局にデータ送信の終了を示す。このようにして、ターゲット基地局は、最初に、端末またはコアネットワークにソース基地局によって送られたデータを送り、次いで、コアネットワークまたは端末から取得された新しいデータを送り、それにより、順が狂う場合を回避し得る。
【０２７３】
１２０５．ターゲット基地局は、端末にダウンリンクデータを送る。
【０２７４】
ターゲット基地局は、ソース基地局から端末に、取得されたダウンリンクデータを送る。
【０２７５】
実際の適用例では、ソース基地局からターゲット基地局によって取得されたデータが順々に送られ得ることを保証するために、ソース基地局からデータを取得した後に、ターゲット基地局は、ダウンリンクデータを受信するためにターゲットコアネットワークデバイスとシグナリングを交換する。代替として、ターゲット基地局は、最初に、ソース基地局から取得されたダウンリンクデータを送り、次いで、ターゲットコアネットワークデバイスによって送られたダウンリンクデータを受信する。本明細書では、特定の方式は限定されない。
【０２７６】
この実施形態では、データは、ソース基地局とターゲット基地局との間で送信され、それにより、再選択処理中にダウンリンクデータが喪失されないことを保証し、さらに、データの連続性を保証する。
【０２７７】
詳細には、図１３を参照すると、端末はセルの変更を行い、コアネットワークデバイスはデータを転送する。ソース基地局とターゲット基地局とは、同じコアネットワークデバイスに接続される。
【０２７８】
１３０１．コアネットワークデバイスは、ダウンリンクデータを記憶し、第１のタイマーを開始する。
【０２７９】
ソース基地局を通して端末にダウンリンクデータを送るとき、コアネットワークデバイスは送られたダウンリンクデータを記憶し、第１のタイマーを開始する。
【０２８０】
この実施形態では、第１のタイマーの稼働持続時間は事前構成され、本明細書では、特定の持続時間は限定されない。コアネットワークデバイスは、ＭＭＥであり得、またはＳＧＷなどの別のコアネットワークデバイスであり得る。データが喪失されないことをコアネットワークデバイスが効果的に保証することができるという条件で、本明細書では、特定の形態は限定されない。この実施形態では、ＭＭＥが一例として使用される。第１のタイマーの持続時間は１０秒である。セルの再選択の前に、ソース基地局にＭＭＥによって送られるダウンリンクデータは、データパケット１、データパケット２、データパケット３、データパケット４、およびデータパケット５である。ＭＭＥは、５つのデータパケットを記憶し、第１のタイマーを開始する。
【０２８１】
１３０２．ターゲット基地局は、コアネットワークデバイスに第１の指示メッセージを送り、ここで、第１の指示メッセージは、端末がセルの変更を完了したことを示すために使用される。
【０２８２】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０２８３】
この実施形態では、端末がターゲット基地局に接続される必要がある場合、ＲＲＣ接続確立要求またはＲＲＣ接続再確立要求などの情報中に、端末は、ターゲット基地局に端末を接続することの理由をさらに追加し得る。たとえば、現在接続を確立することの理由がセルの再選択であることが示され得、または現在接続を確立することの理由が、ネットワークの切断であり、データを再接続する必要であることが示され得、または現在接続を確立することの理由がセルの変更であることが示され得る。本明細書では、特定の理由は限定されない。詳細には、ＮＢ−ＩｏＴでは２つのデータ送信の解決策がある。１つは、制御プレーン送信に基づき、もう１つは、ユーザプレーン送信に基づく。制御プレーンの解決策の場合、ターゲット基地局への接続を確立するとき、端末は、セルの再選択または別の理由値を搬送するＲＲＣ接続確立要求を開始し得る。接続確立要求を受信した後に、基地局は、端末にＲＲＣ接続確立メッセージを送り、端末は、基地局にＲＲＣ接続確立完了メッセージを返信する。
【０２８４】
データがユーザプレーンを使用することによって送信される解決策では、端末は、セルの再選択または別の理由値を搬送するためにＲＲＣ接続再確立要求を送り得る。接続確立要求を受信した後に、基地局は、端末にＲＲＣ接続再確立メッセージを送り、端末は、基地局にＲＲＣ接続再確立完了メッセージを返信する。
【０２８５】
端末へのＲＲＣ接続を確立した後に、基地局は、コアネットワークデバイスに初期ＵＥメッセージまたは経路切替えメッセージを送り、ここで、メッセージは、端末によって接続を確立することの理由値をも搬送する。したがって、コアネットワークは、接続を確立することの特定の理由について知る。
【０２８６】
詳細には、制御プレーン送信解決策では、無線リンク障害が発生し、端末が、コアネットワークデバイスから受信されるべきであるダウンリンク肯定応答メッセージを依然として有する場合、端末は、ＮＡＳ層を通知し得、ＮＡＳ層は、接続を再開することを決める。端末は、ターゲット基地局にＲＲＣ接続確立要求を送り、ＲＲＣ接続確立要求は、現在接続を確立することが、肯定応答メッセージまたは別の理由をコアネットワーク側から受信する必要があるという理由であることを示す理由値を搬送する。ターゲット基地局は、初期ＵＥメッセージを使用することによってコアネットワークにメッセージを送り得る。したがって、コアネットワークは、接続を確立することの理由を知る。
【０２８７】
代替として、このシナリオでは、端末によって送られるＲＲＣ接続確立要求中で搬送される理由値はＭＴであり、端末がＲＲＣ接続確立要求を送るとき、接続を確立することの理由を示す１つの情報要素がサービス要求メッセージに追加される。さらに、理由は、初期ＵＥメッセージを使用することによって基地局によってコアネットワークに送られる。したがって、コアネットワークは、接続を確立することの理由を知る。
【０２８８】
代替として、このシナリオでは、端末は、トラッキングエリア更新プロシージャを開始する。
【０２８９】
さらに、実際の適用例では、端末がターゲット基地局にランダムにアクセスするとき、端末は、特定の専用シグナリングまたはシステムブロードキャストを使用することによって非アンカーキャリアの構成を取得し得る。専用シグナリングは、ＲＲＣ接続再構成またはＲＲＣ接続リリースなどのメッセージであり得、システムメッセージは、ＳＩＢ１またはＳＩＢ２などのシステムメッセージであり得る。本明細書では、特定の場合は限定されない。ランダムアクセスリソースの構成は、ランダムアクセスリソースの持続時間、ランダムアクセスリソースの開始時間、ランダムアクセスリソースのキャリアオフセット、ランダムアクセスリソースのサブキャリアの量、ランダムアクセスリソースのメッセージ３のサブキャリア開始ロケーション、プリアンブル試みの最大量、各プリアンブルの繰り返し量、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返し量、ランダムアクセス応答に対応するダウンリンク制御チャネル探索空間の開始ロケーション、およびランダムアクセス応答に対応するダウンリンク制御チャネルのオフセットなどの情報を含み得る。本明細書では、特定の場合は限定されない。
【０２９０】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０２９１】
この実施形態では、第１のタイマーが満了した後にターゲット基地局がコアネットワークデバイスに第１の指示メッセージを送らない場合、それは、端末がターゲット基地局に接続することに失敗したことを示すか、または、端末が第１のタイマーの稼働期間中にセルを再選択せず、コアネットワークデバイスは、記憶されたダウンリンクデータを削除し得る。たとえば、ＭＭＥが５つのデータパケットを記憶した１０秒後に、ＭＭＥが、ターゲット基地局によって送られた、端末がセルの再選択を完了したことを示すメッセージを受信しない場合、ＭＭＥは、５つのデータパケットを削除する。
【０２９２】
１３０３．コアネットワークデバイスは、ターゲット基地局にダウンリンクデータを送る。
【０２９３】
コアネットワークデバイスは、ターゲット基地局に記憶されたダウンリンクデータを送る。
【０２９４】
この実施形態では、ターゲット基地局への端末による接続を確立する処理中に、端末は、ダウンリンクデータを受信するステータスをさらにフィードバックし得る。端末は、以下の方式で、ダウンリンクデータを受信するステータスをフィードバックし得る。たとえば、端末がダウンリンクデータを完全に受信していなかった場合、端末はフィードバック情報を送る。端末がダウンリンクデータを完全に受信していた場合、端末はフィードバック情報を送らない。もちろん、反対に、端末がダウンリンクデータを完全に受信していなかった場合、端末はフィードバック情報を送らない。端末がダウンリンクデータを完全に受信していた場合、端末はフィードバック情報を送る。フィードバック情報は、ＲＲＣ接続確立要求シグナリングまたはＲＲＣ接続確立完了シグナリング中で搬送され得る。ターゲット基地局がフィードバック情報を受信した後、ターゲット基地局は、コアネットワークデバイスに送られる初期端末情報初期ＵＥメッセージまたはデータ経路切替え経路切替えメッセージにフィードバック情報を、すなわち、端末がダウンリンクデータを完全に受信したこともしくは端末がダウンリンクデータを完全に受信しなかったことをコアネットワークデバイスに通知するために、さらに追加し得る。端末がダウンリンクデータを完全に受信したことをフィードバック情報が示す場合、コアネットワークデバイスはダウンリンクデータを削除し得る。端末がダウンリンクデータを完全に受信していなかったことをフィードバック情報が示す場合、コアネットワークデバイスは、ターゲット基地局を通して再び端末にダウンリンクデータを送る。本明細書では、特定のフィードバック方式およびフィードバック情報を送る方式は限定されない。
【０２９５】
この実施形態では、端末は、端末が５つのデータパケットを受信したのかどうかを決定し得る。端末が、データパケット１、データパケット２、データパケット３、データパケット４、およびデータパケット５の５つのデータパケットを完全に受信する場合、端末は、端末が５つのデータパケットを完全に受信したことをターゲット基地局を通してコアネットワークデバイスにフィードバックし得る。この場合、コアネットワークデバイスは、ターゲット基地局を通して再び端末に５つのデータパケットを送る必要がない。端末が、データパケット１、データパケット２、およびデータパケット３の３つのデータパケットしか受信しないことを端末が決定する場合、端末は、端末が５つのデータパケットを完全に受信しなかったことをターゲット基地局を通してコアネットワークデバイスにフィードバックし得る。この場合、端末は、受信したデータパケット１、データパケット２、およびデータパケット３を削除し、ターゲット基地局を通して端末にコアネットワークデバイスによって送られるデータパケット１、データパケット２、データパケット３、データパケット４、およびデータパケット５の５つのデータパケットを再受信し得る。端末が、データパケット１、データパケット２、およびデータパケット３の３つのデータパケットしか受信しないことを端末が決定する場合、端末は、コアネットワークデバイスに受信したＮＡＳパケットのシーケンス番号またはインデックス値をフィードバックし得る。コアネットワークデバイスは、最初の３つの記憶されたパケットを削除し、ターゲット基地局を通して第４のパケットと第５のパケットとを送り得る。コアネットワークデバイスが１つのＮＡＳパケットしか送らず、端末が、ＮＡＳパケットを完全に受信しない場合、端末は、コアネットワークデバイスにフィードバックを送り、完全に受信されていないＮＡＳパケットを削除し、コアネットワークデバイスは、ターゲット基地局を通して再びＮＡＳパケットを送る。詳細には、端末は、ＮＡＳパケットを受信し、それぞれのデータのシーケンス番号に基づいて、どのパケットが受信されたのかを知り得、パケットのシーケンス番号をフィードバックし得るか、または何個のＮＡＳパケットが現在の接続で受信されたのかをフィードバックし得る。特定の形態は限定されない。
【０２９６】
１３０４．ターゲット基地局は、端末にダウンリンクデータを送る。
【０２９７】
ターゲット基地局は、端末にダウンリンクデータを転送する。
【０２９８】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０２９９】
この実施形態では、コアネットワークデバイスは、端末のためのダウンリンクデータを記憶する。次いで、端末がソース基地局からターゲット基地局にハンドオーバされた後、コアネットワークデバイスは、端末に、記憶されたダウンリンクデータを送る。このようにして、再選択処理中にダウンリンクデータが喪失されないことが保証され得、データの連続性がさらに保証される。
【０３００】
詳細には、図１４を参照すると、端末はセルの変更を行い、コアネットワークデバイスはデータを転送する。ソース基地局とターゲット基地局とは、異なるコアネットワークデバイスに接続される。
【０３０１】
ステップ１４０１とステップ１３０１とは同じであり、本明細書では、詳細は再び説明されない。
【０３０２】
１４０２．ソース基地局は、ソースコアネットワークデバイスにハンドオーバ要求を送り、ここで、ハンドオーバ要求は、ターゲット基地局に関する情報とターゲットコアネットワークデバイスに関する情報とを含む。
【０３０３】
ソース基地局がハンドオーバの決定を行った後、ソース基地局は、ソースコアネットワークデバイスにハンドオーバ要求を送り、ここで、ハンドオーバ要求は、ターゲット基地局に関する情報とターゲットコアネットワークデバイスに関する情報とを含む。
【０３０４】
この実施形態では、ハンドオーバ要求は、ＨＯ要求シグナリング（HO required signaling）であり得るか、または他のシグナリングによって示され得る。本明細書では、特定のシグナリングは限定されない。
【０３０５】
１４０３．ソースコアネットワークデバイスは、ターゲットコアネットワークデバイスにデータ割振り要求を送る。
【０３０６】
ソースコアネットワークデバイスがハンドオーバ要求を受信した後、ソースコアネットワークデバイスは、ターゲットコアネットワークデバイスに関する情報に基づいてターゲットコアネットワークデバイスにデータ割振り要求を送る。
【０３０７】
この実施形態では、データ割振り要求は、順方向再配置要求シグナリング（forward relocation request signaling）であり得るか、または他のシグナリングであり得る。本明細書では、これは特に限定されない。
【０３０８】
１４０４．ターゲットコアネットワークデバイスは、ターゲット基地局にハンドオーバ要求を送る。
【０３０９】
ターゲットコアネットワークデバイスがデータ割振り要求を受信した後、ターゲットコアネットワークデバイスは、ターゲット基地局にハンドオーバ要求を送る。
【０３１０】
この実施形態では、ハンドオーバ要求は、ＨＯ要求シグナリングであり得るか、または他のシグナリングによって示され得る。本明細書では、特定のシグナリングは限定されない。
【０３１１】
Ｓ１４０５．ターゲット基地局は、ターゲットコアネットワークデバイスにハンドオーバ応答を送る。
【０３１２】
ターゲット基地局は、ターゲットコアネットワークデバイスにハンドオーバ応答をフィードバックする。
【０３１３】
この実施形態では、ハンドオーバ応答は、ＨＯ応答情報であり得るか、または他のシグナリングによって示され得る。本明細書では、特定のシグナリングは限定されない。
【０３１４】
１４０６．ターゲットコアネットワークデバイスは、ソースコアネットワークデバイスにデータ割振り応答を送る。
【０３１５】
ターゲットコアネットワークデバイスがターゲット基地局によってフィードバックされたハンドオーバ応答を受信した後、ターゲットコアネットワークデバイスは、ソースコアネットワークデバイスにデータ割振り応答をフィードバックする。
【０３１６】
この実施形態では、データ割振り応答は、順方向再配置応答シグナリング（forward relocation response signaling）であり得るか、または他のシグナリングであり得る。本明細書では、これは特に限定されない。
【０３１７】
１４０７．ソースコアネットワークデバイスは、ソース基地局にハンドオーバコマンドを送る。
【０３１８】
ソースコアネットワークデバイスが、ターゲットコアネットワークデバイスによってフィードバックされたデータ割振り応答を受信した後、ソースコアネットワークデバイスは、ハンドオーバが実行され得ることをソース基地局に通知する。
【０３１９】
この実施形態では、ハンドオーバコマンドは、ＨＯコマンドシグナリングであり得るか、または他のシグナリングであり得る。本明細書では、これは特に限定されない。
【０３２０】
１４０８．ソースコアネットワークデバイスは、ターゲットコアネットワークデバイスにデータ送信チャネル作成要求を送る。
【０３２１】
ソースコアネットワークデバイスは、ターゲットコアネットワークデバイスにデータ送信チャネル作成要求を送る。
【０３２２】
この実施形態では、データ送信チャネル作成要求は、間接データ転送トンネル作成要求であり得る。本明細書では、特定のシグナリングは限定されない。
【０３２３】
１４０９．ターゲットコアネットワークデバイスは、ソースコアネットワークデバイスにデータ送信チャネル作成応答を送る。
【０３２４】
ターゲットコアネットワークデバイスがソースコアネットワークデバイスによって送られたデータ送信チャネル作成要求を受信した後、ターゲットコアネットワークデバイスは、ソースコアネットワークデバイスにデータ送信チャネル作成応答をフィードバックし、それにより、ターゲットコアネットワークデバイスがデータ送信チャネルを確立することに同意することを示す。
【０３２５】
この実施形態では、データ送信チャネル作成応答は、間接データ転送トンネル作成応答であり得る。本明細書では、特定のシグナリングは限定されない。
【０３２６】
１４１０．ソースコアネットワークデバイスは、ターゲットコアネットワークデバイスにダウンリンクデータを送る。
【０３２７】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０３２８】
１４１１．ターゲットコアネットワークデバイスは、ターゲット基地局にダウンリンクデータを送る。
【０３２９】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０３３０】
１４１２．ターゲット基地局は、端末にダウンリンクデータを送る。
【０３３１】
ターゲット基地局がターゲットコアネットワークデバイスによって送られたダウンリンクデータを受信した後、ターゲット基地局は、端末にダウンリンクデータを送る。
【０３３２】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３３３】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３３４】
詳細には、図１５を参照すると、端末はセルの変更を行い、コアネットワークデバイスはデータを転送する。ソース基地局とターゲット基地局とは、異なるコアネットワークデバイスに接続される。
【０３３５】
ステップ１５０１からステップ１５０７は、ステップ１４０１からステップ１４０７と同じであり、本明細書では、詳細は再び説明されない。
【０３３６】
１５０８．ターゲットコアネットワークデバイスは、ソースコアネットワークデバイスにコンテキスト情報およびデータ要求を送る。
【０３３７】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０３３８】
この実施形態では、コンテキスト情報およびデータ要求メッセージは、コンテキストおよびデータ要求であり得る。本明細書では、特定のシグナリングは限定されない。
【０３３９】
１５０９．ソースコアネットワークデバイスは、ターゲットコアネットワークデバイスにダウンリンクデータを搬送するコンテキスト情報およびデータ応答を送る。
【０３４０】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０３４１】
この実施形態では、コンテキスト情報およびデータ応答は、コンテキストおよびデータ応答であり得る。本明細書では、特定のシグナリングは限定されない。
【０３４２】
ステップ１５１０およびステップ１５１１は、ステップ１４１１およびステップ１４１２と同じであり、本明細書では、詳細は再び説明されない。
【０３４３】
この実施形態では、ソースコアネットワークデバイスは、端末のためのダウンリンクデータを記憶する。次いで、端末がソース基地局からターゲット基地局にハンドオーバされた後、ソースコアネットワークデバイスは、ターゲットコアネットワークデバイスに記憶されたダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３４４】
詳細には、図１６を参照すると、端末はセルの変更を行い、コアネットワークデバイスはデータを転送する。ソース基地局とターゲット基地局とは、同じコアネットワークデバイスに接続される。
【０３４５】
１６０１．ソース基地局は、コアネットワークデバイスに通知メッセージを送り、ここで、通知メッセージは、端末がセルの変更を行おうとしていることを示すために使用される。
【０３４６】
ソース基地局がハンドオーバの決定を行った後、ソース基地局は、端末がセルの変更を行おうとしていることをコアネットワークデバイスに通知するためにコアネットワークデバイスに通知メッセージを送る。
【０３４７】
この実施形態では、ソース基地局は、コアネットワークデバイスに通知するためにＳ１−ＡＰメッセージを送り得る。シグナリングの名前は、ＨＯ指示であり得、または他のシグナリングであり得る。本明細書では、これは特に限定されない。
【０３４８】
１６０２．コアネットワークデバイスは、ソース基地局にダウンリンクデータを送るのを止め、第２のタイマーを開始する。
【０３４９】
端末がセルの変更を行おうとしていることをコアネットワークデバイスが知った後、コアネットワークデバイスは、第２のタイマーを開始し、コアネットワークデバイスは、ソース基地局にダウンリンクデータを送るのを止める。
【０３５０】
この実施形態では、第１のタイマーの稼働持続時間は事前構成され、本明細書では、特定の持続時間は限定されない。実際の適用例では、ＭＭＥは、ソース基地局にデータパケット１、データパケット２、データパケット３、データパケット４、およびデータパケット５の５つのデータパケットを送るのを止める。
【０３５１】
１６０３．ターゲット基地局は、コアネットワークデバイスに第１の指示メッセージを送り、ここで、第１の指示メッセージは、端末がセルの変更を完了したことを示すために使用される。
【０３５２】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０３５３】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０３５４】
この実施形態では、第２のタイマーが満了した後にターゲット基地局がコアネットワークデバイスに第１の指示メッセージを送らない場合、それは、端末がターゲット基地局に接続することに失敗したことを示す。この場合、端末は、ソース基地局にダウンリンクデータを送ることを再開する。たとえば、第２のタイマーが満了した後、ターゲット基地局によって送られ、端末がセルの再選択を完了したことを示すメッセージをＭＭＥが受信しない場合、ＭＭＥは、ソース基地局にデータパケット１、データパケット２、データパケット３、データパケット４、およびデータパケット５の５つのデータパケットを再び送り始める。
【０３５５】
１６０４．コアネットワークデバイスは、ターゲット基地局にダウンリンクデータを送る。
【０３５６】
第１の指示情報を受信した後に、コアネットワークデバイスは、ターゲット基地局に、送られていないダウンリンクデータを送る。
【０３５７】
１６０５．ターゲット基地局は、端末にダウンリンクデータを送る。
【０３５８】
ターゲット基地局は、端末にダウンリンクデータを転送する。
【０３５９】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３６０】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３６１】
詳細には、図１７を参照すると、端末はセルの変更を行い、コアネットワークデバイスはデータを転送する。ソース基地局とターゲット基地局とは、異なるコアネットワークデバイスに接続される。
【０３６２】
１７０１．ソース基地局は、ソースコアネットワークデバイスに通知メッセージを送り、ここで、通知メッセージは、端末がセルの変更を行おうとしていることを示すために使用される。
【０３６３】
ソース基地局が変更の決定を行った後、ソース基地局は、端末がセルの変更を行おうとしていることをソースコアネットワークデバイスに通知するためにソースコアネットワークデバイスに通知メッセージを送る。
【０３６４】
この実施形態では、ソース基地局は、ソースコアネットワークデバイスに通知するためにＵＬ  ＮＡＳトランスポートなどのＳ１−ＡＰメッセージを送り得る。シグナリングの名前は、ＨＯ指示であり得、または他のシグナリングであり得る。本明細書では、これは特に限定されない。
【０３６５】
１７０２．ソースコアネットワークデバイスは、ソース基地局にダウンリンクデータを送るのを止め、第２のタイマーを開始する。
【０３６６】
端末がセルの変更を行おうとしていることをソースコアネットワークデバイスが知った後、ソースコアネットワークデバイスは、第２のタイマーを開始し、ソースコアネットワークデバイスは、ソース基地局にダウンリンクデータを送るのを止める。
【０３６７】
この実施形態では、第１のタイマーの稼働持続時間は事前構成され、本明細書では、特定の持続時間は限定されない。実際の適用例では、ソースＭＭＥは、ソース基地局にデータパケット１、データパケット２、データパケット３、データパケット４、およびデータパケット５の５つのデータパケットを送るのを止める。
【０３６８】
１７０３．ターゲット基地局は、ターゲットコアネットワークデバイスに通知命令を送り、ここで、通知命令は、端末がセルの変更を完了したことを示し、ソースコアネットワークデバイスにデータを要求するようにターゲットコアネットワークデバイスに命令するために使用される。
【０３６９】
端末がターゲット基地局への接続を確立した後、ターゲット基地局は、ターゲットコアネットワークデバイスに通知命令を送り、ここで、通知命令は、端末がセルの変更を完了したことを示し、ターゲットコアネットワークデバイスがソースコアネットワークデバイスにダウンリンクデータを要求する必要があることをターゲットコアネットワークデバイスに通知するために使用される。
【０３７０】
この実施形態では、ターゲット基地局は、ターゲットコアネットワークデバイスに初期ＵＥメッセージを送り得る。さらに、初期ＵＥメッセージは、ターゲットコアネットワークデバイスがソースコアネットワークデバイスにダウンリンクデータを要求する必要があることを示すために使用されるフィールドまたは情報要素を搬送する。この場合、初期ＵＥメッセージは、第１の命令として使用され得る。たとえば、この実施形態では、ターゲット基地局は、ターゲットＭＭＥに初期ＵＥメッセージを送り、初期ＵＥメッセージにフィールド１１００を追加し得、ここで、フィールド１１００は、ターゲットＭＭＥがソースＭＭＥにデータパケット１、データパケット２、データパケット３、データパケット４、およびデータパケット５の５つのデータパケットを要求する必要があることを示すために使用される。
【０３７１】
１７０４．ターゲットコアネットワークデバイスは、ソースコアネットワークデバイスにデータ送信チャネル作成要求を送る。
【０３７２】
ターゲットコアネットワークデバイスは、ソースコアネットワークデバイスにデータ送信チャネル作成要求を送る。
【０３７３】
この実施形態では、データ送信チャネル作成要求は、データ転送トンネル作成要求であり得る。本明細書では、特定のシグナリングは限定されない。
【０３７４】
１７０５．ソースコアネットワークデバイスは、ターゲットコアネットワークデバイスにデータ送信チャネル作成応答を送る。
【０３７５】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示す。
【０３７６】
この実施形態では、データ送信チャネル作成応答は、データ転送トンネル作成応答であり得る。本明細書では、特定のシグナリングは限定されない。
【０３７７】
１７０６．ソースコアネットワークデバイスは、ターゲットコアネットワークデバイスにダウンリンクデータを送る。
【０３７８】
データ送信チャネルを確立した後に、ソースコアネットワークデバイスは、ターゲットコアネットワークデバイスにダウンリンクデータを送る。たとえば、ソースＭＭＥは、ターゲットＭＭＥにデータパケット１、データパケット２、データパケット３、データパケット４、およびデータパケット５の５つのデータパケットを送る。
【０３７９】
１７０７．ターゲットコアネットワークデバイスは、ターゲット基地局にダウンリンクデータを送る。
【０３８０】
ソースコアネットワークデバイスによって送られたダウンリンクデータを受信した後に、ターゲットコアネットワークデバイスは、ターゲット基地局にダウンリンクデータを転送する。たとえば、この実施形態では、ターゲットＭＭＥは、ターゲット基地局にデータパケット１、データパケット２、データパケット３、データパケット４、およびデータパケット５の５つのデータパケットを送る。
【０３８１】
１７０８．ターゲット基地局は、端末にダウンリンクデータを送る。
【０３８２】
ターゲット基地局がターゲットコアネットワークデバイスによって送られたダウンリンクデータを受信した後、ターゲット基地局は、端末にダウンリンクデータを送る。
【０３８３】
実際の適用例では、端末がターゲット基地局を通してコアネットワークデバイスにアップリンクデータをどのように送るのかがさらに決定され得る。端末がターゲット基地局への接続を確立した後、端末は、受信肯定応答がソース基地局から受信されていない第１のデータパケットから開始してターゲット基地局にデータを送る。端末がターゲット基地局への接続を確立し始めるとき、ソース基地局は、コアネットワークデバイスに、連続的に受信したデータパケットを送り得る。
【０３８４】
任意選択で、ターゲットコアネットワークデバイスは、最初に、データチャネル作成要求メッセージを送るかまたはデータおよびコンテキスト要求メッセージを送るようにソースコアネットワークデバイスをトリガするためにセル変更完了命令を送り、ターゲットコアネットワークデバイスから応答情報を受信し得る。データは、要求中に送られることも、応答が受信された後に送られることもある。
【０３８５】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３８６】
詳細には、図１８を参照すると、端末はセルの変更を行い、コアネットワークデバイスはデータを転送する。ソース基地局とターゲット基地局とは、異なるコアネットワークデバイスに接続される。
【０３８７】
ステップ１８０１からステップ１８０４は、ステップ１７０１からステップ１７０４と同じであり、本明細書では、詳細は再び説明されない。
【０３８８】
１８０５．ソースコアネットワークデバイスは、ターゲットコアネットワークデバイスにダウンリンクデータを搬送するデータ送信チャネル作成応答を送る。
【０３８９】
ソースコアネットワークデバイスがターゲットコアネットワークデバイスによって送られたデータ送信チャネル作成要求を受信した後、ソースコアネットワークデバイスは、ターゲットコアネットワークデバイスにデータ送信チャネル作成応答をフィードバックし、それにより、ソースコアネットワークデバイスがデータ送信チャネルを確立することに同意することを示し、データ送信チャネル作成応答にダウンリンクデータを追加する。
【０３９０】
この実施形態では、データ送信チャネル作成応答は、データ転送トンネル作成応答であり得る。本明細書では、特定のシグナリングは限定されない。
【０３９１】
ステップ１８０６およびステップ１８０７は、ステップ１７０７およびステップ１７０８と同じであり、本明細書では、詳細は再び説明されない。
【０３９２】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０３９３】
詳細には、図１９を参照すると、端末はセルの変更を行い、コアネットワークデバイスはデータを転送する。ソース基地局とターゲット基地局とは、異なるコアネットワークデバイスに接続される。
【０３９４】
ステップ１９０１からステップ１９０３は、ステップ１７０１からステップ１７０３と同じであり、本明細書では、詳細は再び説明されない。
【０３９５】
１９０４．ターゲットコアネットワークデバイスは、ソースコアネットワークデバイスにコンテキスト情報およびデータ要求を送る。
【０３９６】
ターゲット基地局によって送られ、ターゲットコアネットワークデバイスがソースコアネットワークデバイスにダウンリンクデータを要求する必要があることを示すために使用される第１の命令をターゲットコアネットワークデバイスが受信した後、ターゲットコアネットワークデバイスは、ソースコアネットワークデバイスにコンテキスト情報およびデータ要求メッセージを直接送り得る。
【０３９７】
この実施形態では、コンテキスト情報およびデータ要求メッセージは、コンテキストおよびデータ要求であり得る。本明細書では、特定のシグナリングは限定されない。
【０３９８】
１９０５．ソースコアネットワークデバイスは、ターゲットコアネットワークデバイスにダウンリンクデータを搬送するコンテキスト情報およびデータ応答を送る。
【０３９９】
ソースコアネットワークデバイスがターゲットコアネットワークデバイスによって送られたコンテキスト情報およびデータ要求メッセージを受信した後、ソースコアネットワークデバイスは、ターゲットコアネットワークデバイスにコンテキスト情報およびデータ応答をフィードバックし、それにより、ソースコアネットワークデバイスがコンテキスト情報およびダウンリンクデータを送ることに同意することを示し、コンテキスト情報およびデータ応答にダウンリンクデータおよびコンテキスト情報を追加する。
【０４００】
この実施形態では、コンテキスト情報およびデータ応答は、コンテキストおよびデータ応答であり得る。本明細書では、特定のシグナリングは限定されない。
【０４０１】
ステップ１９０６およびステップ１９０７は、ステップ１７０７およびステップ１７０８と同じであり、本明細書では、詳細は再び説明されない。
【０４０２】
この実施形態では、端末がセルの変更を行おうとしているというメッセージをソースコアネットワークデバイスが受信した後、ソースコアネットワークデバイスは、ソース基地局にダウンリンクデータを送ることを中断する。このようにして、端末がソース基地局からターゲット基地局にハンドオーバされた後、ソースコアネットワークデバイスは、ターゲットコアネットワークデバイスにダウンリンクデータを送り、次いで、ダウンリンクデータがターゲット基地局を通して端末に送られる。このようにして、再選択処理中にダウンリンクデータが喪失されないことが保証され得、データの連続性がさらに保証される。
【０４０３】
詳細には、図２０を参照すると、端末はセルの変更を行い、コアネットワークデバイスはデータを転送する。ソース基地局とターゲット基地局とは、同じコアネットワークデバイスに接続される。
【０４０４】
ステップ２００１とステップ１６０１とは同じであり、本明細書では、詳細は再び説明されない。
【０４０５】
２００２．コアネットワークデバイスは、ソース基地局にダウンリンクデータを送り、ターゲット基地局にダウンリンクデータを送り、第３のタイマーを開始する。
【０４０６】
端末がセルの変更を行おうとしていることを示すために使用される第１の指示メッセージをコアネットワークデバイスが受信した後、コアネットワークデバイスは、第３のタイマーを開始し得る。さらに、コアネットワークデバイスは、Ｓ１インターフェースを通してターゲット基地局にダウンリンクデータを送り得、コアネットワークデバイスは、依然として、Ｓ１インターフェースを通してソース基地局にダウンリンクデータを送る。
【０４０７】
２００３．ソース基地局は、端末にダウンリンクデータを送り、ターゲット基地局は、端末にダウンリンクデータを送る。
【０４０８】
ターゲット基地局がコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０４０９】
実際の適用例では、コアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送信する場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０４１０】
２００４．ターゲット基地局は、コアネットワークデバイスに第１の指示メッセージを送り、ここで、第１の指示メッセージは、端末がセルの変更を完了したことを示す。
【０４１１】
端末が、ターゲット基地局に正常に接続された後、ターゲット基地局は、端末がセルの変更を完了したことをコアネットワークデバイスに通知するためにコアネットワークデバイスに第１の指示メッセージを送る。
【０４１２】
この実施形態では、第１の指示メッセージは、初期ＵＥメッセージまたはコアネットワークデバイスにターゲット基地局によって送られる経路切替えメッセージなどのメッセージであり得る。本明細書では、特定のメッセージ形態は限定されない。
【０４１３】
この実施形態では、第３のタイマーが満了した後にターゲット基地局がコアネットワークデバイスに第１の指示メッセージを送らない場合、それは、端末がターゲット基地局に接続することに失敗したことを示す。コアネットワークデバイスは、ターゲット基地局にダウンリンクデータを送るのを止め、ソース基地局にコアネットワークデバイスによってダウンリンクデータを送る行為を維持し得る。
【０４１４】
２００５．コアネットワークデバイスは、ソース基地局にダウンリンクデータを送るのを止める。
【０４１５】
端末がセルの変更を完了したことをコアネットワークデバイスが知った後、コアネットワークデバイスは、ソース基地局にダウンリンクデータを送るのを止める。
【０４１６】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０４１７】
この実施形態では、端末がセルの変更を行おうとしているというメッセージをコアネットワークデバイスが受信した後、コアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０４１８】
詳細には、図２１を参照すると、端末はセルの変更を行い、コアネットワークデバイスはデータを転送する。ソース基地局とターゲット基地局とは、異なるコアネットワークデバイスに接続される。
【０４１９】
ステップ２１０１とステップ１７０１とは同じであり、本明細書では、詳細は再び説明されない。
【０４２０】
２１０２．ソースコアネットワークデバイスは、ソース基地局にダウンリンクデータを送り、ターゲット基地局にダウンリンクデータを送り、第３のタイマーを開始する。
【０４２１】
端末がセルの変更を行おうとしていることを示すために使用される第１の指示メッセージをソースコアネットワークデバイスが受信した後、ソースコアネットワークデバイスは、第３のタイマーを開始し得る。さらに、ソースコアネットワークデバイスは、Ｓ１インターフェースを通してターゲット基地局にダウンリンクデータを送り得、ソースコアネットワークデバイスは、依然として、Ｓ１インターフェースを通してソース基地局にダウンリンクデータを送る。
【０４２２】
２１０３．ソース基地局は、端末にダウンリンクデータを送り、ターゲット基地局は、端末にダウンリンクデータを送る。
【０４２３】
ターゲット基地局がソースコアネットワークデバイスによって送られたダウンリンクデータを受信した後、ターゲット基地局は、端末への接続を確立した後に端末にダウンリンクデータを送り得る。ソース基地局は、端末への接続を維持しながら、端末にダウンリンクデータを送り得る。
【０４２４】
実際の適用例では、ソースコアネットワークデバイスが上記の方式でデータを送信し、端末がＮＡＳ  ＰＤＵを受信したが、ソース基地局が端末によってフィードバックされた肯定応答情報を受信していない場合、この場合、ターゲット基地局が再びＮＡＳ  ＰＤＵを送信する場合、端末は、２つのＮＡＳ  ＰＤＵを受信する。ＮＡＳ  ＰＤＵがシーケンス番号を有しないので、端末は、ＮＡＳカウントを使用することによってＮＡＳ層においてＮＡＳ  ＰＤＵを解決し得る。すなわち、同じＮＡＳカウントが発見された後、１つのＮＡＳカウントに対応するデータパケットが削除される。
【０４２５】
２１０４．ターゲット基地局は、ターゲットコアネットワークデバイスに通知命令を送り、ここで、通知命令は、端末がセルの変更を完了したことを示すために使用される。
【０４２６】
端末が、ターゲット基地局に正常に接続された後、ターゲット基地局は、端末がセルの変更を完了したことをターゲットコアネットワークデバイスに通知するためにターゲットコアネットワークデバイスに第１の指示メッセージを送る。
【０４２７】
この実施形態では、通知命令は、初期ＵＥメッセージまたはターゲットコアネットワークデバイスにターゲット基地局によって送られる経路切替えメッセージなどのメッセージであり得る。本明細書では、特定のメッセージ形態は限定されない。
【０４２８】
２１０５．ターゲットコアネットワークデバイスは、ソースコアネットワークデバイスに通知メッセージを送り、ここで、通知メッセージは、端末がセルの変更を完了したことを示すために使用される。
【０４２９】
端末がセルの変更を完了したことをターゲットコアネットワークデバイスが知った後、ターゲットコアネットワークデバイスは、ソースコアネットワークデバイスに、端末がセルの変更を完了したことを示す通知メッセージを送る。
【０４３０】
この実施形態では、第３のタイマーが満了した後にターゲット基地局がターゲットコアネットワークデバイスに通知命令を送らない場合、それは、端末がターゲット基地局に接続することに失敗したことを示す。さらに、ターゲットコアネットワークデバイスは、ソースコアネットワークデバイスにも通知メッセージを送らない。このようにして、ソースコアネットワークデバイスは、ターゲット基地局にダウンリンクデータを送るのを止め、ソース基地局にソースコアネットワークデバイスによってダウンリンクデータを送る行為を維持し得る。
【０４３１】
２１０６．ソースコアネットワークデバイスは、ソース基地局にダウンリンクデータを送るのを止め、ターゲット基地局にダウンリンクデータを送るのを止める。
【０４３２】
端末がセルの変更を完了したことをソースコアネットワークデバイスが知った後、ソースコアネットワークデバイスは、ソース基地局にダウンリンクデータを送るのを止め、ターゲット基地局にダウンリンクデータを送るのを止める。
【０４３３】
実際の適用例では、ソース基地局が端末によって送られたアップリンクデータをさらに有する場合、ソース基地局は、コアネットワークデバイスに連続的におよび継続的に受信したデータを送り続け、他の順が狂った肯定応答されていないデータパケットを破棄する。さらに、端末がターゲット基地局への接続を確立した後、端末は、第１の受信されていないデータから開始してターゲット基地局にデータを送る。
【０４３４】
この実施形態では、端末がセルの変更を行おうとしているというメッセージをソースコアネットワークデバイスが受信した後、ソースコアネットワークデバイスは、ソース基地局とターゲット基地局との両方にダウンリンクデータを送る。このようにして、再選択処理中にダウンリンクデータが喪失されないことが保証され得、データの連続性がさらに保証される。
【０４３５】
詳細には、図２２を参照すると、端末はセルの変更を行い、基地局側はデータを転送する。
【０４３６】
２２０１．ソース基地局は、ターゲット基地局にハンドオーバ要求を送る。
【０４３７】
ソース基地局がハンドオーバ決定を完了した後、ソース基地局は、ターゲット基地局にハンドオーバ要求を送る。
【０４３８】
２２０２．ターゲット基地局は、ソース基地局にハンドオーバ肯定応答メッセージを送る。
【０４３９】
ターゲット基地局がソース基地局からハンドオーバ要求を受信した後、ターゲット基地局は、ソース基地局にハンドオーバ肯定応答メッセージを送り得る。このようにして、ターゲット基地局とソース基地局との間で、ハンドオーバシグナリングが、ターゲット基地局とソース基地局との間の接続シグナリングとして使用される。
【０４４０】
２２０３．ソース基地局は、ターゲット基地局にダウンリンクデータを送る。
【０４４１】
ソース基地局は、基地局間のＸ２インターフェースを通してターゲット基地局にダウンリンクデータを送る。
【０４４２】
さらに、実際の適用例では、データがターゲット基地局とソース基地局との間で転送されるとき、ターゲット基地局とソース基地局とは、データ転送のためにハンドオーバ要求に情報要素を追加し得る。情報要素の名前は、ＮＡＳ  ＰＤＵのためのデータ転送であり得る。代替として、ターゲット基地局とソース基地局とは、ダウンリンクデータ転送が追加される１つのＸ２−ＡＰシグナリングを使用する。情報要素の名前はＤＬデータ転送であり得る。代替として、ターゲット基地局にハンドオーバ要求コマンド（ハンドオーバ要求）を送るときに、ソース基地局は、ハンドオーバ要求に、ターゲットコアネットワークデバイスに送られるべきデータがあることを示すために使用される情報要素を追加し、ターゲット基地局によって送られたハンドオーバ肯定応答メッセージを受信した後に、ソース基地局は、ターゲット基地局にデータ転送シグナリングをさらに送る。この場合、シグナリングは、ＮＡＳ  ＰＤＵのためのデータ転送であり得る情報要素を含む。代替として、ターゲット基地局は、ＳＲＢ１に対応するＸ２ベアラを確立し、ＥＰＳベアラに対応する新しいＥ−ＲＡＢと、Ｅ−ＲＡＢのデータを搬送するために使用されるトンネルとを確立する。トンネルを確立した後に、ターゲット基地局は、ソース基地局に対応するトンネルアドレスを送り、したがって、ソース基地局は、トンネルを通してターゲット基地局にデータを転送する。ソース基地局がターゲット基地局にダウンリンクデータを送る複数の方式があり得る。本明細書では、これは限定されない。
【０４４３】
２２０４．ターゲット基地局は、端末にダウンリンクデータを送る。
【０４４４】
ターゲット基地局は、ソース基地局から端末に取得されたダウンリンクデータを送る。
【０４４５】
実際の適用例では、ソース基地局からターゲット基地局によって取得されたデータが順々に送られ得ることを保証するために、ソース基地局からデータを取得した後に、ターゲット基地局は、ダウンリンクデータを受信するためにターゲットコアネットワークデバイスとシグナリングを交換する。代替として、ターゲット基地局は、最初に、ソース基地局から取得されたダウンリンクデータを送り、次いで、ターゲットコアネットワークデバイスによって送られたダウンリンクデータを受信する。本明細書では、特定の方式は限定されない。
【０４４６】
この実施形態では、データは、ソース基地局とターゲット基地局との間で送信され、それにより、再選択処理中にダウンリンクデータが喪失されないことを保証し、さらに、データの連続性を保証する。
【０４４７】
上記のデータ処理方法の説明に基づいて、接続モードでの端末のモビリティが維持される間に、本出願の実施形態では、接続モードでの端末の電力消費量を低減するために以下の解決策がさらに提供され得る。
【０４４８】
詳細には、図２３を参照すると、本出願の一実施形態は、以下を含むセルを取得する方法を提供する。
【０４４９】
２３０１．端末が現在のソースサービングセルに接続されると、端末は、現在のソースサービングセルの第１の品質パラメータを取得する。
【０４５０】
端末が現在のソースサービングセルに接続されると、端末は、リアルタイムで現在のソースサービングセルの第１の品質パラメータを取得し得る。
【０４５１】
この実施形態では、第１の品質パラメータは、基準信号受信品質または基準信号受信電力であり得る。本明細書では、特定の決定基準は限定されない。実際の適用例では、端末が現在のソースサービングセルに接続されると、すなわち、データまたはシグナリングが端末と現在のソースサービングセルに対応する基地局との間で交換されると、端末は、現在のソースサービングセルの基準信号受信電力または基準信号受信品質を取得し、それにより、現在のソースサービングセルの第１の品質パラメータを決定し得る。
【０４５２】
２３０２．端末は、第１の品質パラメータが第１のプリセットされたしきい値よりも低いかどうかを決定し、はいの場合、ステップ２３０３からステップ２３０５を実行し、いいえの場合、ステップ２３０６を実行する。
【０４５３】
第１の品質パラメータを取得した後に、端末は、第１の品質パラメータが第１のプリセットされたしきい値よりも低いかどうかを決定する。第１の品質パラメータが第１のプリセットされたしきい値よりも低い場合、端末は、ステップ２３０３からステップ２３０５を実行する。第１の品質パラメータが第１のプリセットされたしきい値よりも低くない場合、端末は、ステップ２３０６を実行する。
【０４５４】
実際の適用例では、しきい値は、接続モードの端末のためにプリセットされ、それにより、端末により現在のソースサービングセル中でサービスを実行するための要件を現在のソースサービングセルの品質パラメータが満たすのかどうかを決定し、端末は、現在のソースサービングセルの品質パラメータを取得した後に現在のソースサービングセルの品質パラメータとしきい値を比較する。
【０４５５】
２３０３．端末は、測定セルのセットを取得する。
【０４５６】
端末は、端末によって測定され得るセルを決定し、測定セルのセットを生成する。
【０４５７】
この実施形態では、端末は、アイドルモードでの測定を通して取得された品質パラメータがプリセットされたしきい値以上であるセルを測定セルと見なし得る。代替として、端末がプリセットされた時間期間内に接続されるセルが測定セルとして使用され得る。代替として、プリセットされた時間期間中に端末によって記憶された信号品質がプリセットされたしきい値に達するセルが測定セルとして使用され得る。代替として、端末に接続された基地局によって送られるブロードキャストメッセージ中のセルリスト中のセルが測定セルとして使用され得る。代替として、セルリスト中の周波数情報に関係するセルが測定セルとして使用され得る。端末が好適な測定セルのセットを取得することができるという条件で、本明細書では、特定の方式は限定されない。端末は、アイドルモードまたは接続モードでブロードキャストメッセージを取得し得る。本明細書では、これは特に限定されない。たとえば、端末は、アイドルモードで２０個のセルを測定し、セルＡ、セルＢ、およびセルＣの品質パラメータは、プリセットされたしきい値８０よりも大きい。さらに、最後の２日に端末に接続されたセルは、セルＤとセルＥとセルＦとを含む。最後の２日に端末による測定を通して取得された品質パラメータが８０よりも大きいセルは、セルＧとセルＨとを含む。基地局によって送られ、端末によって受信されたブロードキャストメッセージ中のセルリスト中のセルは、セルＡからセルＨを含む。基地局によって送られ、端末によって受信されたブロードキャストメッセージ中の周波数情報に関係するセルは、セルＢとセルＣとセルＤとセルＥとを含む。したがって、端末によって決定される測定セルのセットは、セルＡからセルＨのうちの少なくとも１つを含む。
【０４５８】
さらに、端末によって決定される測定セルのセット中の測定セルの量が、セルリスト中のセルの量または周波数情報に関係するセルの量よりも少ない場合、次のようになる。
【０４５９】
２３０４．端末は、第２の品質パラメータのセットを取得するために測定セルのセット中の各測定セルを測定する。
【０４６０】
端末は、各測定セルの第２の品質パラメータを取得するために測定セルのセット中の各測定セルを１つずつ測定し、第２の品質パラメータを使用することによって第２の品質パラメータのセットを生成する。
【０４６１】
実際の適用例では、端末は、以下の方式で各測定セルを測定し得る。
【０４６２】
１つの可能な実装形態では、端末は、第２の品質パラメータを取得するために、周波数内測定と周波数間測定とシステム間測定とのうちの少なくとも１つを使用することによって測定セルの基準信号受信電力を測定する。
【０４６３】
別の可能な実装形態では、端末は、第２の品質パラメータを取得するために、周波数内測定と周波数間測定とシステム間測定とのうちの少なくとも１つを使用することによって測定セルの基準信号受信品質を測定する。
【０４６４】
２３０５．端末は、第２の品質パラメータのセットに基づいてターゲットサービングセルを決定する。
【０４６５】
端末は、第２の品質パラメータのセット中の各第２の品質パラメータに基づいて測定セルのセットからターゲットサービングセルを決定する。
【０４６６】
実際の適用例では、端末は、第２の品質パラメータがプリセットされたしきい値よりも大きい測定セルをターゲットサービングセルとして使用し得るか、または端末は、第２の品質パラメータが最良である測定セルをターゲットサービングセルとして選択する。たとえば、端末によって決定される測定セルのセットは、セルＡとセルＢとセルＤとセルＥとを含む。測定を通して、セルＡの第２の品質パラメータは８７であり、セルＢの第２の品質パラメータは８５であり、セルＤの第２の品質パラメータは７５であり、セルＥの第２の品質パラメータは８１である。プリセットされたしきい値が８５である場合、端末は、セルＡとセルＢとをターゲットサービングセルとして使用し得るか、またはセルＡをターゲットサービングセルとして使用し得る。
【０４６７】
測定セルとサービングセルとを測定した後、端末は、第１の品質パラメータと第２の品質パラメータとを取得するか、またはセルの再選択ルール、たとえば、ランキング機構または優先度機構に従ってターゲットセルを決定し得る。たとえば、補償値またはオフセットが、各セルまたはセルの再選択中に特にサポートされるサービスに基づく周波数に関係するセルについて追加され得る。さらに、補償値もしくはオフセットは、各セルもしくは各周波数に関係するセルおよび端末によって事前に指定されたデフォルト値であり得るか、または端末は、基地局によってブロードキャストされたシステムメッセージを受信することによって補償値もしくはオフセットを取得し得るか、または端末は、専用シグナリングを受信することによって補償値もしくはオフセットを取得し得る。補償値またはオフセットを取得した後に、端末がターゲットサービスを実行し、セルを再選択すると、端末は、ターゲットサービスをサポートするセルを優先的に選択し得る。たとえば、セルＡは、ＳＣ−ＰＴＭサービスをサポートし、ＳＣ−ＰＴＭサービスをサポートする補償値またはオフセット値がシステムブロードキャスト中でブロードキャストされる。セルを再選択するとき、ＵＥは、ランキング機構を使用する。ＵＥがセルを計算するとき、補償値またはオフセットがＵＥについて追加され、したがって、端末はセルＡを選択することができる。任意選択で、ＳＣ−ＰＴＭをサポートする端末の現在のセルがＳＣ−ＰＴＭサービスをサポートしない場合、現在のサービングセルの信号品質または信号レベルが測定または再選択をトリガしない場合でも、端末が、システムブロードキャストを通してまたは別の方式で、セルまたは周波数がＳＣ−ＰＴＭをサポートすることを知るとき、端末は、ランク付けおよび再選択のための測定をトリガするか、またはターゲットセルもしくは周波数のセルを直接測定し、しきい値要件が満たされる場合セルを再選択する。
【０４６８】
任意選択で、ＳＣ−ＰＴＭをサポートするＵＥが、システムブロードキャストを通してまたは別の方式でセルまたは周波数がＳＣ−ＰＴＭをサポートすることを知る場合、ＵＥは、測定をトリガし、セルを再選択するためにセルの再選択ルールを使用するか、またはターゲットセルもしくは周波数のセルを直接測定し、しきい値が再選択またはキャンピングしきい値を満たす場合、セルを再選択する。代替として、サービスをサポートするセルが発見された場合、セルが再選択される。
【０４６９】
２３０６．端末は、基地局にターゲットサービングセルに関する情報を送る。
【０４７０】
ターゲットサービングセルを決定した後に、端末は、端末に現在接続されている基地局にターゲットサービングセルのインデックスまたはＩＤを送る。たとえば、この実施形態では、端末は、基地局にセルＡのインデックスまたはセルＩＤを送り得るか、または端末は、基地局にセルＡおよびセルＢのインデックスまたはセルＩＤを送り得る。
【０４７１】
２３０７．端末は、測定をトリガするのをスキップする。
【０４７２】
端末は、現在のソースサービングセルへの接続を保ち、セルを測定するのをスキップする。
【０４７３】
この実施形態では、端末自体がターゲットサービングセルを決定し、基地局に測定データなどの情報を報告せず、それによって、端末の電力消費量を低減する。
【０４７４】
上記は、本出願の実施形態におけるデータ処理方法について説明した。以下は、本出願の実施形態における基地局とコアネットワークデバイスとについて説明する。
【０４７５】
詳細には、図２４を参照すると、本出願の一実施形態による端末の一実施形態は、
受信モジュール２４０１と、送信モジュール２４０２と、処理モジュール２４０３と
を含む。
【０４７６】
処理モジュール２４０３は、端末が現在のソースサービングセルに接続されるとき、現在のソースサービングセルの第１の品質パラメータを取得することと、第１の品質パラメータが第１のプリセットされたしきい値よりも小さい場合、測定セルのセットを決定することと、各対応する第２の品質パラメータを取得するために測定セルのセット中の各測定セルを測定することと、第２の品質パラメータに基づいてターゲットサービングセルを決定することとを行うように構成される。
【０４７７】
上記の実施形態を参照して、測定セルのセットは、アイドルモードでの測定を通して端末によって取得された品質パラメータがプリセットされた値を超えるセルと、アイドルモードでの測定を通して端末によって取得された品質パラメータがより高くランク付けされたセルと、端末が接続され得るセルと、端末によって受信されたブロードキャストメッセージ中のセルリスト中のセルと、端末によって受信されたブロードキャストメッセージ中の周波数情報に関係するセルとのうちの少なくとも１つを含む。
【０４７８】
上記の実施形態を参照して、送信モジュール２４０２は、ソース基地局がターゲットサービングセルからターゲットセルを決定するように、第１のメッセージを使用することによって現在のソースサービングセルに対応するソース基地局にターゲットサービングセルに関する情報を送るように構成される。
【０４７９】
上記の実施形態を参照して、受信モジュール２４０１は、第１の指示メッセージを使用することによってソース基地局によって送られたターゲットセルに関する情報を受信することであって、ターゲットセルに関する情報が、ソース基地局とターゲット基地局とがハンドオーバを確認した後に送られ、ターゲット基地局がターゲットセルに対応する基地局である、受信することを行うように構成される。
【０４８０】
送信モジュール２４０２は、第２の指示メッセージを使用することによってターゲット基地局にセル変更肯定応答メッセージを送るようにさらに構成される。
【０４８１】
上記の実施形態を参照して、第１の指示メッセージは、ＲＲＣ接続リリースメッセージ、ＲＲＣ再構成メッセージ、ダウンリンク直接送信メッセージなどである。
【０４８２】
第２の指示メッセージは、ＲＲＣ接続確立完了メッセージ、ＲＲＣ再構成完了メッセージ、またはアップリンク直接送信メッセージである。
【０４８３】
上記の実施形態を参照して、送信モジュール２４０２は、接続要求メッセージを送ることによってターゲットサービングセルにアクセスすることであって、接続要求メッセージが、接続確立メッセージ、接続再確立メッセージ、接続再構成完了メッセージ、またはセル変更完了メッセージであり、接続要求メッセージが、接続要求理由を搬送し、要求理由が、セルの再選択、セルの変更、またはダウンリンクデータを待つことを含む、アクセスすることを行うように構成される。
【０４８４】
上記の実施形態を参照して、第１のメッセージは、アップリンク直接送信メッセージまたはアップリンク無線リソース制御ＲＲＣメッセージであり得る。ターゲットサービングセルに関する情報は、ターゲットサービングセルの識別子ＩＤまたはターゲットサービングセルのインデックス値を含む。
【０４８５】
さらに、図２４の端末は、図２３の端末によって実装され得る任意の機能を実装するために図２３の端末の任意のステップを実行するようにさらに構成され得る。
【０４８６】
この実施形態では、端末自体がターゲットサービングセルを決定し、基地局に測定データなどの情報を報告せず、それによって、端末の電力消費量を低減する。
【０４８７】
詳細には、図２５を参照すると、本出願の一実施形態による端末の別の実施形態は、
トランシーバ２５０１とプロセッサ２５０２と
を含み、ここで、トランシーバ２５０１とプロセッサ２５０２とは、バス２５０３を使用することによって互いに接続される。
【０４８８】
バス２５０３は、周辺構成要素相互接続（ｐｅｒｉｐｈｅｒａｌ  ｃｏｍｐｏｎｅｎｔ  ｉｎｔｅｒｃｏｎｎｅｃｔ、略して、ＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バスなどであり得る。バスは、アドレスバス、データバス、制御バスなどに分類され得る。表現を簡単にするために、図２５においてバスを表すためにただ１本の太線が使用されているが、これは、１つのバスまたは１つのタイプのバスしかないことを意味しない。
【０４８９】
プロセッサ２５０２は、中央処理ユニット（ｃｅｎｔｒａｌ  ｐｒｏｃｅｓｓｉｎｇ  ｕｎｉｔ、略して、ＣＰＵ）、ネットワークプロセッサ（ｎｅｔｗｏｒｋ  ｐｒｏｃｅｓｓｏｒ、略して、ＮＰ）、またはＣＰＵとＮＰとの組合せであり得る。
【０４９０】
プロセッサ２５０２は、ハードウェアチップをさらに含み得る。ハードウェアチップは、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、略して、ＡＳＩＣ）、プログラマブル論理デバイス（ｐｒｏｇｒａｍｍａｂｌｅ  ｌｏｇｉｃ  ｄｅｖｉｃｅ、略して、ＰＬＤ）、またはそれらの組合せであり得る。ＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、略して、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、略して、ＦＰＧＡ）、汎用アレイ論理（ｇｅｎｅｒｉｃ  ａｒｒａｙ  ｌｏｇｉｃ、略して、ＧＡＬ）、またはそれらの任意の組合せであり得る。
【０４９１】
図２５を参照すると、端末は、メモリ２５０４をさらに含み得、メモリ２５０４は、ダウンリンクデータを記憶するように構成され得る。メモリ２５０４は、ランダムアクセスメモリ（ｒａｎｄｏｍ  ａｃｃｅｓｓ  ｍｅｍｏｒｙ、略して、ＲＡＭ）などの揮発性メモリ（ｖｏｌａｔｉｌｅ  ｍｅｍｏｒｙ）を含み得る。メモリは、フラッシュメモリ（ｆｌａｓｈ  ｍｅｍｏｒｙ）、ハードディスクドライブ（ｈａｒｄ  ｄｉｓｋ  ｄｒｉｖｅ、略して、ＨＤＤ）、またはソリッドステートドライブ（ｓｏｌｉｄ‐ｓｔａｔｅ  ｄｒｉｖｅ、略して、ＳＳＤ）などの不揮発性メモリ（ｎｏｎ−ｖｏｌａｔｉｌｅ  ｍｅｍｏｒｙ）をさらに含み得る。メモリ２５０４は、上記のタイプのメモリの組合せをさらに含み得る。
【０４９２】
任意選択で、メモリ２５０４は、プログラム命令を記憶するようにさらに構成され得る。プロセッサ２５０２は、上記の方法中に端末の機能を実装するためにメモリ２５０４中に記憶されたプログラム命令を呼び出すことによって図２３に示した実施形態において１つまたは複数のステップまたは任意選択の実装形態を実行し得る。
【０４９３】
上記の実施形態を参照して、トランシーバ２５０１は、受信モジュール２４０１と送信モジュール２４０２とに対応し、トランシーバ２５０１は、上記の実施形態において端末によってシグナリングまたはデータを受信および送るステップを実行する。
【０４９４】
上記の実施形態を参照して、プロセッサ２５０２は、処理モジュール２４０３に対応し、プロセッサは、上記の実施形態において端末によってデータを処理するステップを実行する。
【０４９５】
この実施形態では、端末自体がターゲットサービングセルを決定し、基地局に測定データなどの情報を報告せず、それによって、端末の電力消費量を低減する。
【０４９６】
便利で簡単な説明のために、上記のシステム、装置、およびユニットの詳細な作動処理について、上記の方法実施形態における対応する処理を参照し得ることを当業者には明確に理解され得、本明細書では、詳細は再び説明されない。
【０４９７】
本出願において提供されるいくつかの実施形態では、開示するシステム、装置、および方法が他の方法で実装され得ることを理解されたい。たとえば、説明する装置実施形態は一例にすぎない。たとえば、ユニットの分割は、論理的な機能の分割にすぎず、実際の実装形態では他の分割になり得る。たとえば、複数のユニットまたは構成要素が、組み合わされるかもしくは別のシステムに統合され得るか、またはいくつかの特徴は、無視されるかもしくは実行されないことがある。さらに、表示または説明された相互結合または直接結合または通信接続は、いくつかのインターフェースを使用することによって実装され得る。装置またはユニット間の間接結合または通信接続は、電気的な形態、機械的な形態、または他の形態で実装され得る。
【０４９８】
別個の部分として説明したユニットは、物理的に別個であることも別個でないこともあり、ユニットとして表示された部分は、物理ユニットであることも物理ユニットでないこともあり、１つの位置に位置し得るか、または複数のネットワークユニット上に分散され得る。ユニットの一部または全部は、実施形態の解決策の目的を達成するために実際の要件に基づいて選択され得る。
【０４９９】
さらに、本出願の実施形態における機能ユニットは、１つの処理ユニットに統合され得るか、またはユニットの各々は、物理的に単独で存在し得るか、または２つ以上のユニットは、１つのユニットに統合される。統合ユニットは、ハードウェアの形態で実装され得るか、またはソフトウェアの機能ユニットの形態で実装され得る。
【０５００】
統合ユニットがソフトウェアの機能ユニットの形態で実装され、独立した製品として販売または使用されるとき、統合ユニットは、コンピュータ可読記憶媒体中に記憶され得る。そのような理解に基づいて、本質的に本出願の技術的解決策、または従来技術に寄与する部分、または技術的解決策の全部もしくは一部は、ソフトウェア製品の形態で実装され得る。コンピュータソフトウェア製品は、記憶媒体中に記憶され、（パーソナルコンピュータ、サーバ、またはネットワークデバイスであり得る）コンピュータデバイスに本出願の実施形態において説明した方法のステップの全部または一部を実行するように命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどのプログラムコードを記憶することができる任意の媒体を含む。
【０５０１】
上記の実施形態は、本出願の技術的解決策について説明するものにすぎず、本出願を限定するよう意図されていない。本出願が上記の実施形態に関して詳細に説明したが、本出願の実施形態の技術的解決策の趣旨および範囲から逸脱することなく、当業者が、依然として上記の実施形態において説明した技術的解決策に変更を行い得るか、またはそれらのいくつかの技術的特徴に均等物との置換を行い得ることを当業者には理解されたい。
【国際調査報告】
2019528009.tif 000028
2019528009.tif 000029
2019528009.tif 000030
2019528009.tif 000031